(57)【要約】  【課題】  テレビ番組の宣伝をする場合に、テレビ番組に一度興味を持った視聴者を実際の視聴行動に結びつけることができ、テレビ番組の宣伝効率を飛躍的に高めることができるＴＶ、ＤＶＲ、リモコン等へのビジュアルＥＰＧ配信システムを提供することを目的とする。  【解決手段】  テレビジョン受像機と、リアルタイム番組情報サーバとを有するビジュアルＥＰＧ配信システムにおいて、視聴タイミングによる番組内の放送素材レベルでリアルタイム番組情報サーバがマッチングを行い、これによって特別な情報を付加しない通常のテレビジョン放送の番組中における番組情報を携帯端末に提供する。  【選択図】  図１
2006121301.tif 000002
【特許請求の範囲】
【請求項１】
放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースと、
放送局から送信された放送情報を出力する放送受信装置のチャネル選択に係るチャネル情報を通信装置から受信する手段と、
現在時刻に基づいて、現在時刻と前記受信したチャネル情報とに係る放送素材に関連付けて前記データベースに格納されている番組情報を、前記データベースから抽出する抽出手段と、
前記チャネル情報を送信した通信装置に、前記抽出した番組情報を送信する手段と、
を有することを特徴とする番組情報サーバ。
【請求項２】
放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースと、
放送局から送信された放送情報を出力する放送受信装置のチャネル選択に係るチャネル情報と、前記放送受信装置で出力されている放送情報に関する所定の情報である所定情報の取得を要求する番組情報取得要求情報とを、前記放送受信装置から受信する手段と、
前記受信したチャネル情報と前記受信した時刻とに係る放送素材に関連付けて前記データベースに格納されている番組情報を、前記データベースから抽出する抽出手段と、
前記番組情報取得要求情報を送信した放送受信装置に、前記抽出した番組情報を送信する手段と、
を有することを特徴とする番組情報サーバ。
【請求項３】
複数の放送局から入力した放送に関する各種情報に基づいて放送局毎に複数作成されリアルタイムで更新される番組編成パターンであって、放送番組の番組枠を構成する放送素材の放送日時を含み当該放送番組の番組枠を前記放送素材単位で特定する情報である編成情報を含む番組編成パターンを格納し、前記複数の放送局から入力した情報であって前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
放送局から送信された放送情報を出力する放送受信装置のチャネル選択に係るチャネル情報と、前記放送受信装置で出力されている放送情報に関する所定の情報である所定情報の取得を要求する番組情報取得要求情報とを、前記放送受信装置から受信する手段と、
前記選択された番組編成パターンに係る放送素材であって前記受信したチャネル情報と前記受信した時刻とに係る放送素材に関連付けて前記データベースに格納されている番組情報を、前記データベースから抽出する抽出手段と、
前記番組情報取得要求情報を送信した放送受信装置に、前記抽出した番組情報を送信する手段と、
を有することを特徴とする番組情報サーバ。
【請求項４】
複数の放送局から入力した放送に関する各種情報に基づいて放送局毎に複数作成されリアルタイムで更新される番組編成パターンであって、放送番組の番組枠を構成する放送素材の放送日時を含み当該放送番組の番組枠を前記放送素材単位で特定する情報である編成情報を構成する番組編成パターンを格納し、前記複数の放送局から入力した情報であって前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
放送局から送信された放送情報を出力する放送受信装置のチャネル選択に係るチャネル情報と、前記放送受信装置で出力されている放送情報に関する所定の情報である所定情報の取得を要求する番組情報取得要求情報と、前記放送受信装置の識別情報と、前記放送受信装置の位置情報とを、前記放送受信装置から受信する手段と、
前記受信したチャネル情報と放送受信装置の位置情報とに係る放送局を特定し、前記選択された番組編成パターンに係る放送素材であって前記特定した放送局と前記受信した時刻とに係る放送素材に関連付けて前記データベースに格納されている番組情報を、前記データベースから抽出する抽出手段と、
前記番組情報取得要求情報を送信した放送受信装置に、前記抽出した番組情報を送信する手段と、
を有することを特徴とする番組情報サーバ。
【請求項５】
前記放送受信装置は、放送局から送信された放送情報を録画する録画再生装置であり、
前記放送素材が番組宣伝に係る場合、当該番組宣伝に係る放送番組についてのチャネル情報及び放送開始日時及び放送終了日時が当該放送素材に関連付けられ、当該放送素材に係る番組情報は、当該放送番組に係るチャネル情報と放送開始日時と放送終了日時とを含み、
前記抽出した番組情報が番組宣伝に係る場合、当該番組情報に基づいて、当該番組情報に係る放送番組を前記放送受信装置に録画予約させる情報である録画予約情報を作成する手段と、
前記番組情報取得要求情報を送信した放送受信装置に、前記作成された録画予約情報を送信する手段と、
を有することを特徴とする請求項２〜請求項４のいずれか１項に記載の番組情報サーバ。
【請求項６】
前記抽出した番組情報が番組宣伝に係る場合に、当該番組情報に係る放送素材を記憶する記憶部と、
前記記憶部に記憶されている放送素材に基づいて、録画予約に関する情報を作成する手段と、
を有することを特徴とする請求項２〜請求項５のいずれか１項に記載の番組情報サーバ。
【請求項７】
複数の放送局から入力した放送に関する各種情報に基づいて放送局毎に複数作成されリアルタイムで更新される番組編成パターンであって、放送番組の番組枠を構成する放送素材の放送日時を含み当該放送番組の番組枠を前記放送素材単位で特定する情報である編成情報を含む番組編成パターンを格納し、前記複数の放送局から入力した情報であって前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
前記選択された番組編成パターンに係る放送素材のうちの所定期間内の放送素材に係る番組情報を前記データベースから抽出する抽出手段と、
前記抽出した番組情報を放送受信装置に送信する手段と、
前記データベースに格納されている情報の更新の有無を監視する手段と、
前記データベースに格納されている情報の更新があれば、更新後の情報を前記データベースから取得し、取得した情報の中から更新された部分に係る情報である差分情報のみを抽出する手段と、
前記抽出した差分情報を前記放送受信装置に送信する手段と、
を有することを特徴とする番組情報サーバ。
【請求項８】
前記編成情報に係る放送素材のうちの１又は２以上の放送素材に、当該放送素材に係る素材枠時間の変更が可能であることを示すアンタイム情報が付与され、
前記入力した放送局からの情報に基づいて、前記アンタイム情報が付与された放送素材に係る素材枠時間を変更することを特徴とする請求項１〜７のいずれか１項に記載の番組情報サーバ。
【請求項９】
前記放送受信装置は、映像視聴装置であることを特徴とする請求項１〜８のいずれか１項に記載の番組情報サーバ。
【請求項１０】
放送に関する各種情報を複数の放送局から入力する番組情報サーバと、放送局から送信された放送情報を出力する放送受信装置とを有する番組情報提供システムであって、
前記番組情報サーバは、
前記複数の放送局から入力した情報に基づいて放送局毎に複数作成されリアルタイムで更新される番組編成パターンであって、放送番組の番組枠を構成する放送素材の放送日時を含み当該放送番組の番組枠を前記放送素材単位で特定する情報である編成情報を含む番組編成パターンを格納し、前記複数の放送局から入力した情報であって前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
前記放送受信装置のチャネル選択に係るチャネル情報と、前記放送受信装置で出力されている放送情報に関する所定の情報である所定情報の取得を要求する番組情報取得要求情報とを、前記放送受信装置から受信する手段と、
前記選択された番組編成パターンに係る放送素材であって前記受信したチャネル情報と前記受信した時刻とに係る放送素材に関連付けて前記データベースに格納されている番組情報を、前記データベースから抽出する抽出手段と、
前記番組情報取得要求情報を送信した放送受信装置に、前記抽出した番組情報を送信する手段と、
を有し、前記放送受信装置は、
放送局から送信された放送情報に係るチャネルを選択するチャネル選択手段と、
前記所定情報の取得を指示する番組情報取得指示手段と、
前記番組情報取得指示手段によって所定情報の取得が指示されると、前記番組情報取得要求情報と共に、当該取得の指示の際に出力されていた放送情報に係るチャネル情報を、前記番組情報サーバに送信する手段と、
前記送信した番組情報取得要求情報に係る番組情報を前記番組情報サーバから受信する手段と、
前記受信した番組情報を出力する番組情報出力手段と、
を有することを特徴とする番組情報提供システム。
【請求項１１】
前記放送素材が番組宣伝に係る場合、当該番組宣伝に係る放送番組についてのチャネル情報及び放送開始日時が当該放送素材に関連付けられ、当該放送素材に係る番組情報は、当該放送番組に係るチャネル情報と放送開始日時とを含み、
前記放送受信装置は、
前記受信した番組情報が番組宣伝に係る場合、当該番組情報に係る放送番組の放送開始日時または放送開始日時の所定時間前になった旨を通知する第１の通知手段と、
前記第１の通知手段によって通知がされている番組情報に係る放送番組の視聴を指示する第１の視聴指示手段と、
前記第１の通知手段によって通知がされている場合に、前記第１の視聴指示手段によって視聴を指示されると、前記通知されている番組情報に係るチャネルを選択する手段と、
を有することを特徴とする請求項１０に記載の番組情報提供システム。
【請求項１２】
前記放送素材が番組宣伝に係る場合、当該番組宣伝に係る放送番組についてのチャネル情報及び放送開始日時及び放送終了日時が当該放送素材に関連付けられ、当該放送素材に係る番組情報は、当該放送番組に係るチャネル情報と放送開始日時と放送終了日時とを含み、
前記放送受信装置は、放送局から送信された放送情報を録画する録画再生装置であり、前記受信した番組情報が番組宣伝に係る場合、当該番組情報に基づいて、当該番組情報に係る放送番組の録画予約を設定する手段を有することを特徴とする請求項１０または請求項１１に記載の番組情報提供システム。
【請求項１３】
前記番組情報サーバは、
前記放送受信装置に送信した番組情報と当該放送受信装置の識別情報とを関連付けて記憶するサーバ記憶部と、
前記データベースに格納されている情報の更新の有無を監視する手段と、
前記データベースに格納されている情報の更新があれば、更新後の情報を前記データベースから取得し、取得した情報の中から更新された部分に係る情報である差分情報のみを抽出する手段と、
前記抽出した差分情報に係る放送番組についての番組宣伝に係る番組情報に関連付けて前記サーバ記憶部に記憶されている放送受信装置に、当該差分情報を送信する手段と、
を有し、前記放送受信装置は、
前記番組情報サーバから受信した番組情報を記憶する記憶部と、
前記差分情報を受信する手段と、
前記記憶部に記憶されている番組情報のうちから、前記受信した差分情報に係る番組情報を更新する手段と、
前記受信した差分情報に係る番組情報を更新した旨を表示する手段と、
を有することを特徴とする請求項１０〜１２のいずれか１項に記載の番組情報提供システム。
【請求項１４】
前記番組情報サーバは、
前記放送受信装置に送信した番組情報と当該放送受信装置の識別情報とを関連付けて記憶するサーバ記憶部と、
前記データベースに格納されている情報の更新の有無を監視する手段と、
前記データベースに格納されている情報の更新があれば、更新後の情報を前記データベースから取得し、取得した情報の中から更新された部分に係る情報である差分情報のみを抽出する手段と、
前記抽出した差分情報に係る放送番組についての番組宣伝に係る番組情報に関連付けて前記サーバ記憶部に記憶されている放送受信装置に、当該差分情報を送信する手段と、
を有し、前記放送受信装置は、
前記番組情報サーバから受信した番組情報を記憶する記憶部と、
前記差分情報を受信する手段と、
前記記憶部に記憶されている番組情報のうちから、前記受信した差分情報に係る番組情報を更新する手段と、
前記更新した番組情報に基づいて、当該番組情報の番組宣伝に係る放送番組の録画予約を設定する手段と、
を有することを特徴とする請求項１２に記載の番組情報提供システム。
【請求項１５】
前記放送受信装置は、
前記受信した番組情報が番組宣伝に係る場合において、当該番組情報に係る放送番組の放送終了時刻から所定時間経過後、または、１日のうちの所定の時刻になった場合に、当該放送番組が録画されている旨を通知する第２の通知手段と、
前記第２の通知手段によって通知がされている放送番組の視聴を指示する第２の視聴指示手段と、
前記第２の通知手段によって通知されている場合に、前記第２の視聴指示手段によって視聴を指示されると、前記通知されている放送番組を再生する手段と、
を有することを特徴とする請求項１２に記載の番組情報提供システム。
【請求項１６】
放送に関する各種情報を複数の放送局から入力する番組情報サーバと、放送局から送信された放送情報を出力する放送受信装置とを有する番組情報提供システムであって、
前記番組情報サーバは、
前記複数の放送局から入力した情報に基づいて放送局毎に複数作成されリアルタイムで更新される番組編成パターンであって、放送番組の番組枠を構成する放送素材の放送日時を含み当該放送番組の番組枠を前記放送素材単位で特定する情報である編成情報を含む番組編成パターンを格納し、前記複数の放送局から入力した情報であって前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
前記選択された番組編成パターンに係る放送素材のうちの所定期間内の放送素材に係る番組情報を前記データベースから抽出する抽出手段と、
前記抽出した番組情報を前記放送受信装置に送信する手段と、
を有し、前記放送受信装置は、
前記抽出した番組情報を受信する手段と、
前記受信した番組情報を記憶する記憶部と、
放送局から送信された放送情報に係るチャネルを選択するチャネル選択手段と、
現在出力されている放送情報に関する所定の情報である所定情報の取得を指示する番組情報取得指示手段と、
前記番組情報取得指示手段によって所定情報の取得が指示されると、前記記憶部に記憶されている番組情報のうちから、前記指示された時刻と前記指示された際に出力されていた放送情報に係るチャネルとに係る番組情報を抽出する抽出手段と、
前記抽出した番組情報を出力する番組情報出力手段と、
を有することを特徴とする番組情報提供システム。
【請求項１７】
放送に関する各種情報を複数の放送局から入力する番組情報サーバと、放送局から送信された放送情報を出力する放送受信装置とを有する番組情報提供システムであって、
前記番組情報サーバは、
前記複数の放送局から入力した情報に基づいて放送局毎に複数作成されリアルタイムで更新される番組編成パターンであって、放送番組の番組枠を構成する放送素材の放送日時を含み当該放送番組の番組枠を前記放送素材単位で特定する情報である編成情報を含む番組編成パターンを格納し、前記複数の放送局から入力した情報であって放送内容に関する各種画像情報と前記放送受信装置のチャネル選択に係るチャネル情報とを含む前記放送素材に関連する情報である番組情報を当該放送素材に関連付けて格納するデータベースと、
前記入力した放送局からの情報に基づいて、前記データベースに格納されている複数の番組編成パターンの中から放送局毎に一の番組編成パターンを選択する手段と、
前記選択された番組編成パターンに係る放送素材のうちの所定期間内の放送素材に係る番組情報を前記データベースから抽出する抽出手段と、
前記抽出した番組情報を前記放送受信装置に送信する手段と、
を有し、前記放送受信装置は、
前記抽出した番組情報を受信する手段と、
前記受信した番組情報を記憶する記憶部と、
現在時刻に基づいて、前記記憶部に記憶されている番組情報のうちから、前記現在時刻に係る番組情報に含まれる少なくとも一の画像情報を放送局毎に抽出する抽出手段と、
前記放送局毎に抽出した画像情報を表示部に出力する手段と、
前記表示部に表示されている放送局毎の画像情報のうちから、少なくとも一の画像情報を選択する手段と、
前記選択された画像情報に係る番組情報に含まれるチャネル情報に係る放送情報を出力すると共に、前記表示部に表示されている画像情報とは異なる画像情報であって当該番組情報に含まれる各種画像情報のうちの少なくとも一の画像情報を前記表示部に出力する手段と、
を有することを特徴とする番組情報提供システム。
【請求項１８】
前記番組情報サーバは、
前記データベースに格納されている情報の更新の有無を監視する手段と、
前記データベースに格納されている情報の更新があれば、更新後の情報を前記データベースから取得し、取得した情報の中から更新された部分に係る情報である差分情報のみを抽出する手段と、
前記抽出した差分情報を前記放送受信装置に送信する手段と、
を有し、前記放送受信装置は、
前記差分情報を受信する手段と、
前記記憶部に記憶されている番組情報のうちから、前記受信した差分情報に係る番組情報を更新する手段と、
を有することを特徴とする請求項１６または請求項１７に記載の番組情報提供システム。
【請求項１９】
放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースを具備する番組情報サーバと、放送局から送信された放送情報を出力する放送受信装置とを有する番組情報提供システムであって、
前記番組情報サーバは、
前記データベースに格納されている編成情報に係る放送素材のうちの所定期間内の放送素材に係る番組情報を、前記データベースから抽出する抽出手段と、
前記抽出した番組情報を前記放送受信装置に送信する手段と、
を有し、前記放送受信装置は、
前記抽出した番組情報を受信する手段と、
前記受信した番組情報を記憶する記憶部と、
現在時刻に基づいて、前記記憶部に記憶されている番組情報のうちから、前記現在時刻に係る番組情報に含まれる少なくとも一の画像情報を放送局毎に抽出する抽出手段と、
前記放送局毎に抽出した画像情報を表示部に出力する出力部と、
現在時刻に基づいて抽出される番組情報に、前記表示部に表示する画像情報の表示に関する情報である選局画面情報が含まれているか否かを判断する手段と、
前記抽出された番組情報に選局画面情報が含まれていれば、当該選局画面情報に基づいて、前記放送局毎に抽出した画像情報であって当該選局画面情報に係る番組情報に含まれる画像情報を前記表示部に出力する選局画面表示制御手段と、
を有することを特徴とする番組情報提供システム。
【請求項２０】
放送番組の番組枠を構成する放送素材の放送日時を含み当該放送番組の番組枠を前記放送素材単位で特定する情報である編成情報を放送局毎に格納し、スキップ情報を含む前記放送素材に関連する情報である番組情報を当該放送素材に関連付けて格納するデータベースを具備する番組情報サーバと、放送局から送信された放送情報を出力する放送受信装置とを有する番組情報提供システムであって、
前記番組情報サーバは、
前記データベースに格納されている編成情報に係る放送素材のうちの所定期間内の放送素材に係る番組情報を、前記データベースから抽出する抽出手段と、
前記抽出した番組情報を前記放送受信装置に送信する手段と、
を有し、前記放送受信装置は、
放送局から受信した放送情報を記録する放送情報記録部と、
前記抽出した番組情報を受信する手段と、
前記受信した番組情報を記憶する番組情報記憶部と、
放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれるスキップ情報と、放送局から受信した放送情報とを対応させて前記放送情報記録部に記録する手段と、
前記放送情報記録部に記録された放送情報を再生する場合に、再生中の放送情報のうちの所定部分のスキップを指示するスキップ指示手段と、
前記放送情報記録部に記録された放送情報の再生中にスキップが指示された場合、当該スキップが指示された放送情報に対応して記録されているスキップ情報にスキップ禁止情報が含まれているか否かを判断する手段と、
当該スキップが指示された放送情報に対応して記録されているスキップ情報にスキップ禁止情報が含まれていれば、当該スキップが指示された放送情報のスキップを無効とする手段と、
を有することを特徴とする番組情報提供システム。
【請求項２１】
放送番組の番組枠を構成する放送素材の放送日時を含み当該放送番組の番組枠を前記放送素材単位で特定する情報である編成情報を放送局毎に格納し、視聴有効期間情報を含む前記放送素材に関連する情報である番組情報を当該放送素材に関連付けて格納するデータベースを具備する番組情報サーバと、放送局から送信された放送情報を出力する放送受信装置とを有する番組情報提供システムであって、
前記番組情報サーバは、
前記データベースに格納されている編成情報に係る放送素材のうちの所定期間内の放送素材に係る番組情報を、前記データベースから抽出する抽出手段と、
前記抽出した番組情報を前記放送受信装置に送信する手段と、
を有し、前記放送受信装置は、
放送局から受信した放送情報を記録する放送情報記録部と、
前記抽出した番組情報を受信する手段と、
前記受信した番組情報を記憶する番組情報記憶部と、
放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれる視聴有効期間情報と、放送局から受信した放送情報とを対応させて前記放送情報記録部に記録する手段と、
前記放送情報記録部に記録された放送情報を再生する場合に、再生中の放送情報に対応して記録されている視聴有効期間が経過したか否かを判断する手段と、
当該再生中の放送情報に対応して記録されている視聴有効期間が経過していれば、当該視聴有効期間が経過した放送情報をスキップする手段と、
を有することを特徴とする番組情報提供システム。
【請求項２２】
放送番組の番組枠を構成する放送素材の放送日時を含み当該放送番組の番組枠を前記放送素材単位で特定する情報である編成情報を放送局毎に格納し、視聴有効期間情報と差替え用識別情報とを含む前記放送素材に関連する情報である番組情報を当該放送素材に関連付けて格納するデータベースを具備する番組情報サーバと、放送局から送信された放送情報を出力する放送受信装置とを有する番組情報提供システムであって、
前記番組情報サーバは、
前記データベースに格納されている編成情報に係る放送素材のうちの所定期間内の放送素材に係る番組情報を、前記データベースから抽出する抽出手段と、
前記抽出した番組情報を前記放送受信装置に送信する手段と、
所定の差替え用識別情報が付与された差替え情報を前記放送受信装置に送信する手段と、
を有し、前記放送受信装置は、
放送局から受信した放送情報を記録する放送情報記録部と、
前記抽出した番組情報を受信する手段と、
前記受信した番組情報を記憶する番組情報記憶部と、
前記差替え情報を受信する手段と、
前記受信した差替え情報を記憶する差替え情報記憶部と、
放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれる視聴有効期間情報及び差替え用識別情報と、放送局から受信した放送情報とを対応させて前記放送情報記録部に記録する手段と、
前記放送情報記録部に記録された放送情報を再生する場合に、再生中の放送情報に対応して記録されている視聴有効期間が経過したか否かを判断する手段と、
当該再生中の放送情報に対応して記録されている視聴有効期間が経過していれば、当該視聴有効期間が経過した放送情報に対応して記録されている差替え用識別情報と同一の差替え用識別情報が付与された差替え情報を前記差替え情報記憶部から抽出する手段と、
前記視聴有効期間が経過した放送情報の代わりに、前記抽出した差替え情報を出力する手段と、
を有することを特徴とする番組情報提供システム。
【請求項２３】
放送番組の番組枠を構成する放送素材の放送日時を含み当該放送番組の番組枠を前記放送素材単位で特定する情報である編成情報を放送局毎に格納し、映像内容識別情報を含む前記放送素材に関連する情報である番組情報を当該放送素材に関連付けて格納するデータベースを具備する番組情報サーバと、放送局から送信された放送情報を出力する放送受信装置とを有する番組情報提供システムであって、
前記番組情報サーバは、
前記データベースに格納されている編成情報に係る放送素材のうちの所定期間内の放送素材に係る番組情報を、前記データベースから抽出する抽出手段と、
前記抽出した番組情報を前記放送受信装置に送信する手段と、
を有し、前記放送受信装置は、
放送局から受信した放送情報を記録する放送情報記録部と、
前記抽出した番組情報を受信する手段と、
前記受信した番組情報を記憶する番組情報記憶部と、
放送情報に関連する所望の映像内容の録画を指示する手段と、
前記番組情報記憶部に記憶されている番組情報のうちから、前記指示された映像内容に対応する映像内容識別情報を含む番組情報を抽出し、当該抽出した番組情報に係る放送情報の録画予約を設定する手段と、
を有することを特徴とする番組情報提供システム。
【請求項２４】
放送番組の番組枠を構成する放送素材の放送日時を含み当該放送番組の番組枠を前記放送素材単位で特定する情報である編成情報を放送局毎に格納し、映像内容識別情報を含む前記放送素材に関連する情報である番組情報を当該放送素材に関連付けて格納するデータベースを具備する番組情報サーバと、放送局から送信された放送情報を出力する放送受信装置とを有する番組情報提供システムであって、
前記番組情報サーバは、
前記データベースに格納されている編成情報に係る放送素材のうちの所定期間内の放送素材に係る番組情報を、前記データベースから抽出する抽出手段と、
前記抽出した番組情報を前記放送受信装置に送信する手段と、
を有し、前記放送受信装置は、
放送局から受信した放送情報を記録する放送情報記録部と、
前記抽出した番組情報を受信する手段と、
前記受信した番組情報を記憶する番組情報記憶部と、
放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれる映像内容識別情報と、放送局から受信した放送情報とを対応させて前記放送情報記録部に記録する手段と、
放送情報に関連する所望の映像内容の再生を指示する手段と、
前記放送情報記録部に記録された放送情報を再生する場合に、前記放送情報記録部に記録されている放送情報のうちから、前記指示された映像内容に対応する映像内容識別情報に対応して記録されている放送情報を抽出し、当該抽出した放送情報を再生する手段と、
を有することを特徴とする番組情報提供システム。
【請求項２５】
放送番組の番組枠を構成する放送素材の放送日時を含み当該放送番組の番組枠を前記放送素材単位で特定する情報である編成情報を放送局毎に格納し、映像内容識別情報を含む前記放送素材に関連する情報である番組情報を当該放送素材に関連付けて格納するデータベースを具備する番組情報サーバと、放送局から送信された放送情報を出力する放送受信装置とを有する番組情報提供システムであって、
前記番組情報サーバは、
前記データベースに格納されている編成情報に係る放送素材のうちの所定期間内の放送素材に係る番組情報を、前記データベースから抽出する抽出手段と、
前記抽出した番組情報を前記放送受信装置に送信する手段と、
を有し、前記放送受信装置は、
前記抽出した番組情報を受信する手段と、
前記受信した番組情報を記憶する番組情報記憶部と、
放送情報に関連する所望の映像内容の視聴を指示する手段と、
前記番組情報記憶部に記憶されている番組情報のうちから、前記指示された映像内容に対応する映像内容識別情報を含む番組情報を抽出し、当該抽出した番組情報に係る放送情報の表示予約を設定する手段と、
前記設定された表示予約に係る放送情報の放送開始日時になった場合に、当該表示予約に係る放送情報の放送開始日時になった旨を通知する手段と、
を有することを特徴とする番組情報提供システム。
【請求項２６】
複数の放送局から入力した放送に関する各種情報に基づいて放送局毎に複数作成されリアルタイムで更新される番組編成パターンであって、放送番組の番組枠を構成する放送素材の放送日時を含み当該放送番組の番組枠を前記放送素材単位で特定する情報である編成情報を含む番組編成パターンを格納し、前記複数の放送局から入力した情報であって前記放送素材に関連する情報である番組情報を当該放送素材に関連付けて格納するデータベースを具備する番組情報サーバと、放送局から送信された放送情報を出力する放送受信装置とを有する番組情報提供システムにおける番組情報提供方法であって、
前記番組情報サーバが、前記入力した放送局からの情報に基づいて、前記データベースに格納されている複数の番組編成パターンの中から放送局毎に一の番組編成パターンを選択するステップと、
前記放送受信装置が、放送局から送信された放送情報に係るチャネルを選択するチャネル選択ステップと、
前記放送受信装置が、前記放送受信装置で出力されている放送情報に関する所定の情報である所定情報の取得を指示する番組情報取得指示ステップと、
前記放送受信装置が、前記番組情報取得指示ステップで所定情報の取得が指示されると、前記所定情報の取得を要求する番組情報取得要求情報と共に、当該取得の指示の際に出力されていた放送情報に係るチャネル情報を、前記番組情報サーバに送信するステップと、
前記番組情報サーバが、前記チャネル情報と前記番組情報取得要求情報とを前記放送受信装置から受信するステップと、
前記番組情報サーバが、前記選択された番組編成パターンに係る放送素材であって前記受信したチャネル情報と前記受信した時刻とに係る放送素材に関連付けて前記データベースに格納されている番組情報を、前記データベースから抽出する抽出ステップと、
前記番組情報サーバが、前記番組情報取得要求情報を送信した放送受信装置に、前記抽出した番組情報を送信するステップと、
前記放送受信装置が、前記送信した番組情報取得要求情報に係る番組情報を前記番組情報サーバから受信するステップと、
前記放送受信装置が、前記受信した番組情報を出力する番組情報出力ステップと、
を有することを特徴とする番組情報提供方法。
【請求項２７】
放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースを具備する番組情報サーバのコンピュータに実行させるプログラムであって、
放送局から送信された放送情報を出力する放送受信装置のチャネル選択に係るチャネル情報を通信装置から受信する手順と、
現在時刻に基づいて、現在時刻と前記受信したチャネル情報とに係る放送素材に関連付けて前記データベースに格納されている番組情報を、前記データベースから抽出する抽出手順と、
前記チャネル情報を送信した通信装置に、前記抽出した番組情報を送信する手順と、
をコンピュータに実行させるプログラム。
【請求項２８】
放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースを具備する番組情報サーバのコンピュータに実行させるプログラムであって、
放送局から送信された放送情報を出力する放送受信装置のチャネル選択に係るチャネル情報と、前記放送受信装置で出力されている放送情報に関する所定の情報である所定情報の取得を要求する番組情報取得要求情報とを、前記放送受信装置から受信する手順と、
前記受信したチャネル情報と前記受信した時刻とに係る放送素材に関連付けて前記データベースに格納されている番組情報を、前記データベースから抽出する抽出手順と、
前記番組情報取得要求情報を送信した放送受信装置に、前記抽出した番組情報を送信する手順と、
をコンピュータに実行させるプログラム。
【請求項２９】
放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースを具備する番組情報サーバとの間で各種情報を通信する放送受信装置であって、
放送局から送信された放送情報に係るチャネルを選択するチャネル選択手段と、
前記放送受信装置で出力されている放送情報に関する所定の情報である所定情報の取得を指示する番組情報取得指示手段と、
前記番組情報取得指示手段によって所定情報の取得が指示されると、前記所定情報の取得を要求する番組情報取得要求情報と共に、当該取得の指示の際に出力されていた放送情報に係るチャネル情報を、前記番組情報サーバに送信する手段と、
前記送信したチャネル情報と当該チャネル情報の受信時刻とに係る放送素材に関連付けて前記データベースに格納されている番組情報を、前記番組情報サーバから受信する手段と、
前記受信した番組情報を出力する番組情報出力手段と、
を有することを特徴とする放送受信装置。
【請求項３０】
前記放送素材が番組宣伝に係る場合、当該番組宣伝に係る放送番組についてのチャネル情報及び放送開始日時が当該放送素材に関連付けられ、当該放送素材に係る番組情報は、当該放送番組に係るチャネル情報と放送開始日時とを含み、
前記受信した番組情報が番組宣伝に係る場合、当該番組情報に係る放送番組の放送開始日時または放送開始日時の所定時間前になった旨を通知する第１の通知手段と、
前記第１の通知手段によって通知がされている番組情報に係る放送番組の視聴を指示する第１の視聴指示手段と、
前記第１の通知手段によって通知がされている場合に、前記第１の視聴指示手段によって視聴を指示されると、前記通知されている番組情報に係るチャネルを選択する手段と、
を有することを特徴とする請求項２９に記載の放送受信装置。
【請求項３１】
前記放送素材が番組宣伝に係る場合、当該番組宣伝に係る放送番組についてのチャネル情報及び放送開始日時及び放送終了日時が当該放送素材に関連付けられ、当該放送素材に係る番組情報は、当該放送番組に係るチャネル情報と放送開始日時と放送終了日時とを含み、
放送局から送信された放送情報を録画する録画再生装置であり、前記受信した番組情報が番組宣伝に係る場合、当該番組情報に基づいて、当該番組情報に係る放送番組の録画予約を設定する手段を有することを特徴とする請求項２９または請求項３０に記載の放送受信装置。
【請求項３２】
前記受信した番組情報が番組宣伝に係る場合において、当該番組情報に係る放送番組の放送終了時刻から所定時間経過後、または、１日のうちの所定の時刻になった場合に、当該放送番組が録画されている旨を通知する第２の通知手段と、
前記第２の通知手段によって通知がされている放送番組の視聴を指示する第２の視聴指示手段と、
前記第２の通知手段によって通知されている場合に、前記第２の視聴指示手段によって視聴を指示されると、前記通知されている放送番組を再生する手段と、
を有することを特徴とする請求項３１に記載の放送受信装置。
【請求項３３】
放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースを具備する番組情報サーバとの間で各種情報を通信する放送受信装置であって、
前記編成情報に係る放送素材のうちの所定期間内の放送素材に係る番組情報を前記番組情報サーバから受信する手段と、
前記受信した番組情報を記憶する記憶部と、
放送局から送信された放送情報に係るチャネルを選択するチャネル選択手段と、
現在出力されている放送情報に関する所定の情報である所定情報の取得を指示する番組情報取得指示手段と、
前記番組情報取得指示手段によって所定情報の取得が指示されると、前記記憶部に記憶されている番組情報のうちから、前記指示された時刻と前記指示された際に出力されていた放送情報に係るチャネルとに係る番組情報を抽出する抽出手段と、
前記抽出した番組情報を出力する出力手段と、
を有することを特徴とする放送受信装置。
【請求項３４】
放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースを具備する番組情報サーバとの間で各種情報を通信する放送受信装置であって、
前記編成情報に係る放送素材のうちの所定期間内の放送素材に係る番組情報を前記番組情報サーバから受信する手段と、
前記受信した番組情報を記憶する記憶部と、
現在時刻に基づいて、前記記憶部に記憶されている番組情報のうちから、前記現在時刻に係る番組情報に含まれる少なくとも一の画像情報を放送局毎に抽出する抽出手段と、
前記放送局毎に抽出した画像情報を表示部に出力する出力部と、
前記表示部に表示されている放送局毎の画像情報のうちから、少なくとも一の画像情報を選択する手段と、
前記選択された画像情報に係る番組情報に含まれるチャネル情報に係る放送情報を出力すると共に、前記表示部に表示されている画像情報とは異なる画像情報であって当該番組情報に含まれる各種画像情報のうちの少なくとも一の画像情報を前記表示部に出力する手段と、
を有することを特徴とする放送受信装置。
【請求項３５】
放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースを具備する番組情報サーバとの間で各種情報を通信する放送受信装置であって、
前記編成情報に係る放送素材のうちの所定期間内の放送素材に係る番組情報を前記番組情報サーバから受信する手段と、
前記受信した番組情報を記憶する記憶部と、
現在時刻に基づいて、前記記憶部に記憶されている番組情報のうちから、前記現在時刻に係る番組情報に含まれる少なくとも一の画像情報を放送局毎に抽出する抽出手段と、
前記放送局毎に抽出した画像情報を表示部に出力する出力部と、
現在時刻に基づいて抽出される番組情報に、前記表示部に表示する画像情報の表示に関する情報である選局画面情報が含まれているか否かを判断する手段と、
前記抽出された番組情報に選局画面情報が含まれていれば、当該選局画面情報に基づいて、前記放送局毎に抽出した画像情報であって当該選局画面情報に係る番組情報に含まれる画像情報を前記表示部に出力する選局画面表示制御手段と、
を有することを特徴とする放送受信装置。
【請求項３６】
放送番組の番組枠を構成する放送素材の放送日時を含み当該放送番組の番組枠を前記放送素材単位で特定する情報である編成情報を放送局毎に格納し、スキップ情報を含む前記放送素材に関連する情報である番組情報を当該放送素材に関連付けて格納するデータベースを具備する番組情報サーバとの間で各種情報を通信する放送受信装置であって、
放送局から受信した放送情報を記録する放送情報記録部と、
前記編成情報に係る放送素材のうちの所定期間内の放送素材に係る番組情報を前記番組情報サーバから受信する手段と、
前記受信した番組情報を記憶する番組情報記憶部と、
放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれるスキップ情報と、放送局から受信した放送情報とを対応させて前記放送情報記録部に記録する手段と、
前記放送情報記録部に記録された放送情報を再生する場合に、再生中の放送情報のうちの所定部分のスキップを指示するスキップ指示手段と、
前記記録部に記録された放送情報の再生中にスキップが指示された場合、当該スキップが指示された放送情報に対応して記録されているスキップ情報にスキップ禁止情報が含まれているか否かを判断する手段と、
当該スキップが指示された放送情報に対応して記録されているスキップ情報にスキップ禁止情報が含まれていれば、当該スキップが指示された放送情報のスキップを無効とする手段と、
を有することを特徴とする放送受信装置。
【請求項３７】
放送番組の番組枠を構成する放送素材の放送日時を含み当該放送番組の番組枠を前記放送素材単位で特定する情報である編成情報を放送局毎に格納し、視聴有効期間情報を含む前記放送素材に関連する情報である番組情報を当該放送素材に関連付けて格納するデータベースを具備する番組情報サーバとの間で各種情報を通信する放送受信装置であって、
放送局から受信した放送情報を記録する放送情報記録部と、
前記編成情報に係る放送素材のうちの所定期間内の放送素材に係る番組情報を前記番組情報サーバから受信する手段と、
前記受信した番組情報を記憶する番組情報記憶部と、
放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれる視聴有効期間情報と、放送局から受信した放送情報とを対応させて前記放送情報記録部に記録する手段と、
前記放送情報記録部に記録された放送情報を再生する場合に、再生中の放送情報に対応して記録されている視聴有効期間が経過したか否かを判断する手段と、
当該再生中の放送情報に対応して記録されている視聴有効期間が経過していれば、当該視聴有効期間が経過した放送情報をスキップする手段と、
を有することを特徴とする放送受信装置。
【請求項３８】
放送番組の番組枠を構成する放送素材の放送日時を含み当該放送番組の番組枠を前記放送素材単位で特定する情報である編成情報を放送局毎に格納し、視聴有効期間情報と差替え用識別情報とを含む前記放送素材に関連する情報である番組情報を当該放送素材に関連付けて格納するデータベースを具備する番組情報サーバとの間で各種情報を通信する放送受信装置であって、
放送局から受信した放送情報を記録する放送情報記録部と、
前記編成情報に係る放送素材のうちの所定期間内の放送素材に係る番組情報を前記番組情報サーバから受信する手段と、
前記受信した番組情報を記憶する番組情報記憶部と、
所定の差替え用識別情報が付与された差替え情報を前記番組情報サーバから受信する手段と、
前記受信した差替え情報を記憶する差替え情報記憶部と、
放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれる視聴有効期間情報及び差替え用識別情報と、放送局から受信した放送情報とを対応させて前記放送情報記録部に記録する手段と、
前記放送情報記録部に記録された放送情報を再生する場合に、当該再生中の放送情報に対応して記録されている視聴有効期間が経過したか否かを判断する手段と、
当該再生中の放送情報に対応して記録されている視聴有効期間が経過していれば、当該視聴有効期間が経過した放送情報に対応して記録されている差替え用識別情報と同一の差替え用識別情報が付与された差替え情報を前記差替え情報記憶部から抽出する手段と、
前記視聴有効期間が経過した放送情報の代わりに、前記抽出した差替え情報を出力する手段と、
を有することを特徴とする放送受信装置。
【請求項３９】
放送番組の番組枠を構成する放送素材の放送日時を含み当該放送番組の番組枠を前記放送素材単位で特定する情報である編成情報を放送局毎に格納し、映像内容識別情報を含む前記放送素材に関連する情報である番組情報を当該放送素材に関連付けて格納するデータベースを具備する番組情報サーバの間で各種情報を通信する放送受信装置であって、
放送局から受信した放送情報を記録する放送情報記録部と、
前記編成情報に係る放送素材のうちの所定期間内の放送素材に係る番組情報を前記番組情報サーバから受信する手段と、
前記受信した番組情報を記憶する番組情報記憶部と、
放送情報に関連する所望の映像内容を指定する手段と、
前記番組情報記憶部に記憶されている番組情報のうちから、前記指定された映像内容に対応する映像内容識別情報を含む番組情報を抽出し、当該抽出した番組情報に係る放送情報の録画予約を設定する手段と、
を有することを特徴とする放送受信装置。
【請求項４０】
放送番組の番組枠を構成する放送素材の放送日時を含み当該放送番組の番組枠を前記放送素材単位で特定する情報である編成情報を放送局毎に格納し、映像内容識別情報を含む前記放送素材に関連する情報である番組情報を当該放送素材に関連付けて格納するデータベースを具備する番組情報サーバの間で各種情報を通信する放送受信装置であって、
放送局から受信した放送情報を記録する放送情報記録部と、
前記編成情報に係る放送素材のうちの所定期間内の放送素材に係る番組情報を前記番組情報サーバから受信する手段と、
前記受信した番組情報を記憶する番組情報記憶部と、
放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれる映像内容識別情報と、放送局から受信した放送情報とを対応させて前記放送情報記録部に記録する手段と、
放送情報に関連する所望の映像内容の再生を指示する手段と、
前記放送情報記録部に記録された放送情報を再生する場合に、前記放送情報記録部に記録されている放送情報のうちから、前記指示された映像内容に対応する映像内容識別情報に対応して記録されている放送情報を抽出し、当該抽出した放送情報を再生する手段と、
を有することを特徴とする放送受信装置。
【請求項４１】
放送番組の番組枠を構成する放送素材の放送日時を含み当該放送番組の番組枠を前記放送素材単位で特定する情報である編成情報を放送局毎に格納し、映像内容識別情報を含む前記放送素材に関連する情報である番組情報を当該放送素材に関連付けて格納するデータベースを具備する番組情報サーバの間で各種情報を通信する放送受信装置であって、
放送局から受信した放送情報を記録する放送情報記録部と、
前記編成情報に係る放送素材のうちの所定期間内の放送素材に係る番組情報を前記番組情報サーバから受信する手段と、
前記受信した番組情報を記憶する番組情報記憶部と、
放送情報に関連する所望の映像内容を指定する手段と、
前記番組情報記憶部に記憶されている番組情報のうちから、前記指定された映像内容に対応する映像内容識別情報を含む番組情報を抽出し、当該抽出した番組情報に係る放送情報の通知予約を設定する手段と、
前記設定された表示予約に係る放送情報の放送開始日時または放送開始日時の所定時間前になった場合に、当該表示予約に係る放送情報の放送開始日時になった旨を通知する手段と、
を有することを特徴とする放送受信装置。
【請求項４２】
前記放送受信装置は、映像視聴装置であることを特徴とする請求項２９〜４１のいずれか１項に記載の放送受信装置。
【発明の詳細な説明】
【技術分野】
【０００１】
本発明は、テレビ受像機、録画再生装置等の放送受信装置を利用して、テレビ放送されている番組や番組宣伝、ＣＭ等に関する情報を取得する番組情報サーバ、番組情報提供システム、番組情報提供方法及び放送受信装置に関する。
【背景技術】
【０００２】
従来は、テレビ番組の宣伝をする場合、テレビ番組に関する雑誌や新聞紙等の紙媒体にテレビ番組の広告を掲載してテレビ番組の宣伝をしている。また、テレビ放送を利用してテレビ放送の一部でテレビ番組の宣伝をしている。
【０００３】
紙媒体を利用してテレビ番組の宣伝をする場合、紙媒体に掲載されたテレビ番組の広告はその一覧性が優れているので、視聴者がテレビ番組を視覚的に把握することが容易である。たとえば、紙媒体に掲載されたテレビ番組に視聴者が興味を持ち、そのテレビ番組の視聴を所望する場合、所望のテレビ番組の放送開始時刻とチャネルとを視聴者が紙媒体から取得し、取得した放送開始時刻とチャネルとを使用して所望のテレビ番組を視聴する。
【０００４】
具体的には、紙媒体から取得した放送開始時刻とチャネルとを視聴者が記憶しておき、その放送開始時刻になったらテレビのチャネルを記憶したチャネルにして、所望のテレビ番組を視聴者が見ることができる。または、取得した放送開始時刻とチャネルとを利用して視聴者がビデオテープレコーダに録画予約し、録画した所望のテレビ番組を視聴者が見ることができる。
【０００５】
上記のように、実際の放送開始時刻に視聴する場合には、所望のテレビ番組と共に放送開始時刻とチャネルとを視聴者がその放送開始時刻まで覚えておく必要がある。なお、最近は、デジタル放送が始まり、多数のテレビ番組が存在しテレビ番組の宣伝も多いので、一度興味を持ったテレビ番組に対する視聴者の興味が時間の経過と共に薄れ、一度興味を持ったテレビ番組の存在自体を忘れる場合も多い。
【０００６】
そうすると、紙媒体を利用して実際の放送開始時刻に視聴する視聴者にテレビ番組の宣伝をする場合、宣伝によってテレビ番組に興味を持たせたとしても、時間の経過と共に視聴者が忘れてしまい、一度興味を持ったテレビ番組を視聴しないことも多く、テレビ番組の宣伝効果が低いという問題がある。
【０００７】
また、録画した所望のテレビ番組を視聴者が視聴する場合、録画予約が必要であり、この録画予約が煩雑であるという問題がある。この問題を解決するために、バーコードまたは識別番号を利用して録画予約の操作を容易に行うことができる録画予約装置が存在する。
【０００８】
しかし、現在は、多数のチャネルが存在し、テレビ番組の数自体が多いので、所望のテレビ番組を視聴者が録画予約できたとしても、録画された所望のテレビ番組の存在を視聴者が忘れてしまうことがあり、宣伝によって興味を持たれたテレビ番組が録画されたにも係わらず、視聴者が実際に見ない場合も多いという問題がある。
【０００９】
また、最近は、多数のテレビ番組を録画することができるＤＶＤレコーダ等の大容量録画再生装置が存在するので、この録画再生装置を使用して興味を持ったテレビ番組をその都度録画予約することが考えられる。
【００１０】
しかし、興味を持ったテレビ番組をその都度録画する場合は、録画されるテレビ番組の数が多いので、興味を持ったテレビ番組を実際に視聴する場合には、テレビ番組の検索が煩雑である。このため、宣伝によって興味を持たれたテレビ番組が録画されたにも係わらず、視聴者が実際に見ない場合も多いという問題がある。
【００１１】
つまり、紙媒体を利用してテレビ番組の宣伝をする場合、テレビ番組の一覧性が優れ、視聴者がテレビ番組を視覚的に把握することが容易であるが、テレビ番組の宣伝効率が悪いという問題がある。
【００１２】
一方、テレビ放送を利用してテレビ番組の宣伝をする場合、比較的多数の視聴者にテレビ番組の宣伝を視聴させることができるという効果がある。しかし、テレビの放送中に流れるテレビ番組の宣伝は放送時間が短いものが多いので、宣伝したテレビ番組に対して多数の視聴者に興味を持たせることができたとしても、テレビ番組名等を視聴者の記憶に残すことができない場合が多い。また、テレビ番組名等を記憶したとしても、テレビ番組の放送開始時刻とチャネルとを視聴者が記憶できないことも多い。
【００１３】
つまり、テレビ放送を利用してテレビ番組の宣伝をする場合、比較的多数の視聴者にテレビ番組の宣伝を視聴させることができ、多数の視聴者に興味を持たせることができるにもかかわらず、視聴者が実際に見ることができない場合が多く、テレビ番組の宣伝効率が悪いという問題がある。
【００１４】
なお、本発明に関連する発明として、特許文献１には、文字・画像表示部を備えた携帯電話やＰＨＳ等の移動体通信端末とテレビ受像機・録画装置のリモコンとを一体化させた高機能携帯端末と、テレビ放送番組用表とテレビ放送番組に関連する情報とを含むテレビ番組関連情報を格納したデータベースとで構成された通信システムが開示されている。また、高機能携帯端末の表示部にテレビ番組関連情報を表示させ、このテレビ番組関連情報を利用して、テレビ番組の選択を効率的に行うことができる旨が記載されている。
【００１５】
また、特許文献２には、ユーザがテレビのチャネルを選択又は変更した場合に、テレビ受像機に対してチャネルの選局に関する無線信号を携帯端末が送信し、前記チャネルを選択又は変更に応じて、ユーザ識別情報又は現在位置に関する情報とチャネルの選局に関する情報とを含む番組関連情報取得要求をサーバに対して携帯端末が送信し、このサーバからの番組関連情報を携帯端末が受信すると、受信した番組関連情報を携帯端末の表示装置に表示する番組関連情報提供システムが開示されている。また、サーバから受信した番組関連情報を利用して、ショッピング等を行うことができる旨が記載されている。
しかし、特許文献１、２に記載の技術は、テレビ番組の選択や現在放送中のテレビ番組に関連する情報の取得を行うことはできるが、テレビ番組放送中に流れるＣＭや他の番組の宣伝ＣＭ等の放送素材レベルの情報を特定できないので、テレビ番組に一度興味を持った視聴者をその後実際の視聴行動に結びつけることができず、テレビ番組の宣伝を効率的に行えないという問題がある。
【特許文献１】特開２００２−１３５８１０号公報
【特許文献２】特開２００３−１６９３５２号公報
【発明の開示】
【発明が解決しようとする課題】
【００１６】
一般的に、テレビ番組の視聴者は受身的である場合が多く、宣伝によって視覚的にテレビ番組に興味を持つことは多い。しかし、その興味はすぐに失われてしまうことが多い。
【００１７】
つまり、テレビ番組の宣伝をして視聴者に興味を持たれたとしても、時間の経過と共にその興味が薄れる場合が多い。このため、テレビ番組の宣伝をする場合には、宣伝によってテレビ番組に一度興味を持った視聴者を実際の視聴行動に結びつけることが重要である。
【００１８】
したがって、テレビ番組の宣伝をする場合には、視聴者に対してテレビ番組そのものを認知させる告知力と、認知されたテレビ番組の視聴欲求が出た瞬間に視聴者にそのテレビ番組に関する情報を提供でき、さらに視聴欲求を維持し続ける訴求力とが重要である。
【００１９】
本発明は、テレビ番組の宣伝をする場合に、テレビ番組に一度興味を持った視聴者を実際の視聴行動に結びつけることができ、テレビ番組の宣伝効率を飛躍的に高めることができる番組情報サーバ、番組情報提供システム、番組情報提供方法及び放送受信装置を提供することを目的とする。
また、本発明は、テレビ放送を利用して、番組宣伝やＣＭをする場合に、番組宣伝やＣＭ等の宣伝効率を飛躍的に高めることができる番組情報サーバ、番組情報提供システム、番組情報提供方法及び放送受信装置を提供することを目的とする。
【課題を解決するための手段】
【００２０】
本発明は、放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースと、放送局から送信された放送情報を出力する放送受信装置のチャネル選択に係るチャネル情報を通信装置から受信する手段と、現在時刻に基づいて、現在時刻と前記受信したチャネル情報とに係る放送素材に関連付けて前記データベースに格納されている番組情報を、前記データベースから抽出する抽出手段と、前記チャネル情報を送信した通信装置に、前記抽出した番組情報を送信する手段とを有することを特徴とする番組情報サーバ、これを用いる番組情報提供システム、番組情報提供方法及び放送受信装置である。
本発明は、放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースと、放送局から送信された放送情報を出力する放送受信装置のチャネル選択に係るチャネル情報と、前記放送受信装置で出力されている放送情報に関する所定の情報である所定情報の取得を要求する番組情報取得要求情報とを、前記放送受信装置から受信する手段と、前記受信したチャネル情報と前記受信した時刻とに係る放送素材に関連付けて前記データベースに格納されている番組情報を、前記データベースから抽出する抽出手段と、前記番組情報取得要求情報を送信した放送受信装置に、前記抽出した番組情報を送信する手段とを有することを特徴とする番組情報サーバ、これを用いる番組情報提供システム、番組情報提供方法及び放送受信装置である。
本発明は、放送に関する各種情報を複数の放送局から入力する番組情報サーバと、放送局から送信された放送情報を出力する放送受信装置とを有する番組情報提供システムであって、前記番組情報サーバは、前記複数の放送局から入力した情報に基づいて放送局毎に複数作成されリアルタイムで更新される番組編成パターンであって、放送番組の番組枠を構成する放送素材の放送日時を含み当該放送番組の番組枠を前記放送素材単位で特定する情報である編成情報を含む番組編成パターンを格納し、前記複数の放送局から入力した情報であって前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段と、前記放送受信装置のチャネル選択に係るチャネル情報と、前記放送受信装置で出力されている放送情報に関する所定の情報である所定情報の取得を要求する番組情報取得要求情報とを、前記放送受信装置から受信する手段と、前記選択された番組編成パターンに係る放送素材であって前記受信したチャネル情報と前記受信した時刻とに係る放送素材に関連付けて前記データベースに格納されている番組情報を、前記データベースから抽出する抽出手段と、前記番組情報取得要求情報を送信した放送受信装置に、前記抽出した番組情報を送信する手段とを有し、前記放送受信装置は、放送局から送信された放送情報に係るチャネルを選択するチャネル選択手段と、前記所定情報の取得を指示する番組情報取得指示手段と、前記番組情報取得指示手段によって所定情報の取得が指示されると、前記番組情報取得要求情報と共に、当該取得の指示の際に出力されていた放送情報に係るチャネル情報を、前記番組情報サーバに送信する手段と、前記送信した番組情報取得要求情報に係る番組情報を前記番組情報サーバから受信する手段と、前記受信した番組情報を出力する番組情報出力手段とを有することを特徴とする番組情報提供システム、これに用いられる番組情報サーバ、番組情報提供方法及び放送受信装置である。
本発明は、放送に関する各種情報を複数の放送局から入力する番組情報サーバと、放送局から送信された放送情報を出力する放送受信装置とを有する番組情報提供システムであって、前記番組情報サーバは、前記複数の放送局から入力した情報に基づいて放送局毎に複数作成されリアルタイムで更新される番組編成パターンであって、放送番組の番組枠を構成する放送素材の放送日時を含み当該放送番組の番組枠を前記放送素材単位で特定する情報である編成情報を含む番組編成パターンを格納し、前記複数の放送局から入力した情報であって前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段と、前記選択された番組編成パターンに係る放送素材のうちの所定期間内の放送素材に係る番組情報を前記データベースから抽出する抽出手段と、前記抽出した番組情報を前記放送受信装置に送信する手段とを有し、前記放送受信装置は、前記抽出した番組情報を受信する手段と、前記受信した番組情報を記憶する記憶部と、放送局から送信された放送情報に係るチャネルを選択するチャネル選択手段と、現在出力されている放送情報に関する所定の情報である所定情報の取得を指示する番組情報取得指示手段と、前記番組情報取得指示手段によって所定情報の取得が指示されると、前記記憶部に記憶されている番組情報のうちから、前記指示された時刻と前記指示された際に出力されていた放送情報に係るチャネルとに係る番組情報を抽出する抽出手段と、前記抽出した番組情報を出力する番組情報出力手段とを有することを特徴とする番組情報提供システム、これに用いられる番組情報サーバ、番組情報提供方法及び放送受信装置である。
本発明は、放送に関する各種情報を複数の放送局から入力する番組情報サーバと、放送局から送信された放送情報を出力する放送受信装置とを有する番組情報提供システムであって、前記番組情報サーバは、前記複数の放送局から入力した情報に基づいて放送局毎に複数作成されリアルタイムで更新される番組編成パターンであって、放送番組の番組枠を構成する放送素材の放送日時を含み当該放送番組の番組枠を前記放送素材単位で特定する情報である編成情報を含む番組編成パターンを格納し、前記複数の放送局から入力した情報であって放送内容に関する各種画像情報と前記放送受信装置のチャネル選択に係るチャネル情報とを含む前記放送素材に関連する情報である番組情報を当該放送素材に関連付けて格納するデータベースと、前記入力した放送局からの情報に基づいて、前記データベースに格納されている複数の番組編成パターンの中から放送局毎に一の番組編成パターンを選択する手段と、前記選択された番組編成パターンに係る放送素材のうちの所定期間内の放送素材に係る番組情報を前記データベースから抽出する抽出手段と、前記抽出した番組情報を前記放送受信装置に送信する手段とを有し、前記放送受信装置は、前記抽出した番組情報を受信する手段と、前記受信した番組情報を記憶する記憶部と、現在時刻に基づいて、前記記憶部に記憶されている番組情報のうちから、前記現在時刻に係る番組情報に含まれる少なくとも一の画像情報を放送局毎に抽出する抽出手段と、前記放送局毎に抽出した画像情報を表示部に出力する手段と、前記表示部に表示されている放送局毎の画像情報のうちから、少なくとも一の画像情報を選択する手段と、前記選択された画像情報に係る番組情報に含まれるチャネル情報に係る放送情報を出力すると共に、前記表示部に表示されている画像情報とは異なる画像情報であって当該番組情報に含まれる各種画像情報のうちの少なくとも一の画像情報を前記表示部に出力する手段とを有することを特徴とする番組情報提供システム、これに用いられる番組情報サーバ、番組情報提供方法及び放送受信装置である。
【００２１】
本発明は、放送番組の番組枠を構成する放送素材の放送日時を含み当該放送番組の番組枠を前記放送素材単位で特定する情報である編成情報を放送局毎に格納し、前記放送素材に関連する情報である番組情報を当該放送素材に関連付けて格納するデータベースを具備する番組情報サーバと、放送局から送信された放送情報を出力する放送受信装置とを有する番組情報提供システムであって、前記番組情報サーバは、前記データベースに格納されている編成情報に係る放送素材のうちの所定期間内の放送素材に係る番組情報を、前記データベースから抽出する抽出手段と、前記抽出した番組情報を前記放送受信装置に送信する手段とを有し、前記放送受信装置は、前記抽出した番組情報を受信する手段と、前記受信した番組情報を記憶する記憶部と、現在時刻に基づいて、前記記憶部に記憶されている番組情報のうちから、前記現在時刻に係る番組情報に含まれる少なくとも一の画像情報を放送局毎に抽出する抽出手段と、前記放送局毎に抽出した画像情報を表示部に出力する出力部と、現在時刻に基づいて抽出される番組情報に、前記表示部に表示する画像情報の表示に関する情報である選局画面情報が含まれているか否かを判断する手段と、前記抽出された番組情報に選局画面情報が含まれていれば、当該選局画面情報に基づいて、前記放送局毎に抽出した画像情報であって当該選局画面情報に係る番組情報に含まれる画像情報を前記表示部に出力する選局画面表示制御手段とを有することを特徴とする番組情報提供システム、これに用いられる番組情報サーバ、番組情報提供方法及び放送受信装置である。
本発明は、放送番組の番組枠を構成する放送素材の放送日時を含み当該放送番組の番組枠を前記放送素材単位で特定する情報である編成情報を放送局毎に格納し、スキップ情報を含む前記放送素材に関連する情報である番組情報を当該放送素材に関連付けて格納するデータベースを具備する番組情報サーバと、放送局から送信された放送情報を出力する放送受信装置とを有する番組情報提供システムであって、前記番組情報サーバは、前記データベースに格納されている編成情報に係る放送素材のうちの所定期間内の放送素材に係る番組情報を、前記データベースから抽出する抽出手段と、前記抽出した番組情報を前記放送受信装置に送信する手段とを有し、前記放送受信装置は、放送局から受信した放送情報を記録する放送情報記録部と、前記抽出した番組情報を受信する手段と、前記受信した番組情報を記憶する番組情報記憶部と、放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれるスキップ情報と、放送局から受信した放送情報とを対応させて前記放送情報記録部に記録する手段と、前記放送情報記録部に記録された放送情報を再生する場合に、再生中の放送情報のうちの所定部分のスキップを指示するスキップ指示手段と、前記放送情報記録部に記録された放送情報の再生中にスキップが指示された場合、当該スキップが指示された放送情報に対応して記録されているスキップ情報にスキップ禁止情報が含まれているか否かを判断する手段と、当該スキップが指示された放送情報に対応して記録されているスキップ情報にスキップ禁止情報が含まれていれば、当該スキップが指示された放送情報のスキップを無効とする手段とを有することを特徴とする番組情報提供システム、これに用いられる番組情報サーバ、番組情報提供方法及び放送受信装置である。
本発明は、放送番組の番組枠を構成する放送素材の放送日時を含み当該放送番組の番組枠を前記放送素材単位で特定する情報である編成情報を放送局毎に格納し、視聴有効期間情報を含む前記放送素材に関連する情報である番組情報を当該放送素材に関連付けて格納するデータベースを具備する番組情報サーバと、放送局から送信された放送情報を出力する放送受信装置とを有する番組情報提供システムであって、前記番組情報サーバは、前記データベースに格納されている編成情報に係る放送素材のうちの所定期間内の放送素材に係る番組情報を、前記データベースから抽出する抽出手段と、前記抽出した番組情報を前記放送受信装置に送信する手段とを有し、前記放送受信装置は、放送局から受信した放送情報を記録する放送情報記録部と、前記抽出した番組情報を受信する手段と、前記受信した番組情報を記憶する番組情報記憶部と、放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれる視聴有効期間情報と、放送局から受信した放送情報とを対応させて前記放送情報記録部に記録する手段と、前記放送情報記録部に記録された放送情報を再生する場合に、再生中の放送情報に対応して記録されている視聴有効期間が経過したか否かを判断する手段と、当該再生中の放送情報に対応して記録されている視聴有効期間が経過していれば、当該視聴有効期間が経過した放送情報をスキップする手段とを有することを特徴とする番組情報提供システム、これに用いられる番組情報サーバ、番組情報提供方法及び放送受信装置である。
本発明は、放送番組の番組枠を構成する放送素材の放送日時を含み当該放送番組の番組枠を前記放送素材単位で特定する情報である編成情報を放送局毎に格納し、視聴有効期間情報と差替え用識別情報とを含む前記放送素材に関連する情報である番組情報を当該放送素材に関連付けて格納するデータベースを具備する番組情報サーバと、放送局から送信された放送情報を出力する放送受信装置とを有する番組情報提供システムであって、前記番組情報サーバは、前記データベースに格納されている編成情報に係る放送素材のうちの所定期間内の放送素材に係る番組情報を、前記データベースから抽出する抽出手段と、前記抽出した番組情報を前記放送受信装置に送信する手段と、所定の差替え用識別情報が付与された差替え情報を前記放送受信装置に送信する手段とを有し、前記放送受信装置は、放送局から受信した放送情報を記録する放送情報記録部と、前記抽出した番組情報を受信する手段と、前記受信した番組情報を記憶する番組情報記憶部と、前記差替え情報を受信する手段と、前記受信した差替え情報を記憶する差替え情報記憶部と、放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれる視聴有効期間情報及び差替え用識別情報と、放送局から受信した放送情報とを対応させて前記放送情報記録部に記録する手段と、前記放送情報記録部に記録された放送情報を再生する場合に、再生中の放送情報に対応して記録されている視聴有効期間が経過したか否かを判断する手段と、当該再生中の放送情報に対応して記録されている視聴有効期間が経過していれば、当該視聴有効期間が経過した放送情報に対応して記録されている差替え用識別情報と同一の差替え用識別情報が付与された差替え情報を前記差替え情報記憶部から抽出する手段と、前記視聴有効期間が経過した放送情報の代わりに、前記抽出した差替え情報を出力する手段とを有することを特徴とする番組情報提供システム、これに用いられる番組情報サーバ、番組情報提供方法及び放送受信装置である。
本発明は、放送番組の番組枠を構成する放送素材の放送日時を含み当該放送番組の番組枠を前記放送素材単位で特定する情報である編成情報を放送局毎に格納し、映像内容識別情報を含む前記放送素材に関連する情報である番組情報を当該放送素材に関連付けて格納するデータベースを具備する番組情報サーバと、放送局から送信された放送情報を出力する放送受信装置とを有する番組情報提供システムであって、前記番組情報サーバは、前記データベースに格納されている編成情報に係る放送素材のうちの所定期間内の放送素材に係る番組情報を、前記データベースから抽出する抽出手段と、前記抽出した番組情報を前記放送受信装置に送信する手段とを有し、前記放送受信装置は、放送局から受信した放送情報を記録する放送情報記録部と、前記抽出した番組情報を受信する手段と、前記受信した番組情報を記憶する番組情報記憶部と、放送情報に関連する所望の映像内容の録画を指示する手段と、前記番組情報記憶部に記憶されている番組情報のうちから、前記指示された映像内容に対応する映像内容識別情報を含む番組情報を抽出し、当該抽出した番組情報に係る放送情報の録画予約を設定する手段とを有することを特徴とする番組情報提供システム、これに用いられる番組情報サーバ、番組情報提供方法及び放送受信装置である。
本発明は、放送番組の番組枠を構成する放送素材の放送日時を含み当該放送番組の番組枠を前記放送素材単位で特定する情報である編成情報を放送局毎に格納し、映像内容識別情報を含む前記放送素材に関連する情報である番組情報を当該放送素材に関連付けて格納するデータベースを具備する番組情報サーバと、放送局から送信された放送情報を出力する放送受信装置とを有する番組情報提供システムであって、前記番組情報サーバは、前記データベースに格納されている編成情報に係る放送素材のうちの所定期間内の放送素材に係る番組情報を、前記データベースから抽出する抽出手段と、前記抽出した番組情報を前記放送受信装置に送信する手段とを有し、前記放送受信装置は、放送局から受信した放送情報を記録する放送情報記録部と、前記抽出した番組情報を受信する手段と、前記受信した番組情報を記憶する番組情報記憶部と、放送局から受信した放送情報を記録する場合に、前記番組情報記憶部に記憶されている番組情報のうちから、記録中の放送情報に係るチャネルと現在時刻とに係る番組情報を抽出し、当該抽出した番組情報に含まれる映像内容識別情報と、放送局から受信した放送情報とを対応させて前記放送情報記録部に記録する手段と、放送情報に関連する所望の映像内容の再生を指示する手段と、前記放送情報記録部に記録された放送情報を再生する場合に、前記放送情報記録部に記録されている放送情報のうちから、前記指示された映像内容に対応する映像内容識別情報に対応して記録されている放送情報を抽出し、当該抽出した放送情報を再生する手段とを有することを特徴とする番組情報提供システム、これに用いられる番組情報サーバ、番組情報提供方法及び放送受信装置である。
本発明は、放送番組の番組枠を構成する放送素材の放送日時を含み当該放送番組の番組枠を前記放送素材単位で特定する情報である編成情報を放送局毎に格納し、映像内容識別情報を含む前記放送素材に関連する情報である番組情報を当該放送素材に関連付けて格納するデータベースを具備する番組情報サーバと、放送局から送信された放送情報を出力する放送受信装置とを有する番組情報提供システムであって、前記番組情報サーバは、前記データベースに格納されている編成情報に係る放送素材のうちの所定期間内の放送素材に係る番組情報を、前記データベースから抽出する抽出手段と、前記抽出した番組情報を前記放送受信装置に送信する手段とを有し、前記放送受信装置は、前記抽出した番組情報を受信する手段と、前記受信した番組情報を記憶する番組情報記憶部と、放送情報に関連する所望の映像内容の視聴を指示する手段と、前記番組情報記憶部に記憶されている番組情報のうちから、前記指示された映像内容に対応する映像内容識別情報を含む番組情報を抽出し、当該抽出した番組情報に係る放送情報の表示予約を設定する手段と、前記設定された表示予約に係る放送情報の放送開始日時になった場合に、当該表示予約に係る放送情報の放送開始日時になった旨を通知する手段とを有することを特徴とする番組情報提供システム、これに用いられる番組情報サーバ、番組情報提供方法及び放送受信装置である。
【発明の効果】
【００２２】
本発明によれば、テレビ番組の宣伝をする場合に、テレビ番組に一度興味を持った視聴者を実際の視聴行動に結びつけることができ、テレビ番組の宣伝効率を飛躍的に高めることができるという効果を奏する。
また、本発明によれば、テレビ放送を利用して、番組宣伝やＣＭをする場合に、番組宣伝やＣＭ等の宣伝効率を飛躍的に高めることができるという効果を奏する。
【発明を実施するための最良の形態】
【００２３】
以下に、本発明の実施の形態である番組情報サーバ、番組情報提供システム、番組情報提供方法及び放送受信装置について、図面を参照して詳細に説明する。
【００２４】
［第１の実施の形態］
図１は、本発明の第１の実施の形態である番組情報提供システム１の構成を示すブロック図である。
【００２５】
番組情報提供システム１は、移動体通信網１０と、インターネット２０と、テレビ受像機１００と、ＰＶＲ１１０と、携帯電話２００と、リアルタイム番組情報サーバ３００と、電子商取引サーバ４００と、放送局５００とを有する。
【００２６】
移動体通信網１０を介して、携帯電話２００とリアルタイム番組情報サーバ３００とが接続され、インターネット２０を介して、ＰＶＲ１１０とリアルタイム番組情報サーバ３００とが接続されている。
【００２７】
また、リアルタイム番組情報サーバ３００は、電子商取引サーバ４００と放送局５００とに接続されている。なお、リアルタイム番組情報サーバ３００と放送局５００とは、ＶＰＮ（仮想専用線）や専用線等で接続されている。
【００２８】
テレビ受像機１００は、放送局５００から送信されたアナログ放送用の放送映像を受信し、受信した放送映像（放送番組、番組宣伝、ＣＭ等）を表示部に表示する通常のアナログ放送用のテレビ受像機である。また、テレビ受像機１００は、携帯電話２００のリモコン機能によって所定の動作を実行する。なお、アナログ放送用のテレビ受像機の代わりに、デジタル放送用のテレビ受像機を使用するようにしてもよい。
【００２９】
ＰＶＲ１１０は、Ｗｅｂ接続機能を有するＤＶＤレコーダやＨＤＤレコーダ等のディスクレコーダであって、放送局５００から送信された放送情報を受信し、受信した放送情報を録画する録画再生装置である。また、ＰＶＲ１１０は、インターネット２０を介して、リアルタイム番組情報サーバ３００から録画予約情報を直接取得することができ、携帯電話２００のリモコン機能によって所定の動作を実行する。なお、録画の際には、録画した放送情報を検索することができるように、放送情報と共に所定のＩＤ（例えば、番組ＩＤ）を記録する。これによって、携帯電話２００のリモコン操作によって、録画した放送情報を容易に検索することができる。
【００３０】
電子商取引サーバ４００は、リアルタイム番組情報サーバ３００から携帯電話２００に送信された番組情報の中に埋め込まれたリンク情報に基づいて照会されるＣＭの個々の商品サイトやテレビショッピング番組内の特定商品の販売サイト等の各種サイトを格納する電子商取引サーバである。
【００３１】
図２は、携帯電話２００の内部構成を示すブロック図である。
携帯電話２００は、アンテナ２０１と、移動体通信部２０２と、赤外線送信部２０３と、無線通信部２０４と、制御部２０５と、ディスプレイ２０６と、スピーカ２０７と、入力部２０８とを有する。
【００３２】
また、携帯電話２００は、視聴者によって入力部２０８から操作されたキーに応じて、テレビ受像機１００とＰＶＲ１１０とに対して所定の動作を指示することができるリモコン機能を有する。なお、リモコン機能は、テレビ受像機１００やＰＶＲ１１０のＯＮ／ＯＦＦ、チャネル選局、録画予約、録画番組のピックアップ等の機能と、リアルタイム番組情報サーバ３００から取得した番組情報に基づいて、テレビ受像機１００とＰＶＲ１１０との動作を指示する機能とを有する。
【００３３】
移動体通信部２０２は、アンテナ２０１を介して、移動体通信網１０と接続し、リアルタイム番組情報サーバ３００との間で、各種情報を送受信する通信部である。
【００３４】
赤外線送信部２０３は、制御部２０５の制御に基づいて、所定の動作を指示する赤外線信号をテレビ受像機１００またはＰＶＲ１１０に送信するものである。なお、赤外線通信の代わりに、ｂｌｕｅｔｏｏｔｈ等の近距離無線通信を使用するようにしてもよい。
【００３５】
無線通信部２０４は、移動体通信部２０２を補う無線通信部であって、インターネット通信等において高速通信を実行する無線通信部である。
【００３６】
制御部２０５は、ＣＰＵ２０５ａと、ＲＡＭ２０５ｂと、ＲＯＭ２０５ｃとを有するマイクロコンピュータであって、携帯電話２００を構成する各部に接続され、各種制御処理を実行するものである。また、制御部２０５は、時刻を計測するカウンタ（図示せず）を内蔵する。
【００３７】
ＣＰＵ２０５ａは、ＲＯＭ２０５ｃに格納された各種制御プログラムに基づいて各種制御を実行するものである。また、ＣＰＵ２０５ａは、入力部２０８から入力された操作情報に基づいて、制御情報を生成し、生成した制御情報を各部に出力するものである。
【００３８】
ＲＡＭ２０５ｂは、ＣＰＵ２０５ａのワーク領域等に使用されるメモリである。
ＲＯＭ２０５ｃは、ＣＰＵ２０５ａに実行させるプログラムやウェブを閲覧するブラウザプログラム等の各種制御プログラムが格納されているメモリである。
【００３９】
なお、ブラウザプログラムとして、各携帯電話会社が提供する通常のプログラムを使用し、インターネット２０に接続されたサイトをディスプレイ２０６に表示する閲覧機能を携帯電話２００が有する。なお、本システム専用のブラウザプログラムを設ける必要はない。
【００４０】
ディスプレイ２０６は、制御部２０５の制御に基づいて、リアルタイム番組情報サーバ３００から受信した番組情報やＣＰＵ２０５ａが生成した画像情報等の各種画像情報を表示する表示部である。
【００４１】
スピーカ２０７は、制御部２０５の制御に基づいて、各種音声情報を出力するスピーカである。
【００４２】
入力部２０８は、テレビ受像機１００のチャネルを選択するチャネル選択キーと番組情報取得キーと消去キーと視聴キーとを含む各種入力キーと、音声入力部とを備え、視聴者の操作に応じた操作情報をＣＰＵ２０５ａに出力するものである。なお、前記各種入力キーは、テンキー、上下左右キーや各種機能キー、タッチパネル等で構成される。
【００４３】
また、携帯電話２００は、人工衛星から電波を受信して位置を検出するＧＰＳ装置（図示せず）を有し、このＧＰＳ装置によって現在の位置を測定し、測定した現在位置を、位置情報としてＲＡＭ２０５ｂに格納する。なお、ＧＰＳ装置を携帯電話２００に設ける代わりに、携帯電話２００を所持する視聴者が入力部２０８から位置情報を入力し、入力された位置情報をＲＡＭ２０５ｂに格納するようにしてもよい。
【００４４】
また、携帯電話２００のユーザＩＤとＰＶＲ１１０のユーザＩＤとは、それぞれをネットワーク上で特定する識別情報であり、たとえば、ＩＰアドレスと関連付けられ、ＲＡＭ２０５ｂに格納される。
【００４５】
図３は、リアルタイム番組情報サーバ３００の内部構成を示すブロック図である。
【００４６】
リアルタイム番組情報サーバ３００は、通信部３０１と、ハードディスク３０２と、制御部３０３と、ディスプレイ３０４と、入力部３０５とを有する。
【００４７】
図４は、リアルタイム番組情報サーバ３００の内部構成を機能的に示すブロック図である。
【００４８】
リアルタイム番組情報サーバ３００は、通信部３０１と、制御部３０３と、主記憶部３０６と、視聴ログＤＢ３４０と、編成情報ＤＢ３５０と、番組情報ＤＢ３６０とを有する。
【００４９】
通信部３０１は、マルチキャスト通信部３０１ａと、Ｗｅｂ通信部３０１ｂとを有する。マルチキャスト通信部３０１ａは、移動体通信網１０と接続し、携帯電話２００に対して、ＩＰマルチキャスト通信やストリーミング通信を実行するものである。また、Ｗｅｂ通信部３０１ｂは、移動体通信網１０またはインターネット２０と接続し、携帯電話２００またはＰＶＲ１１０との間で各種情報を送受信する通信部である。
【００５０】
ハードディスク３０２は、各種アプリケーションプログラムが格納されているハードディスクである。
【００５１】
制御部３０３は、ＣＰＵ３０３ａとＲＡＭ３０３ｂとＲＯＭ３０３ｃとを有し、リアルタイム番組情報サーバ３００を構成する各部に接続され、各種制御処理を実行するものである。また、制御部３０３は、時刻を計測するカウンタ（図示せず）を内蔵する。
【００５２】
ディスプレイ３０４は、制御部３０３の制御に基づいて各種情報を表示する表示部である。
【００５３】
入力部３０５は、各種入力キーを備え、操作されたキーに応じた操作情報をＣＰＵ３０３ａに出力するものである。
【００５４】
主記憶部３０６は、放送局５００から出力された放送用番組情報に係る各種情報を格納する記憶部であって、ハードディスク３０２に格納されている。
【００５５】
視聴ログＤＢ３４０は、視聴ログと制御ログとから構成され、携帯電話２００から受信した番組情報取得要求に係る各種情報を視聴ログとして収拾し、収拾した各種情報に基づいて視聴率や接触率等のテレビ視聴データを処理するデータベースであって、ハードディスク３０２に格納されている。なお、携帯電話２００のリモコン機能によって、ＰＶＲ１１０がリモコン操作された場合に、このリモコン操作に応じた録画情報・録画番組選択情報を、携帯電話２００がリアルタイム番組情報サーバ３００に出力し、この録画情報・録画番組選択情報を視聴ログＤＢ３４０に格納し、この録画情報・録画番組選択情報に基づいて、録画率や録画視聴率を視聴ログＤＢ３４０が集計することができる。また、移動体通信網１０を介して、携帯電話２００とリアルタイム番組情報サーバ３００とを常時接続し、携帯電話２００のリモコン機能によって、携帯電話２００がテレビ受像機１００またはＰＶＲ１１０をリモコン操作した場合に、このリモコン操作に応じたチャネル情報や録画情報・録画番組選択情報（番組ＩＤ等）等と、位置情報とを、携帯電話２００がリアルタイム番組情報サーバ３００にリアルタイムで出力し、このチャネル情報等と位置情報と共に時刻を視聴ログＤＢ３４０に随時格納するようにしてもよい。この場合に、チャネル情報と位置情報と時刻とに基づいて、リアルタイムで視聴率等を視聴ログＤＢ３４０が集計することができる。また、録画情報・録画番組選択情報に基づいて、録画率や録画視聴率を視聴ログＤＢ３４０が集計することができる。
【００５６】
また、視聴ログＤＢ３４０は、携帯電話２００のユーザＩＤによって携帯電話会社の提供する課金・認証機能等を利用した電子商取引等の購買履歴や消費者アンケート調査等とのマッチングを行なうことによって、視聴ログに格納された視聴履歴と実際の購買行動とを関連付ける調査を効率的に実施することができる。また、前記視聴率等の調査に関しては、リアルタイム番組情報サーバ３００を使用することによって、視聴ログＤＢ３４０に生成される視聴ログが即座に算出されるので、実際のテレビ視聴の変動をほぼリアルタイムで調査することができる。
【００５７】
さらに、リアルタイム番組情報サーバ３００を使用することによって、放送直前までの番組編成の変更データを反映させられることができるので、従来の視聴率調査の方法に比べ、放送番組の進行に応じた視聴率の変化を迅速かつ正確に把握することができる。
【００５８】
図５は、放送局５００からリアルタイム番組情報サーバ３００に出力する情報の流れを模式的に示す図である。
【００５９】
放送局５００の内部編成は、アーカイブと、報道と、制作と、広報と、営業・編成と、編成と、送出とで構成されている。第１の実施の形態では、１つの放送局５００からリアルタイム番組情報サーバ３００に出力される情報についてのみ説明するが、番組情報提供システム１に係る地域に存在する複数の放送局からリアルタイム番組情報サーバ３００に出力される情報についても同様である。なお、第１の実施の形態では、放送局５００の「局ＩＤ」を「○○テレビ」とし、所定地域の放送チャネルを「Ｘチャネル」とする。
【００６０】
アーカイブには番組アーカイブＣＭバンク５０１が設けられ、報道には報道支援システム５０２が設けられ、制作には番組制作システム５０３が設けられ、広報には広報宣伝ＤＢ５０４が設けられ、営業・編成には営放システム５０５が設けられ、編成にはＰｌａｙＬｉｓｔデータサーバ５０６が設けられ、送出には番組自動送出装置５０７が設けられている。これらの装置・システムにおいて、各担当者から各種情報が入力されると、入力された情報がリアルタイム番組情報サーバ３００に出力される。
【００６１】
具体的には、番組アーカイブＣＭバンク５０１は番組メタデータ３６４を出力し、報道支援システム５０２はアンタイム情報３５４を出力し、番組制作システム５０３はアンタイム情報３５４を出力し、広報宣伝ＤＢ５０４は番組宣伝情報３６２を出力し、営放システム５０５は番組枠編成情報３５１とＱシート編成情報３５２と番組基本情報３６１と番組素材情報３６３とを出力し、ＰｌａｙＬｉｓｔデータサーバ５０６はプレイリスト情報３５３を出力し、番組自動送出装置５０７はアンタイム情報３５４を出力する。
【００６２】
なお、放送局５００からリアルタイム番組情報サーバ３００に出力されるデータは、編成データと番組内容データとの２つのグループに分けることができる。編成データは、番組枠編成情報３５１と、Ｑシート編成情報３５２と、プレイリスト情報３５３と、アンタイム情報３５４とから構成されるデータであり、番組内容データは、番組基本情報３６１と、番組宣伝情報３６２と、番組素材情報３６３と、番組メタデータ３６４とから構成されるデータである。
【００６３】
また、放送局５００から出力された編成データを一次的に集計する編成情報ＤＢ３５０と、放送局５００から出力された番組内容データを一次的に集計する番組情報ＤＢ３６０とから、主記憶部３０６に格納されている各データベース（番宣ＤＢ３１０、ＣＭＤＢ３２０、番組本編ＤＢ３３０）が構成されている。
【００６４】
図６は、「○○テレビ」における番組枠編成情報３５１と、Ｑ（Ｃｕｅ）シート編成情報３５２との一部区間を概略的に示す図である。
【００６５】
図７は、編成情報ＤＢ３５０に格納される情報を概念的に示す図である。
番組枠編成情報３５１は、「○○テレビ」において放送される放送番組の放送時間帯の枠（番組枠）を特定する情報である。具体的には、図７に示すように、「番組ＩＤ」と「局ＩＤ」と「放送日」と「番組開始時刻」と「番組枠時間」との情報を含み、テレビ番組単位で作成される表である。「局ＩＤ」は、放送局を特定するＩＤであり、「番組ＩＤ」は、番組を特定するＩＤである。
【００６６】
たとえば、番組枠編成情報３５１において、平成１６年２月１９日の１９時００分〜２０時００分の枠に「○○ニュース」が設定され、２０時００分〜２０時０５分の枠に「○○旅行」が設定されているとする。なお、スポーツ中継の延長や緊急ニュース等によって、放送番組の番組枠に変動が生じる場合があるので、番組枠編成情報３５１として、複数の番組編成パターンが予め作成され、複数の番組編成パターンのうちの１つが使用される。なお、通常は、約２０通りの番組編成パターンが作成されるが、第１の実施の形態では、図７に示すように、番組編成パターン３５１ａ〜ｃの３通りが作成されているとする。
【００６７】
Ｑシート編成情報３５２は、「○○テレビ」において放送される放送番組の放送時間帯の枠を、ＣＭや番組宣伝の時間間隔のレベル（秒単位で設定）で特定する情報である。具体的には、Ｑシート編成情報３５２は、図７に示すように、番組枠編成情報３５１の「番組ＩＤ」と関連付けられた情報であって、「素材名」と「素材ＩＤ」と「素材開始時刻」と「素材枠時間」と「素材タイプ」と「テロップ情報」との情報を含み、秒単位で作成される表である。「素材名」は、放送時間帯の枠内における構成要素である素材の名称である。「素材ＩＤ」は、前記各素材に付与されるＩＤであり、「素材開始時刻」は、前記各素材の枠の開始時刻であり、「素材枠時間」は、前記各素材の枠の時間である。また、「素材タイプ」において、「確定」は、「素材枠時間」が固定していることを示す情報であり、「自動」は、直前の「素材枠時間」の変更に従って、変更されることを示す情報であり、「アンタイム」は、アンタイム情報３５４によって「素材枠時間」が変更されることを示す情報である。「テロップ情報」は、番組放送中に流れる文字情報の存在を示す情報である。
【００６８】
たとえば、図６（２）に示すように、「○○ニュース」の枠には、「タイトル」と「ＣＭ１〜５」と「本編１、２」と「番宣（番組宣伝）Ａ〜Ｃ」とが設定され、「○○旅行」の枠には、「本編１」と「局宣（放送局宣伝）」とが設定されている。なお、「番宣Ａ」は、『○○料理ショー』の番組宣伝として、平成１６年２月１９日の１９時０２分１５秒〜１９時０２分３０秒の枠に設定され、「番宣Ｂ」は、『ドラマ○○』の番組宣伝として、平成１６年２月１９日の１９時２９分４５秒〜１９時３０分００秒の枠に設定され、「番宣Ｃ」は、「時代劇○○武士」の番組宣伝として、平成１６年２月１９日の１９時５９分３０秒〜２０時００分００秒の枠に設定されているとする。なお、「番宣Ａ」の『○○料理ショー』は、平成１６年２月２１日の２０時００分００秒〜２１時００分００秒に放送される放送番組とする。また、「ＣＭ１」は、『○○携帯会社』のＣＭとして、平成１６年２月１９日の１９時０２分００秒〜１９時０２分１５秒の枠に設定され、「ＣＭ２」は、『○○自動車会社』のＣＭとして、平成１６年２月１９日の１９時２９分００秒〜１９時２９分１５秒の枠に設定され、「ＣＭ３」は、「○○電気会社」のＣＭとして、平成１６年２月１９日の１９時２９分１５秒〜１９時２９分４５秒の枠に設定されているとする。
【００６９】
ＣＭや番宣は、テレビ番組の本編に比べて編成の変更頻度が圧倒的に高く、放送開始直前まで変更される可能性が高い。また、スポーツ番組や報道番組等では、本編部分も含めて時刻不確定な手動による素材切替（アンタイム運用）を実施する場合が多い。このため、Ｑシート編成情報３５２は、放送局５００の編成システム等と連動し逐次リアルタイムで更新される必要があるので、番組枠編成情報３５１と同様に、複数の素材編成パターンが予め作成され、複数の素材編成パターンのうちの１つが使用される。なお、通常は、約２０通りの素材編成パターンが作成されるが、第１の実施の形態では、図７に示すように、「○○ニュース」の番組ＩＤ「ＤＲ０４２５１３」に関連付けて、素材編成パターン３５２ａ〜ｃの３通りが作成されている。
【００７０】
編成情報ＤＢ３５０は、図７に示すように、番組枠編成情報３５１の「番組ＩＤ」にＱシート編成情報３５２が関連付けられて構成されるデータベースである。また、編成情報ＤＢ３５０は、番組枠編成情報３５１と同様に、複数の番組編成パターンが予め作成されている。なお、通常は、約２０通りの番組編成パターンが作成されるが、第１の実施の形態では、編成パターン３５０ａ〜ｉの９通りが作成されているとする。なお、編成パターン３５０ｄは、編成パターン３５０ａの各枠を３０分遅らせた編成パターンとする。
【００７１】
プレイリスト情報３５３は、スポーツ中継の延長や緊急ニュース等によって、放送番組やＣＭ、番組宣伝等の放送時間枠に変動が生じた場合に、編成パターン３５０ａ〜ｉの中から、この変動に最も対応できる番組パターンを選択するための情報である。具体的には、編成パターン３５０ａが使用されている場合に、スポーツ中継の放送番組の延長（例えば、３０分）によって、放送番組やＣＭ、番組宣伝等の放送時間枠に変動が生じた場合に、ＰｌａｙＬｉｓｔデータサーバ５０６から編成パターン３５０ｄを選択する旨のプレイリスト情報３５３が入力されると、スポーツ中継の延長の直前まで使用されていた編成パターン３５０ａから、各枠を３０分遅らせた編成パターン３５０ｄに変更する。
【００７２】
アンタイム情報３５４は、手動切替による時刻不確定番組素材の放送時間を特定する情報であり、Ｑシート編成情報３５２において、「素材タイプ」の欄に「アンタイム」が設定されている「素材枠時間」を変更する情報である。
【００７３】
たとえば、１９時０２分１５秒〜１９時０２分３０秒の枠に設定されている「番宣Ａ」（素材名『○○料理ショー』、素材ＩＤ「ＢＳ０４５１４３」）の放送時間帯を、５秒間延長する変更をする場合に、報道支援システム５０２、番組制作システム５０３、番組自動送出装置５０７のいずれかから、５秒間延長の変更指示が手動入力されると、入力された装置がアンタイム情報３５４を作成し、作成したアンタイム情報３５４がリアルタイム番組情報サーバ３００に入力され、リアルタイム番組情報サーバ３００が「番宣Ａ」の放送時間帯を、５秒間延長する変更をする。
【００７４】
図８は、番組情報ＤＢ３６０に格納される情報を概念的に示す図である。
番組基本情報３６１は、「番組ＩＤ」と「番組名」と「エピソード」と「ＥＰＧ情報」と「映像種類」とを含む情報である。
【００７５】
「エピソード」は、シリーズ番組やレギュラー番組において、これらの番組における話数（第○○話等）を特定するＩＤである。「ＥＰＧ情報」は、テレビジョン放送波に重畳されるＡＲＩＢ（社団法人電波産業会）が規定するデジタルテレビ受像機に表示させるＥＰＧ情報である。
【００７６】
番組宣伝情報３６２は、「番組ＩＤ」と「番組ロゴ」と「番宣原稿」と「番宣写真」と「番宣（素材ＩＤ）」とを含む情報である。
【００７７】
「番組ロゴ」は、番組を表すロゴマークであり、例えば、図１５（２）、図１６（２）に示すものである。「番宣原稿」は、番組の宣伝用原稿文である。「番宣写真」は、番組の宣伝用写真である。
【００７８】
番組素材情報３６３は、「素材ＩＤ」と「素材名」と「素材尺」と「音声モード」と「画角」とを含む情報であり、図６（２）に示す番組本編内の詳細項目や、ＣＭや番組宣伝の枠レベルの項目を特定する情報である。
【００７９】
番組メタデータ３６４は、「素材内時間」と「リンク先」と「認証」と「連動データ」とを含む情報であり、図６（２）に示す番組本編内において、詳細項目を特定する情報である。たとえば、放送番組がドラマであれば、番組本編内におけるドラマの中の各シーンを所定の間隔で特定し、それぞれを「本編１のシーン１」「本編１のシーン２」等のように項目に分けて特定する情報である。また、番組がテレビショップ番組であれば、番組本編内におけるテレビショップ番組の中で紹介される各商品毎に所定の項目を設定し、項目に分けられた各商品を特定する情報である。
【００８０】
図９は、主記憶部３０６に格納される番宣ＤＢ３１０とＣＭＤＢ３２０と番組本編ＤＢ３３０とを概念的に示す図である。
【００８１】
図９に示すように、番宣ＤＢ３１０とＣＭＤＢ３２０と番組本編ＤＢ３３０とのそれぞれは、放送局５００から出力された編成データを一次的に集計する編成情報ＤＢ３５０と、放送局５００から出力された番組内容データを一次的に集計する番組情報ＤＢ３６０とから構成されている。編成情報ＤＢ３５０と番組情報ＤＢ３６０とに格納されている情報は、素材の内容に応じて、番宣ＤＢ３１０とＣＭＤＢ３２０と番組本編ＤＢ３３０とのそれぞれに格納される。具体的には、素材ＩＤによって識別される。例えば、図６（２）に示す「番宣Ａ」（素材名『○○料理ショー』、素材ＩＤ「ＢＳ０４５１４３」）は、番組宣伝なので、番宣ＤＢ３１０に格納される。また、図６（２）に示す「ＣＭ１」（図７に示すＱシート編成情報３５２の素材名「○○携帯会社」、素材ＩＤ「ＣＭ０３２７１５」）は、ＣＭなので、ＣＭＤＢ３２０に格納される。また、図６（２）に示す「タイトル」（図７に示すＱシート編成情報３５２の素材名「○○ニュース」、素材ＩＤ「ＴＴ０４２５１３」）は、番組のタイトルなので、番組本編ＤＢ３３０に格納される。なお、番宣ＤＢ３１０の「元番組ＩＤ」は、番組宣伝に係る番組に番組宣伝を関連付けるためのＩＤであり、これにより、番組宣伝に係る番組と番組宣伝とを関連付けることができ、番宣ＤＢ３１０から番組宣伝に係る番組の番組情報を抽出することができる。
【００８２】
つまり、リアルタイム番組情報サーバ３００は、放送局５００から出力された各種情報を集約し、集約した各種情報を番組（イベント）ＩＤや素材ＩＤに基づいて統合的に関連付け、関連付けた情報を編成や素材の変更に応じてリアルタイムで更新するサーバである。
【００８３】
また、リアルタイム番組情報サーバ３００は、番宣ＤＢ３１０とＣＭＤＢ３２０と番組本編ＤＢ３３０とのそれぞれを複数の地域毎に格納し、携帯電話２００から受信したチャネルと、時刻と、位置情報とに基づいて、番宣ＤＢ３１０とＣＭＤＢ３２０と番組本編ＤＢ３３０とのいずれかから、番組情報を抽出するサーバである。なお、番組情報提供システム１に係る地域においてチャネルと放送局とが統一されている場合には、チャネルと時刻とに基づいて番組情報を抽出する。
【００８４】
次に、番組情報提供システム１の動作について説明する。
図１０は、番組情報提供システム１における番組予約動作を示すフローチャートである。
【００８５】
第１の実施の形態では、携帯電話２００のリモコン機能を利用して、視聴者が通常のテレビ番組をテレビ受像機１００で視聴している場合において、テレビ受像機１００で放送中の番組宣伝に係る番組情報を携帯電話２００から取得する動作について説明する。なお、放送番組やＣＭ等の放送情報についても同様に番組情報を取得することができる。
【００８６】
視聴者がテレビ番組を見るために、携帯電話２００のリモコン機能を利用して、テレビ受像機１００の電源をＯＮする（Ｓ１０１）。この場合に、視聴者が手動でテレビ受像機１００の電源をＯＮするようにしてもよい。
【００８７】
携帯電話２００のリモコン機能を利用して、視聴者が入力部２０８のチャネル選択キーを押下し、テレビ受像機１００のチャネルを選択する（Ｓ１０２）。入力部２０８のチャネル選択キーが押下されると、押下されたチャネル選択キーに関するチャネル情報を赤外線送信部２０３からテレビ受像機１００へ送信すると共に、押下されたチャネル選択キーに関するチャネル情報をＲＡＭ２０５ｂに格納する（Ｓ１０３）。なお、第１の実施の形態では、直近で押下されたチャネル情報のみをＲＡＭ２０５ｂに格納するが、所定数のチャネル選択履歴情報をＲＡＭ２０５ｂに格納するようにしてもよい。
【００８８】
赤外線送信部２０３からチャネル情報をテレビ受像機１００が受信すると、受信したチャネル情報に基づいてテレビ受像機１００の表示を切り替える。
【００８９】
携帯電話２００でチャネル（例えば、Ｘチャネル）を選択した視聴者が、テレビ受像機１００のテレビ放送（例えば、図６に示す「○○ニュース」：平成１６年２月１９日の１９時００分〜２０時００分放送）を見ている場合に、テレビ放送中に流れた番組宣伝ＣＭ（例えば、図６に示す「番宣Ａ（『○○料理ショー』）」：平成１６年２月１９日の１９時０２分１５秒〜１９時０２分３０秒放送）を見て、この番組宣伝ＣＭのテレビ番組を視聴（又は録画）したいと思った場合（興味を持った場合）、視聴者が携帯電話２００の番組情報取得キーを押下する（Ｓ１０４）。なお、テレビ受像機１００においてテレビ放送の視聴の開始から、携帯電話２００を使用したチャネルの変更をしていない場合には、番組情報取得キーを押下する前にチャネル選択キーを押下しておく必要がある。
【００９０】
番組情報取得キーが押下されると、ＲＡＭ２０５ｂに格納されている直近で選択されたチャネル情報（Ｘチャネル）と共に、番組情報取得を要求する番組情報取得要求情報と、ＲＡＭ２０５ｂに格納されている携帯電話２００のユーザＩＤと位置情報とを、移動体通信部２０２からリアルタイム番組情報サーバ３００に送信する（Ｓ１０５）。この場合に、Ｗｅｂ上で送信してもよく、電子メールを使用して送信するようにしてもよい。ただし、この送信時刻が正確になるような通信手段を使用する必要がある。
【００９１】
リアルタイム番組情報サーバ３００がチャネル情報と番組情報取得要求情報と携帯電話２００のユーザＩＤと位置情報とを受信する（Ｓ１０６）と、受信したチャネル情報と番組情報取得要求情報と携帯電話２００のユーザＩＤと位置情報とに関連付けて、受信した時刻（例えば、平成１６年２月１９日の１９時０２分２５秒）をＲＡＭ３０３ｂに格納する（Ｓ１０７）。続いて、ＲＡＭ３０３ｂに格納されている受信時刻とチャネル情報と位置情報とに基づいて、主記憶部３０６に格納されているデータベースから、素材ＩＤを抽出する（Ｓ１０８）。具体的には、図９に示す番宣ＤＢ３１０とＣＭＤＢ３２０と番組本編ＤＢ３３０とから、受信したチャネル情報「Ｘチャネル」と位置情報とに基づいて、局ＩＤ（例えば、○○テレビ）を抽出し、抽出した局ＩＤと受信時刻（平成１６年２月１９日の１９時０２分２５秒）とに該当する素材ＩＤ「ＢＳ０４５１４３」（項目３１０ａ）を抽出する。つまり、ＲＡＭ３０３ｂに格納されている受信時刻とチャネル情報と位置情報とに基づいて、主記憶部３０６に格納されているデータベースから、放送素材を特定する。
【００９２】
続いて、抽出した素材ＩＤに関連付けて主記憶部３０６のデータベースに格納されている番組情報を、リアルタイム番組情報サーバ３００が、Ｓ１０６で受信した携帯電話２００のユーザＩＤに基づいて、番組情報取得を要求した携帯電話２００に送信する（Ｓ１０９）。具体的には、図９に示す項目３１０ａの各情報を送信する。
【００９３】
また、抽出した素材ＩＤとチャネル情報と携帯電話２００のユーザＩＤと位置情報と受信時刻とを関連付けた視聴情報を視聴ログＤＢ３４０の視聴ログに格納する（Ｓ１０９）。視聴ログＤＢ３４０は、視聴ログに格納されている視聴情報に基づいて、視聴率データを集計する。また、携帯電話２００に送信した番組情報と、携帯電話２００のユーザＩＤとを関連付けて、視聴ログＤＢ３４０の制御ログに格納する（Ｓ１０９）。
【００９４】
リアルタイム番組情報サーバ３００が送信した番組情報を、携帯電話２００が受信する（Ｓ１１０）と、受信した番組情報をＲＡＭ２０５ｂに格納し（Ｓ１１１）、番組情報に含まれる番組ロゴ等の画像情報をディスプレイ２０６に表示する（Ｓ１１２）。例えば、番組ロゴと共に、チャネルと放送開始日時（放送開始時刻）と放送終了日時（放送終了時刻）とをディスプレイ２０６に表示し、視聴者が視覚的に容易に認識できるようにする。
【００９５】
続いて、受信した番組情報に含まれているチャネルと放送開始日時と放送終了日時と番組ＩＤとを使用して、受信した番組情報に係るテレビ番組をＰＶＲ１１０で録画するための録画予約情報を作成し、作成した録画予約情報を赤外線送信部２０３からＰＶＲ１１０に送信する（Ｓ１１３）。ＰＶＲ１１０が録画予約情報を受信すると、受信した録画予約情報に基づいて、録画予約を登録する。なお、受信した番組情報が番組宣伝に係る番組情報でない場合には、Ｓ１１２の後に、Ｓ１０２に進むようにする。
【００９６】
なお、ＲＡＭ２０５ｂにＰＶＲ１１０のＩＤを予め格納しておき、Ｓ１０５において、チャネル情報と番組情報取得要求情報と携帯電話２００のユーザＩＤと位置情報と共に、ＲＡＭ２０５ｂに格納されたＰＶＲ１１０のＩＤを、移動体通信部２０２からリアルタイム番組情報サーバ３００に送信し、また、Ｓ１０９において、番組情報取得を要求した携帯電話２００に番組情報を送信すると共に、この番組情報に基づいたＰＶＲ１１０を録画予約するための録画予約情報を作成し、作成した録画予約情報をリアルタイム番組情報サーバ３００がＰＶＲ１１０にＰＶＲ１１０のＩＤに基づいて送信するようにしてもよい。この場合には、Ｓ１１３において、携帯電話２００からＰＶＲ１１０への録画予約動作を実行しなくてもよい。このようにすれば、ＰＶＲ１１０の傍らに携帯電話２００を所持する視聴者が存在しなくても、ＰＶＲ１１０の録画予約を容易に行うことができる。
【００９７】
続いて、携帯電話２００を所持する視聴者がテレビ受像機１００のテレビ放送を見ている状態において、上記動作を繰り返し（Ｓ１０２〜Ｓ１１３）、携帯電話２００のリモコン機能を利用して、テレビ受像機１００の電源ＯＦＦが指示されると（Ｓ１１４）、終了する。
【００９８】
なお、リアルタイム番組情報サーバ３００が携帯電話２００からＷｅｂ経由で番組情報取得要求された場合において、要求された番組情報についてＷｅｂ上で即座に回答を送信せずに時差回答を実行し、要求された番組情報をリアルタイム番組情報サーバ３００が携帯電話２００へ電子メールで送信するようにしてもよい。また、テレビ受像機１００で「○○ニュース」（平成１６年２月１９日の１９時００分〜２０時００分の枠に設定）を見て、この「○○ニュース」における各ニュースに登場する事件等についての詳細情報等を取得する場合に、上記制御動作を適用することができる。つまり、番組本編内において所定の間隔で分けられた「○○ニュース」の中の各ニュースの項目を特定する素材ＩＤを抽出することによって、図８に示す番組メタデータ３６４における各ニュースに登場する各事件についての詳細情報（各事件に係る「リンク先」「ファイル名」等）を取得する。また、テレビ受像機１００でテレビショッピング番組を見て、このテレビショッピング番組で紹介される各商品についての詳細情報等を取得する場合に、上記制御動作を適用することができる。つまり、番組本編内においてテレビショップ番組の中で紹介される各商品毎に設定された項目を特定する素材ＩＤを抽出することによって、図８に示す番組メタデータ３６４における各商品についての詳細情報（各商品の内容に係る「リンク先」「ファイル名」等）を取得する。また、テレビ受像機１００でドラマ番組を見て、この番組における各シーンに登場する人や物についての詳細情報等を取得する場合に、上記制御動作を適用することができる。つまり、番組本編内において所定の間隔で分けられたドラマの中の各シーンの項目を特定する素材ＩＤを抽出することによって、図８に示す番組メタデータ３６４における各シーンに登場する人や物についての詳細情報（人や物に係る「リンク先」「ファイル名」等）を取得する。
【００９９】
図１１は、番組情報提供システム１における番組予約更新動作を示すフローチャートである。
【０１００】
制御部３０３は、主記憶部３０６に格納されている番宣ＤＢ３１０と、ＣＭＤＢ３２０と、番組本編ＤＢ３３０とを定期的に監視し、いずれかのデータベースにおいて更新があるか否かを監視する（Ｓ２０１）。スポーツ中継の延長や緊急ニュース等によって、放送番組やＣＭ、番組宣伝等の放送時間枠に変動が生じ、編成パターンに変更があった場合等のように、いずれかのデータベースにおいて更新があれば（Ｓ２０１）、更新があったデータベースから更新後のデータを取得する（Ｓ２０２）。
【０１０１】
取得したデータと視聴ログＤＢ３４０の制御ログに格納されている取得前のデータとを比較し、取得したデータの中から更新された部分のみを抽出する（Ｓ２０３）。
【０１０２】
続いて、取得したデータの中から抽出した部分に関連付けて前記制御ログに格納されている携帯電話２００に、この抽出した部分を差分情報として送信する（Ｓ２０４）。また、制御ログに格納されている取得前のデータについて、この抽出した部分を更新する。
【０１０３】
携帯電話２００の制御部２０５は、リアルタイム番組情報サーバ３００から差分情報を受信したか否かを定期的に監視し（Ｓ２０５）、リアルタイム番組情報サーバ３００から差分情報を受信すれば、ＲＡＭ２０５ｂに格納されている番組情報の中で、受信した差分情報に係る番組情報を更新する（Ｓ２０６）。続いて、番組情報を更新した旨を表示する（Ｓ２０７）。
【０１０４】
具体的には、更新した番組情報に含まれる番組ロゴ等の画像情報をディスプレイ２０６に表示する（Ｓ２０７）。例えば、番組ロゴとチャネルと変更後の放送開始日時と変更後の放送終了日時と共に、「『○○料理ショー』の放送時間が変更になりました。」のメッセージをディスプレイ２０６に表示し、視聴者が視覚的に変更を容易に認識できるようにする。
【０１０５】
続いて、更新した番組情報に含まれているチャネルと放送開始日時と放送終了日時と番組ＩＤとを使用して、更新した番組情報に係るテレビ番組を予約する録画予約情報を作成し、作成した録画予約情報を赤外線送信部２０３からＰＶＲ１１０に送信する（Ｓ２０８）。この送信と共に、更新前に登録されていた録画予約を消去する録画予約消去情報を番組ＩＤに基づいて作成し、作成した録画予約消去情報を送信し、更新前に登録されていた録画予約を消去するようにしてもよい。ＰＶＲ１１０が録画予約情報を受信すると、受信した録画予約情報に基づいて、録画予約を登録する。
【０１０６】
なお、図１０に示すＳ１０９において、録画予約情報をリアルタイム番組情報サーバ３００がＰＶＲ１１０に送信した場合には、携帯電話２００に差分情報を送信すると共に、更新された番組情報に基づいたＰＶＲ１１０を録画予約するための録画予約情報を作成し、作成した録画予約情報をリアルタイム番組情報サーバ３００がＰＶＲ１１０にＰＶＲ１１０のＩＤに基づいて送信する。この送信と共に、更新前に登録されていた録画予約を消去する録画予約消去情報を送信し、更新前に登録されていた録画予約を消去するようにしてもよい。
【０１０７】
図１２は、番組情報提供システム１における予約番組視聴動作を示すフローチャートである。
この制御動作は、携帯電話２００を所持する視聴者が、『○○料理ショー』を実際の放送時間帯に視聴する場合の動作である。
【０１０８】
ＲＡＭ２０５ｂに格納された番組情報に基づいて、番組情報に含まれる『○○料理ショー』の放送開始時刻の所定時間前（例えば、２時間前）の時刻に達したか否かを判断し（Ｓ３０１）、所定時刻に達していれば、番組情報に含まれる画像ロゴと「『○○料理ショー』の放送開始時刻の２時間前です。なお、今後『○○料理ショー』の通知を中止させる場合には、消去キーを押して下さい。」のメッセージとをディスプレイ２０６に表示し、携帯電話２００を所持する視聴者が実際の放送時間に『○○料理ショー』の放送を見ることができるように通知する（Ｓ３０２）。また、「『○○料理ショー』の放送開始時刻の２時間前です。」の音声メッセージをＣＰＵ２０５ａが生成し、生成した音声メッセージをスピーカ２０７から出力し、画像表示と共に音声で通知するようにしてもよい。
【０１０９】
なお、『○○料理ショー』の放送開始時刻の所定時間前に、所定の間隔で通知するようにしてもよく、不定期に通知するようにしてもよい。例えば、１時間前、２時間前、３時間前のように、３時間前から１時間間隔で行う。
【０１１０】
続いて、通知動作を実行している場合（Ｓ３０２）に、消去キーが押下されたか否かを判断し（Ｓ３０３）、通知動作の実行中に消去キーが押下されれば、通知動作を実行している番組情報をＲＡＭ２０５ｂから消去する。このようにすることによって、携帯電話２００を所持する視聴者が、通知されている『○○料理ショー』に興味を失っている場合に、以後の通知を中止することができる。なお、通知動作の実行中に消去キーが押下された場合に、通知動作を実行している番組情報に係るＰＶＲ１１０の録画予約を中止する録画予約消去情報をＰＶＲ１１０に送信するようにしてもよい。
【０１１１】
続いて、通知動作の開始から所定時間（例えば、２０秒間）が経過すれば、通知動作を停止する（Ｓ３０４）。具体的には、ディスプレイ２０６の表示を消去し、スピーカ２０７の音声出力を停止する。なお、入力部２０８における何らかのキー操作によって、通知動作を停止させるようにしてもよい。
【０１１２】
続いて、『○○料理ショー』の放送開始時刻になったか否かを判断し（Ｓ３０５）、放送開始時刻になれば、ディスプレイ２０６に番組情報に含まれる画像ロゴと「『○○料理ショー』の放送開始時刻です。これを見る場合には、テレビ受像機１００にリモコンの信号が届くようにして、視聴キーを押して下さい。なお、『○○料理ショー』の録画予約を解除する場合には、消去キーを押して下さい。」のメッセージとを表示し、携帯電話２００を所持する視聴者が実際の放送時間に『○○料理ショー』の放送を見ることができるように通知する（Ｓ３０６）。なお、この音声メッセージをＣＰＵ２０５ａが生成し、生成した音声メッセージをスピーカ２０７から出力し、画像表示と共に音声で通知するようにしてもよい。また、『○○料理ショー』の放送開始時刻の所定時間前（例えば、５分前）に、この通知をするようにしてもよい。また、この所定時間を予め設定しておくようにしてもよい。
【０１１３】
続いて、通知動作を実行している場合（Ｓ３０６）に、視聴キーが押下されたか否かを判断し（Ｓ３０７）、通知動作の実行中に視聴キーが押下されれば、通知動作を実行している番組情報に係るチャネル情報をテレビ受像機１００に送信する（Ｓ３０８）。なお、テレビ受像機１００が電源ＯＦＦの場合があるので、この送信の前に、電源ＯＮ情報をテレビ受像機１００にリモコン送信するようにしてもよい。
【０１１４】
続いて、通知動作の実行中に視聴キーが押下された番組情報をＲＡＭ２０５ｂから消去する（Ｓ３０９）。
【０１１５】
なお、携帯電話２００を所持する視聴者の傍らに、テレビ受像機１００が存在しない場合には、携帯電話２００で通知されているテレビ番組を視聴者が視聴することができない。
【０１１６】
しかし、ＰＶＲ１１０には『○○料理ショー』が録画されるので、ＰＶＲ１１０に録画される『○○料理ショー』を、『○○料理ショー』の番組終了後に視聴者が視聴することができる。
【０１１７】
また、通知動作を実行している場合（Ｓ３０６）に、視聴キーが押下されなければ（Ｓ３０７）、消去キーが押下されたか否かを判断し（Ｓ３１０）、消去キーが押下されれば、通知動作の実行中に消去キーが押下された番組情報をＲＡＭ２０５ｂから消去する（Ｓ３０９）。
【０１１８】
通知動作を実行している場合（Ｓ３０６）に、視聴キーが押下されず（Ｓ３０７）、消去キーが押下されなければ（Ｓ３１０）、通知動作の開始から所定時間の経過後（例えば、１分間）に、通知動作を停止する（Ｓ３１１）。具体的には、ディスプレイ２０６の表示を消去し、スピーカ２０７の音声出力を停止する。なお、入力部２０８における何らかのキー操作によって、通知動作を停止させるようにしてもよい。
【０１１９】
このようにすることによって、携帯電話２００を所持する視聴者が、通知されている『○○料理ショー』に興味を失っている場合に、以後の通知を中止することができる。なお、通知動作の実行中に消去キーが押下された場合に、通知動作を実行している番組情報に係るＰＶＲ１１０の録画予約を中止する録画予約消去情報をＰＶＲ１１０に送信するようにしてもよい。また、Ｓ３０１で所定時刻に達していない場合に、Ｓ３０５に進むようにしてもよい。
【０１２０】
図１３は、番組情報提供システム１における予約番組視聴動作を示すフローチャートである。
【０１２１】
この制御動作は、携帯電話２００を所持する視聴者が、『○○料理ショー』の放送終了後に、ＰＶＲ１１０に録画されたものを視聴する場合の動作である。
【０１２２】
ＲＡＭ２０５ｂに格納された番組情報に基づいて、番組情報に含まれる『○○料理ショー』の放送終了時刻が経過したか否かを判断し（Ｓ４０１）、『○○料理ショー』の放送終了時刻が経過していれば、放送終了時刻の経過後、所定時間が経過（例えば、２時間）したか否かを判断し（Ｓ４０２）、放送終了時刻の経過後、所定時間が経過していれば、番組情報に含まれる画像ロゴと「『○○料理ショー』がＰＶＲ１１０に録画されています。これを再生する場合には、テレビ受像機１００とＰＶＲ１１０とにリモコンの信号が届くようにして、視聴キーを押して下さい。なお、ＰＶＲ１１０に録画されている『○○料理ショー』を消去する場合には、消去キーを押して下さい。」のメッセージとをディスプレイ２０６に表示し、携帯電話２００を所持する視聴者が、ＰＶＲ１１０に録画された『○○料理ショー』を視聴することができるように通知する（Ｓ４０３）。なお、このメッセージの音声情報をＣＰＵ２０５ａが生成し、生成したメッセージをスピーカ２０７から出力し、画像表示と共に音声で通知するようにしてもよい。
【０１２３】
また、『○○料理ショー』の放送終了時刻の経過後、所定の間隔で表示をするようにしてもよい。例えば、２時間後、２４時間後、３６時間後のように、所定の時間間隔で行う。また、この間隔を予め設定しておくようにしてもよい。
【０１２４】
続いて、通知動作を実行している場合（Ｓ４０３）に、視聴キーが押下されたか否かを判断し（Ｓ４０４）、通知動作の実行中に視聴キーが押下されれば、ＰＶＲ１１０の録画情報を出力する旨の録画情報出力情報をテレビ受像機１００に送信し、通知動作を実行している番組情報に係る『○○料理ショー』の録画再生を指示する録画再生指示情報を『○○料理ショー』の番組ＩＤに基づいて作成し、作成したＰＶＲ１１０に送信する（Ｓ４０５）。この送信の前に、電源ＯＮ情報をテレビ受像機１００とＰＶＲ１１０とにリモコン送信するようにしてもよい。なお、赤外線送信部２０３から録画再生指示情報をＰＶＲ１１０が受信すると、受信した録画再生指示情報に係る番組『○○料理ショー』を番組ＩＤに基づいて検索し、録画再生を実行する。
【０１２５】
続いて、通知動作の実行中に視聴キーが押下された番組情報をＲＡＭ２０５ｂから消去する（Ｓ４０６）。
【０１２６】
また、通知動作を実行している場合（Ｓ４０３）に、視聴キーが押下されなければ（Ｓ４０４）、消去キーが押下されたか否かを判断し（Ｓ４０７）、消去キーが押下されれば、通知動作の実行中に消去キーが押下された番組情報をＲＡＭ２０５ｂから消去する（Ｓ４０６）。
【０１２７】
このようにすることによって、携帯電話２００を所持する視聴者が、通知されている『○○料理ショー』に興味を失っている場合に、以後の通知を中止することができる。
【０１２８】
通知動作を実行している場合（Ｓ４０３）に、視聴キーが押下されず（Ｓ４０４）、消去キーが押下されなければ（Ｓ４０７）、通知動作の開始から所定時間（例えば、１分間）の経過後に、通知動作を停止させる（Ｓ４０８）。具体的には、ディスプレイ２０６の表示を消去し、スピーカ２０７の音声出力を停止する。なお、入力部２０８における何らかのキー操作によって、通知動作を停止させるようにしてもよい。
【０１２９】
なお、通知動作の実行中に消去キーが押下された場合に、通知動作を実行している番組情報に係るＰＶＲ１１０の録画内容を消去する録画消去情報をＰＶＲ１１０に送信するようにしてもよい。
【０１３０】
上記動作で示した各所定時間と所定の間隔とメッセージとは、ＲＡＭ２０５ｂに予め格納されている。なお、各所定時間と所定の間隔とメッセージとを入力部２０８から随時入力し、ＲＡＭ２０５ｂに格納するようにしてもよい。また、予約した放送終了時刻の経過後に（Ｓ４０１）、１日のうちの所定の時刻（例えば、夜の９時、１０時等）になったか否かを判断し（Ｓ４０２）、所定の時刻になった場合に、Ｓ４０３の通知をするようにしてもよい。なお、ＲＡＭ２０５ｂに格納された番組情報が複数存在する場合には、格納されている番組情報のうちの１つ又は２以上の番組情報をディスプレイ２０６に順次表示（または複数の番組情報を一度に表示）し、または音声を出力し、Ｓ４０３の通知を実行する。このように、視聴者が都合のよい時間に通知することによって、視聴者を実際に視聴行動に結び付けることができる。
【０１３１】
［第２の実施の形態］
本発明の第２の実施の形態は、マルチキャスト方式で番組情報を携帯電話２００に配信するものである。
【０１３２】
図１４は、本発明の第２の実施の形態である番組情報提供システム１における番組予約動作を示すフローチャートである。
【０１３３】
制御部３０３は、主記憶部３０６に格納されている番宣ＤＢ３１０と、ＣＭＤＢ３２０と、番組本編ＤＢ３３０との番組情報のうちの所定期間内（例えば、１週間分）の番組情報を抽出し、抽出した所定期間内の番組情報をマルチキャスト通信部３０１ａがＩＰマルチキャスト通信を実行し、一斉同報送信によって、携帯電話２００に配信する（Ｓ５０１）。この場合に、配信される地域の番組情報を送信する。また、この配信を携帯電話２００からの要求に応じて実行するようにしてもよい。
【０１３４】
リアルタイム番組情報サーバ３００が配信した番組情報を、携帯電話２００が受信すると、受信した番組情報をＲＡＭ２０５ｂに格納する（Ｓ５０５）。例えば、図９に示す番宣ＤＢ３１０とＣＭＤＢ３２０と番組本番ＤＢ３３０との１週間分の番組情報をＲＡＭ２０５ｂに格納する。この場合に、番組情報を受信した旨と、所定期間内（例えば、直近の１時間分）の番組情報とをディスプレイ２０６に表示するようにしてもよい。
【０１３５】
続いて、制御部３０３は、主記憶部３０６に格納されている番宣ＤＢ３１０と、ＣＭＤＢ３２０と、番組本編ＤＢ３３０とを定期的に監視し、いずれかのデータベースにおいて更新があるか否かを監視する（Ｓ５０２）。いずれかのデータベースにおいて更新があれば、更新があったデータベースから更新後のデータを取得し、取得したデータの中から更新された部分のみを抽出する（Ｓ５０３）。
【０１３６】
続いて、取得したデータの中から抽出した部分を差分情報として、マルチキャスト通信部３０１ａがＩＰマルチキャスト通信を実行し、一斉同報送信によって、携帯電話２００に配信する（Ｓ５０４）。
【０１３７】
携帯電話２００の制御部２０５は、リアルタイム番組情報サーバ３００から差分情報を受信したか否かを定期的に監視し（Ｓ５０６）、リアルタイム番組情報サーバ３００から差分情報を受信すれば、ＲＡＭ２０５ｂに格納されている番組情報の中で、受信した差分情報に係る部分を更新する（Ｓ５０７）。
【０１３８】
続いて、更新した部分が、既に番組予約をした番組情報に関するものであるか否かを判断し（Ｓ５０８）、更新した部分が、既に番組予約をした番組情報に関するものであれば、番組予約をした番組情報に含まれているチャネルと更新後の放送開始日時と更新後の放送終了日時との録画予約情報を使用して、赤外線送信部２０３からＰＶＲ１１０に、更新した番組情報に係るテレビ番組を予約する録画予約情報を送信する（Ｓ５０９）。この送信と共に、更新前に登録されていた録画予約を消去する録画予約消去情報を送信し、更新前に登録されていた録画予約を消去するようにしてもよい。ＰＶＲ１１０が録画予約情報を受信すると、受信した録画予約情報に基づいて、録画予約を登録する。
【０１３９】
続いて、携帯電話２００のリモコン機能を利用して、視聴者が入力部２０８のチャネル選択キーを押下し、テレビ受像機１００のチャネルを選択されたか否かを判断し（Ｓ５１０）、チャネル選択キーが押下されると、押下されたチャネル選択キーに関するチャネル情報を赤外線送信部２０３からテレビ受像機１００へ送信すると共に、押下されたチャネル選択キーに関するチャネル情報をＲＡＭ２０５ｂに格納する（Ｓ５１１）。なお、第２の実施の形態では、直近で押下されたチャネル情報のみをＲＡＭ２０５ｂに格納するが、所定数のチャネル選択履歴情報をＲＡＭ２０５ｂに格納するようにしてもよい。
【０１４０】
赤外線送信部２０３からチャネル情報をテレビ受像機１００が受信すると、受信したチャネル情報に基づいてテレビ受像機１００の表示を切り替える。
【０１４１】
携帯電話２００でチャネルを選択した視聴者が、テレビ受像機１００のテレビ放送を見ている場合に、テレビ放送中に流れた番組宣伝ＣＭを見て、番組宣伝ＣＭのテレビ番組（例えば『○○料理ショー』）を視聴（又は録画）したいと思った場合（興味を持った場合）、視聴者が携帯電話２００の番組情報取得キーを押下する（Ｓ５１２）。なお、テレビ受像機１００においてテレビ放送の視聴の開始から、携帯電話２００を使用してチャネルの変更をしていない場合には、番組情報取得キーを押下する前にチャネル選択キーを押下しておく必要がある。
【０１４２】
番組情報取得キーが押下されると、ＲＡＭ２０５ｂに格納されている直近で選択されたチャネル情報に関連付けて、番組情報取得キーが押下された時刻をＲＡＭ２０５ｂに格納する（Ｓ５１３）。続いて、ＲＡＭ２０５ｂに格納されている受信時刻とチャネル情報とに基づいて、ＲＡＭ２０５ｂに格納されている番組情報から、素材ＩＤを抽出する（Ｓ５１４）。つまり、ＲＡＭ２０５ｂに格納されている受信時刻とチャネル情報とに基づいて、ＲＡＭ２０５ｂに格納されている番組情報から、放送素材を特定する。
【０１４３】
続いて、抽出した素材ＩＤに関連付けてＲＡＭ２０５ｂに格納されている番組情報を番組予約情報として、ＲＡＭ２０５ｂに格納し（Ｓ５１５）、番組予約情報に含まれる番組ロゴ等の画像情報をディスプレイ２０６に表示する（Ｓ５１６）。例えば、番組ロゴと共に、チャネルと放送開始日時と放送終了日時とをディスプレイ２０６に表示し、視聴者が視覚的に容易に認識できるようにする。
【０１４４】
続いて、番組予約情報に含まれているチャネルと放送開始日時と放送終了日時とを使用して、テレビ番組を録画予約する録画予約情報を作成し、作成した録画予約情報を赤外線送信部２０３からＰＶＲ１１０に送信する（Ｓ５１７）。ＰＶＲ１１０が録画予約情報を受信すると、受信した録画予約情報に基づいて、録画予約を登録する。なお、特定した放送素材が番組宣伝に係るものでない場合には、Ｓ５１６の後に、Ｓ５０６に進むようにする。
【０１４５】
続いて、携帯電話２００を所持する視聴者がテレビ受像機１００のテレビ放送を見ている状態において、上記動作を繰り返す（Ｓ５０６〜Ｓ５１７）。
【０１４６】
なお、携帯電話２００においてリモコン操作をされる毎に、リモコン操作に係る情報をリアルタイム番組情報サーバ３００に送信し、リアルタイム番組情報サーバ３００がリモコン操作に係る情報を受信すると、受信したリモコン操作に係る情報を視聴ログＤＢ３４０の視聴ログに格納しておき、格納された受信したリモコン操作に係る情報に基づいて、視聴率データを集計するようにしてもよい。
【０１４７】
リアルタイム番組情報サーバ３００から受信した番組情報を、携帯電話２００からＰＶＲ１１０やテレビ受像機１００に無線通信機能によって送信し、これらの機器において番組情報を表示するようにしてもよい。また、図１２、図１３に示す第１の実施の形態の制御動作を実行するようにしてもよい。
【０１４８】
図１５、１６、１８、１９は、携帯電話２００のディスプレイ２０６に表示される番組情報の一例を示す図である。図１５（１）、図１６（１）は、「放送局ロゴマーク」を３つ表示した例であり、図１５（２）、図１６（２）は、「現在放送中の番組ロゴマーク」を３つ表示した例であり、図１５（３）、図１６（３）は、「現在放送中の番組内容を示す画像」を１つ表示した例であり、図１５（４）〜（５）は、図１５（１）〜（３）に示す画像表示に対応する文字情報を表示した例である。また、図１８（２）〜（４）は、ディスプレイ２０６を液晶タッチパネルとし、液晶タッチパネルに表示される各種ロゴマークを１２個にしたものである。図１９（３）〜（５）は、図１９（１）、（２）（図１８（３）、（４））に示す液晶タッチパネルに表示される各種ロゴマークを視聴者が選択した場合において、選択された各種ロゴマークに関連付けてＲＡＭ２０５ｂに格納されている各種画像情報等が液晶タッチパネルに表示された場合の一例を示す図である。
【０１４９】
このように、マルチキャスト方式で番組情報を携帯電話２００に配信することによって、現在放送中の番組情報を正確に取得することができ、現在放送中の正確な番組情報を表示することができる。具体的には、携帯電話２００において、制御部２０５が現在時刻に基づいて各チャネルの素材ＩＤを抽出し、抽出した素材ＩＤに関連付けられた番組情報に含まれる番組ロゴマーク等の画像情報をＲＡＭ２０５ｂから取り出し、取り出した画像情報を、ディスプレイ２０６に順次表示する。これによって、放送局ロゴマークや現在放送中の番組ロゴマーク、現在放送中の番組内容を示す画像、現在放送中の番組宣伝の写真等をディスプレイ２０６に表示することができる。また、入力部２０８のチャネル選択キーによってチャネルを選択する代わりに、図１６（２）、図１８（３）、図１９（１）に示すように、ディスプレイ２０６に表示されている現在放送中の「番組ロゴマーク」について、チャネル選択する画像を入力部２０８からのキー操作で選択することによって、チャネルを選択するようにしてもよい。また、図１６（１）、図１８（２）に示す「放送局ロゴマーク」と、図１６（３）、図１８（４）、図１９（２）に示す「現在放送中の番組内容を示す画像」との操作も同様である。この場合、現在放送中の内容等が視覚的に容易に認識することができるので、チャネル選択について、楽しくわかりやすいリモコン操作を実現することができる。また、チャネルを選択する場合に、次に選択しようとするチャネルについて現在放送中の番組内容が視覚的に瞬時に認識することができるので、無駄なチャネル選択操作を抑えることができる。また、図１９（３）〜（５）に示すように、テレビ番組の中で紹介される各商品や各シーン毎に設定された項目を特定する素材ＩＤに関連付けられた各商品や写真等を表示することができる。また、素材ＩＤに係るリンク情報を含む番組情報を携帯電話２００が容易に見ることができる。このため、テレビ受像機１００で放送中の各種リンク情報に携帯電話２００からアクセスする操作が容易である。
【０１５０】
また、マルチキャスト方式で番組情報を配信することによって、テレビ受像機１００で放送中のＣＭの情報や、テレビショップ番組の連絡先や商品の情報、その他放送番組に連動した情報を、携帯電話２００のディスプレイ２０６に表示することができる。
【０１５１】
図１７は、放送されている番組に関するリンクに携帯電話２００から接続する場合におけるフローを概略的に示す図である。
【０１５２】
図１７に示すように、従来の番組情報取得方法で番組リンク情報１７０５ａにアクセスする場合、最初に番組サイト１７０１に接続し、数段階（１７０２ａ〜１７０５ａ）を経た後に、所望の番組サイト１７０５ａにアクセスする。これに対して、上記各実施の形態は、図９に示すように、テレビショップ番組の中で紹介される各商品毎に設定された項目を特定する素材ＩＤに関連付けて各商品に係るリンク情報が格納されていて、各商品に係るリンク情報を含む番組情報を携帯電話２００が容易に取得することができる。このため、テレビ受像機１００で放送中のＣＭのリンク情報１７０４ｄや、テレビショップ番組の商品のリンク情報１７０５ａ〜ｃに、携帯電話２００からアクセスする場合に、携帯電話２００が取得した番組情報に含まれるリンク情報（例えば、１７０５ａ〜ｄ等）を使用して、直接アクセスすることができる。つまり、テレビ受像機１００で放送中のＣＭのリンク情報１７０４ｄや、テレビショップ番組の商品のリンク情報１７０５ａ〜ｃに携帯電話２００からアクセスする操作が容易である。
【０１５３】
なお、上記各実施の形態では、携帯電話を使用するが、テレビ受像機等のリモコン機能とサーバへの無線通信機能とタッチパネル等の表示部とを有する無線通信機能付き液晶タッチパネル式リモコンやＰＤＡ等の携帯電話以外の携帯端末等の通信装置に上記各実施の形態を適用するようにしてもよい。
【０１５４】
また、テレビ受像機等へのリモコン機能を使用し、通信装置でチャネルを選択すると、このチャネル情報を通信装置からリアルタイム番組情報サーバ３００に送信し、リアルタイム番組情報サーバ３００がチャネル情報を受信すると、現在時刻に基づいて、現在時刻と前記受信したチャネル情報とに係る放送素材に関連付けて主記憶部３０６のデータベースに格納されている番組情報を抽出し、チャネル情報を送信した通信装置にこの抽出した番組情報を送信するようにしてもよい。例えば、料理番組において料理のレシピを紹介する場合に、このレシピの紹介の部分を一の素材枠とし、この素材枠に係る放送素材にレシピの画像を関連付け、このレシピの紹介の放送時刻に、リアルタイム番組情報サーバ３００が通信装置にレシピの画像を含む番組情報を送信する。また、クイズ番組において問題を出す場合に、同様に、リアルタイム番組情報サーバ３００が通信装置に問題（解答を所定のサイトに送信するリンク情報等を含む）の画像を含む番組情報を送信する。このように、特定の放送素材枠についてのみ送信するようにしてもよく、受信したチャネルに係る全ての放送素材に係る番組情報を順次送信するようにしてもよい。
【０１５５】
また、ラジオ等の受信機と、この受信機のリモコン機能を有する携帯端末と、リアルタイム番組情報サーバとを有する番組情報提供システムに上記各実施の形態を適用することができる。つまり、携帯端末のリモコン機能を利用して受信機のチャネルを選択し、携帯端末のユーザがラジオ放送を聴いている場合において、放送中のラジオ放送に関する各種情報をユーザが携帯端末から取得することができる。この場合、ラジオ放送を聴いているユーザが一度興味を持った放送に関して、番組情報取得キーを押下するだけで、この放送に関する各種情報を容易に取得することができる。このため、ラジオ放送についての利便性を飛躍的に高めることができる。
【０１５６】
上記各実施の形態によれば、テレビ番組の宣伝をする場合に、テレビ番組に一度興味を持った視聴者を実際の視聴行動に結びつけることができ、テレビ番組の宣伝効率を飛躍的に高めることができる。
【０１５７】
たとえば、携帯電話２００を所持する視聴者が『○○料理ショー』の番組宣伝を見て『○○料理ショー』に一度興味を持った場合に、番組情報取得キーを押下するだけで、『○○料理ショー』の番組情報を容易に取得することができる。さらに、『○○料理ショー』の放送や録画に関する通知がされている状態で、視聴キーを押下すれば、『○○料理ショー』を容易に見ることができるので、『○○料理ショー』に一度興味を持った視聴者を実際の視聴行動に結びつけることができ、テレビ番組の宣伝効率を飛躍的に高めることができる。
【０１５８】
［第３の実施の形態］
図２０は、本発明の第３の実施の形態である番組情報提供システム３の構成を示すブロック図である。
【０１５９】
番組情報提供システム３は、第１の実施の形態に係る番組情報提供システム１において、携帯電話２００の代わりにＨＤＤレコーダ６００を使用し、番組情報を取得するものである。なお、第３の実施の形態において、第１の実施の形態と共通するものについては、第１の実施の形態で使用した符号を使用する。
【０１６０】
番組情報提供システム３は、インターネット２０と、テレビ受像機１００と、リアルタイム番組情報サーバ３００と、電子商取引サーバ４００と、放送局５００と、ＨＤＤレコーダ６００とを有する。
【０１６１】
図２１は、ＨＤＤレコーダ６００の内部構成を示すブロック図である。
ＨＤＤレコーダ６００は、Ｗｅｂ接続機能を有するＨＤＤレコーダであって、放送局５００から送信されたデジタル放送用の放送信号を受信し、受信した放送信号に基づいて、各種放送情報（放送番組、番組宣伝、ＣＭ等）を映像出力部６０８と音声出力部６０９とからテレビ受像機１００に出力し、また、放送情報を録画再生する録画再生装置である。また、ＨＤＤレコーダ６００は、インターネット２０を介して、リアルタイム番組情報サーバ３００から録画予約情報を直接取得することができる。さらに、ＨＤＤレコーダ６００は、インターネット２０に接続されたサイトを映像出力部６０８からテレビ受像機１００に出力し、テレビ受像機１００に表示する閲覧機能を有する。なお、本システム専用のブラウザプログラムを設ける必要はない。なお、録画の際には、録画した放送情報を検索することができるように、放送情報に対応させて所定の識別情報（例えば、番組ＩＤ、素材ＩＤ）を記録する。これによって、リモコン６２０や操作部６１０からの操作によって、録画した放送情報を容易に検索することができる。
【０１６２】
ＨＤＤレコーダ６００は、通信部６０１と、赤外線通信部６０２と、入力部６０３と、チューナ６０４と、デコーダ６０５と、制御部６０６と、グラフィック処理部６０７と、映像出力部６０８と、音声出力部６０９と、操作部６１０と、記録部６１１と、リモコン６２０とを有する。なお、映像表示部とスピーカとをＨＤＤレコーダ６００に設け、蓄積型テレビ受像機とするようにしてもよい。
【０１６３】
通信部６０１は、インターネット２０と接続し、リアルタイム番組情報サーバ３００との間で各種情報を送受信する通信部である。なお、移動体通信網等のインターネット以外の通信回線を介して、各種情報を送受信するようにしてもよい。
【０１６４】
赤外線通信部６０２は、リモコン６２０から出力された所定の動作を指示する赤外線信号を受信し、制御部６０６の制御に基づいて、各種情報をリモコン６２０に送信するものである。
【０１６５】
入力部６０３は、アンテナＡＴで受信した放送信号を入力し、入力した放送信号をチューナ６０４に出力する入力部である。この放送信号は、各放送番組のコンテンツ（放送情報に相当する映像信号及び音声信号）を含む信号である。なお、リアルタイム番組情報サーバ３００から所定の放送局に番組情報（差分情報、差替え情報等を含む）を送信し、放送情報に係る映像信号及び音声信号に番組情報（差分情報等を含む）に係る信号を重畳させ、当該放送局からＨＤＤレコーダ６００に番組情報（差分情報等を含む）を定期的または不定期に配信するようにしてもよい。
【０１６６】
チューナ６０４は、入力部６０３から入力された放送信号から、特定の放送情報を抽出するチューナである。デコーダ６０５は、チューナ６０４が抽出した放送情報をデコードするデコーダである。
【０１６７】
制御部６０６は、ＣＰＵ６０６ａと、ＲＡＭ６０６ｂと、ＲＯＭ６０６ｃとを有するマイクロコンピュータであって、ＨＤＤレコーダ６００を構成する各部に接続され、各種制御処理を実行するものである。また、制御部６０６は、年月日、時刻を計測するカウンタ（図示せず）を内蔵する。
【０１６８】
ＣＰＵ６０６ａは、ＲＯＭ６０６ｃに格納された各種制御プログラムに基づいて各種制御を実行するものである。また、ＣＰＵ６０６ａは、操作部６１０またはリモコン６２０から入力された操作情報に基づいて制御情報を生成し、生成した制御情報を各部に出力するものである。
【０１６９】
ＲＡＭ６０６ｂは、ＣＰＵ６０６ａのワーク領域等に使用されるメモリである。ＲＯＭ６０６ｃは、ＣＰＵ６０６ａに実行させるプログラムやウェブを閲覧するブラウザプログラム等の各種制御プログラムが格納されているメモリである。
【０１７０】
グラフィック処理部６０７は、テレビ受像機１００に表示させるビジュアルＥＰＧや各種設定画面等の各種画像情報を生成するグラフィック処理部である。なお、ビジュアルＥＰＧは、従来、特定番組をテキスト形式のみで表示していたＥＰＧ情報について、画像情報を含めた表示形式にしたＥＰＧ情報である。
【０１７１】
映像出力部６０８は、制御部６０６の制御に基づいて、デコーダ６０６がデコードした放送情報等をテレビ受像機１００に出力すると共に、リアルタイム番組情報サーバ３００から受信した番組情報やグラフィック処理部６０７が生成した画像情報等の各種画像情報をテレビ受像機１００に出力するものである。音声出力部６０９は、制御部６０６の制御に基づいて、各種音声情報をテレビ受像機１００に出力するものである。
【０１７２】
操作部６１０は、テレビ受像機１００に表示する放送情報のチャネルを選択するチャネル選択キーと番組情報取得キーと消去キーと視聴キーとを含む各種入力キーと表示部とを備え、視聴者に操作されたキーに応じた操作情報をＣＰＵ６０６ａに出力し、各種操作をするための画像情報等を表示するものである。なお、前記各種入力キーは、テンキー、上下左右キーや各種機能キー、タッチパネル等で構成される。
【０１７３】
記録部６１１は、各種アプリケーションプログラムを格納すると共に、放送局５００から受信した放送情報等の各種情報を格納するハードディスクである。
【０１７４】
リモコン６２０は、テレビ受像機１００に表示させる放送情報のチャネルを選択するチャネル選択キーと番組情報取得キーと消去キーと視聴キーとを含む各種入力キーと表示部とを備え、視聴者に操作されたキーに応じた操作情報を赤外線通信部６０２に送信し、各種情報を赤外線通信部６０２から受信するものである。また、リモコン６２０は、テレビ受像機１００の電源をＯＮ／ＯＦＦするリモコン機能を有する。なお、前記表示部は、各種操作をするための画像情報等を表示し、前記各種入力キーは、テンキー、上下左右キーや各種機能キー、タッチパネル等で構成される。リモコン６２０のリモコン機能によってＨＤＤレコーダ６００が所定の動作を実行する。
【０１７５】
なお、ＨＤＤレコーダ６００を使用する視聴者が操作部６１０またはリモコン６２０から位置情報を入力し、入力された位置情報をＲＡＭ６０６ｂに格納する。または、人工衛星から電波を受信して位置を検出するＧＰＳ装置（図示せず）をＨＤＤレコーダ６００に設け、このＧＰＳ装置によって現在の位置を測定し、測定した現在位置を、位置情報としてＲＡＭ６０６ｂに格納するようにしてもよい。
【０１７６】
また、ＨＤＤレコーダ６００のユーザＩＤは、ＨＤＤレコーダ６００をネットワーク上で特定する識別情報であり、たとえば、ＩＰアドレスと関連付けられ、ＲＡＭ６０６ｂに格納される。
【０１７７】
次に、番組情報提供システム３の動作について説明する。
図２２は、番組情報提供システム３における番組予約動作を示すフローチャートである。
【０１７８】
この動作は、リモコン６２０を利用して、視聴者が通常のテレビ番組をテレビ受像機１００で視聴している場合において、テレビ受像機１００で放送中の番組宣伝に係る番組情報をＨＤＤレコーダ６００が取得する動作である。なお、放送番組やＣＭ等の放送情報についても同様に番組情報を取得することができる。
【０１７９】
視聴者がテレビ番組を見るために、リモコン６２０を使用して、テレビ受像機１００の電源をＯＮすると共に、ＨＤＤレコーダ６００の電源をＯＮする（Ｓ６０１）。リモコン６２０を使用せずに、テレビ受像機１００またはＨＤＤレコーダ６００の電源をＯＮするようにしてもよい。
【０１８０】
リモコン６２０を使用して、視聴者がリモコン６２０のチャネル選択キーを押下し、テレビ受像機１００のチャネルを選択する（Ｓ６０２）。リモコン６２０のチャネル選択キーが押下されると、押下されたチャネル選択キーに関するチャネル情報をリモコン６２０から赤外線通信部６０２へ送信する。チャネル情報をリモコン６２０から赤外線通信部６０２が受信すると、受信したチャネル情報をＲＡＭ６０６ｂに格納する（Ｓ６０３）。つまり、テレビ受像機１００に出力している放送情報に係るチャネル情報をＲＡＭ６０６ｂに格納する。なお、この動作では、テレビ受像機１００に出力している放送情報に係るチャネル情報のみをＲＡＭ６０６ｂに格納するが、所定数のチャネル選択履歴情報をＲＡＭ６０６ｂに格納するようにしてもよい。
【０１８１】
ＨＤＤレコーダ６００がリモコン６２０からチャネル情報を受信すると、受信したチャネル情報に基づいてテレビ受像機１００の表示を切り替える。
【０１８２】
リモコン６２０でチャネル（例えば、Ｘチャネル）を選択した視聴者が、テレビ受像機１００に表示されているテレビ放送（放送番組）（例えば、図６に示す「○○ニュース」：平成１６年２月１９日の１９時００分〜２０時００分放送）を見ている場合に、テレビ放送中に流れた番組宣伝ＣＭ（例えば、図６に示す「番宣Ａ（『○○料理ショー』）」：平成１６年２月１９日の１９時０２分１５秒〜１９時０２分３０秒放送）を見て、この番組宣伝ＣＭのテレビ番組を視聴（又は録画）したいと思った場合（興味を持った場合）、リモコン６２０の番組情報取得キーを視聴者が押下する（Ｓ６０４）。
【０１８３】
番組情報取得キーが押下されると、番組情報取得キーが押下された旨の情報をリモコン６２０から赤外線通信部６０２へ送信する。番組情報取得キーが押下された旨の情報をリモコン６２０から赤外線通信部６０２が受信すると、テレビ受像機１００に現在出力している放送情報に係るチャネル情報（Ｘチャネル）と共に、番組情報取得を要求する番組情報取得要求情報と、ＲＡＭ６０６ｂに格納されているＨＤＤレコーダ６００のユーザＩＤと位置情報とを、通信部６０１からリアルタイム番組情報サーバ３００に送信する（Ｓ６０５）。この場合に、Ｗｅｂ上で送信してもよく、電子メールを使用して送信するようにしてもよい。ただし、この送信時刻が正確になるような通信手段を使用する必要がある。なお、送信時刻が比較的遅れる通信手段を使用する場合には、チャネル情報と番組情報取得要求情報とＨＤＤレコーダ６００のユーザＩＤと位置情報と共に、番組情報取得キーが押下された時刻に係る時刻情報をリアルタイム番組情報サーバ３００に送信するようにしてもよい。
【０１８４】
リアルタイム番組情報サーバ３００がチャネル情報と番組情報取得要求情報とＨＤＤレコーダ６００のユーザＩＤと位置情報とを受信する（Ｓ６０６）と、受信したチャネル情報と番組情報取得要求情報とＨＤＤレコーダ６００のユーザＩＤと位置情報とに関連付けて、受信した時刻（例えば、平成１６年２月１９日の１９時０２分２５秒）をＲＡＭ３０３ｂに格納する（Ｓ６０７）。なお、チャネル情報と番組情報取得要求情報とＨＤＤレコーダ６００のユーザＩＤと位置情報と共に時刻情報を受信した場合には、この時刻情報に係る時刻を受信時刻としてＲＡＭ３０３ｂに格納する。
【０１８５】
続いて、ＲＡＭ３０３ｂに格納されている受信時刻とチャネル情報と位置情報とに基づいて、主記憶部３０６に格納されているデータベースから、素材ＩＤを抽出する（Ｓ６０８）。具体的には、図９に示す番宣ＤＢ３１０とＣＭＤＢ３２０と番組本編ＤＢ３３０とから、受信したチャネル情報「Ｘチャネル」と位置情報とに基づいて、局ＩＤ（例えば、○○テレビ）を抽出し、抽出した局ＩＤと受信時刻（平成１６年２月１９日の１９時０２分２５秒）とに該当する素材ＩＤ「ＢＳ０４５１４３」（項目３１０ａ）を抽出する。つまり、ＲＡＭ３０３ｂに格納されている受信時刻とチャネル情報と位置情報とに基づいて、主記憶部３０６に格納されているデータベースから、放送素材を特定する。なお、番組情報提供システム３に係る地域においてチャネルと放送局とが統一されている場合には、受信したチャネル情報と受信時刻とに基づいて素材ＩＤを抽出する。
【０１８６】
続いて、抽出した素材ＩＤに関連付けて主記憶部３０６のデータベースに格納されている番組情報を取り出し、取り出した番組情報を、Ｓ６０６で受信したＨＤＤレコーダ６００のユーザＩＤに基づいて、番組情報取得を要求したＨＤＤレコーダ６００にリアルタイム番組情報サーバ３００が送信する（Ｓ６０９）。具体的には、図９に示す項目３１０ａの各情報を送信する。なお、番組情報が番組宣伝に係る場合、「元番組ＩＤ」に基づいて、番組宣伝に係る放送番組に関連する情報（番組ＩＤ、番組ロゴ、チャネル、放送開始日時、放送終了日時等）を取り出し、この情報を番組宣伝に係る番組情報に含めて送信する。
【０１８７】
また、抽出した素材ＩＤとチャネル情報とＨＤＤレコーダ６００のユーザＩＤと位置情報と受信時刻とを関連付けた視聴情報を視聴ログＤＢ３４０の視聴ログに格納する（Ｓ６０９）。視聴ログＤＢ３４０は、視聴ログに格納されている視聴情報に基づいて、視聴率データ等を集計する。また、ＨＤＤレコーダ６００に送信した番組情報等と、ＨＤＤレコーダ６００のユーザＩＤとを関連付けて、視聴ログＤＢ３４０の制御ログに格納する（Ｓ６０９）。
【０１８８】
リアルタイム番組情報サーバ３００が送信した番組情報を、ＨＤＤレコーダ６００が受信する（Ｓ６１０）と、受信した番組情報を記録部６１１に格納し（Ｓ６１１）、番組情報に含まれる番組ロゴ等の画像情報を映像出力部６０８からテレビ受像機１００に出力し、テレビ受像機１００に表示する（Ｓ６１２）。例えば、テレビ受像機１００で現在放送されている映像の一部に、番組ロゴとチャネルと放送開始日時と放送終了日時とを表示し、取得した番組情報を視聴者が視覚的に容易に認識できるようにする。なお、番組ロゴ等の画像情報を操作部６１０またはリモコン６２０の表示部に表示させるようにしてもよい。
【０１８９】
また、取得した番組情報に含まれるリンク情報をテレビ受像機１００に表示し、表示されたリンク情報を選択することによって、リンク情報に係るＷｅｂサイトにアクセスするようにしてもよい。
【０１９０】
続いて、受信した番組情報に含まれる素材ＩＤに基づいて、この番組情報が番組宣伝に係る番組情報であるか否かを判断し（Ｓ６１３）、受信した番組情報が番組宣伝に係る番組情報でなければ、Ｓ６０２に進む。受信した番組情報が番組宣伝に係る番組情報であれば（Ｓ６１３）、受信した番組情報の番組宣伝に係る放送番組を記録部６１１で録画するための録画予約情報を、この番組情報に含まれているチャネルと放送開始日時と放送終了日時と番組ＩＤとに基づいて作成し、作成した録画予約情報をＲＡＭ６０６ｂに格納する（Ｓ６１４）。
【０１９１】
なお、Ｓ６０９において、番組情報取得を要求したＨＤＤレコーダ６００に番組情報を送信すると共に、この番組情報が番組宣伝に係る番組情報であれば、この番組情報に係る録画予約情報を作成し、作成した録画予約情報をリアルタイム番組情報サーバ３００がＨＤＤレコーダ６００に送信するようにしてもよい。
【０１９２】
続いて、リモコン６２０を所持する視聴者がテレビ受像機１００に表示されているテレビ放送を見ている状態において、上記動作を繰り返す（Ｓ６０２〜Ｓ６１４）。操作部６１０またはリモコン６２０からの操作によって、ＨＤＤレコーダ６００の電源ＯＦＦが指示されると（Ｓ６１５）、動作を終了する。
【０１９３】
上記動作終了後、操作部６１０またはリモコン６２０からの操作によって、Ｓ６１１で記録部６１１に格納した番組情報の一覧をテレビ受像機１００に表示させ、表示された番組情報の一覧の中から所望の番組情報を選択し、表示させるようにしてもよい。
【０１９４】
なお、リアルタイム番組情報サーバ３００がＨＤＤレコーダ６００からＷｅｂ経由で番組情報取得要求された場合において、要求された番組情報についてＷｅｂ上で即座に回答を送信せずに時差回答を実行し、要求された番組情報をリアルタイム番組情報サーバ３００がＨＤＤレコーダ６００へ電子メールで送信するようにしてもよい。
【０１９５】
また、ＨＤＤレコーダ６００に送信した番組情報が番組宣伝に係る場合に、当該番組情報に係る素材ＩＤと、ＨＤＤレコーダ６００のユーザＩＤとを関連付けて視聴ログＤＢ３４０に格納し、当該素材ＩＤ（またはユーザＩＤと共に）に基づいて、リアルタイム番組情報サーバ１３００が録画予約に関する各種情報（録画予約率データ、録画予約数等）を集計または作成するようにしてもよい。
【０１９６】
図２３は、番組情報提供システム３における番組予約更新動作を示すフローチャートである。
制御部３０３は、主記憶部３０６に格納されている番宣ＤＢ３１０と、ＣＭＤＢ３２０と、番組本編ＤＢ３３０とを定期的に監視し、いずれかのデータベースにおいて更新があるか否かを監視する（Ｓ７０１）。スポーツ中継の延長や緊急ニュース等によって、放送番組やＣＭ、番組宣伝等の放送時間枠に変動が生じ、編成パターンに変更があった場合等のように、いずれかのデータベースにおいて更新があれば（Ｓ７０１）、更新があったデータベースから更新後のデータを取得する（Ｓ７０２）。
【０１９７】
取得したデータと視聴ログＤＢ３４０の制御ログに格納されている取得前のデータとを比較し、取得したデータの中から更新された部分に係る情報である差分情報のみを抽出する（Ｓ７０３）。
【０１９８】
続いて、抽出した差分情報に係る番組ＩＤを「元番組ＩＤ」として含む番組情報に関連付けて前記制御ログに格納されているＨＤＤレコーダ６００のユーザＩＤに基づいて、この抽出した部分を差分情報として当該ＨＤＤレコーダ６００に送信する（Ｓ７０４）。また、制御ログに格納されている取得前のデータについて、この抽出した差分情報に係る番組情報を更新する。
【０１９９】
ＨＤＤレコーダ６００の制御部６０６は、リアルタイム番組情報サーバ３００から差分情報を受信したか否かを定期的に監視し（Ｓ６０５）、リアルタイム番組情報サーバ３００から差分情報を受信すれば、記録部６１１に格納されている番組情報の中で、受信した差分情報に係る番組ＩＤを「元番組ＩＤ」として含む番組情報を更新する（Ｓ７０６）。続いて、番組情報を更新した旨を表示する（Ｓ７０７）。
【０２００】
具体的には、テレビ受像機１００にテレビ放送が表示されている場合には、更新した番組情報に含まれる番組ロゴ等の画像情報を映像出力部６０８に出力し、この画像情報をテレビ受像機１００に表示する（Ｓ７０７）。例えば、番組ロゴとチャネルと変更後の放送開始日時と変更後の放送終了日時と共に、「『○○料理ショー』の放送時間が変更になりました。」のメッセージをテレビ受像機１００に表示し、視聴者が視覚的に変更を容易に認識できるようにする。また、上記メッセージをテレビ受像機１００から音声出力し、通知するようにしてもよい。なお、テレビ受像機１００にテレビ放送が表示されていない場合には、更新した番組情報に含まれる番組ロゴ等の画像情報を操作部６１０またはリモコン６２０の表示部に表示する（Ｓ７０７）。
【０２０１】
続いて、更新した番組情報に係るテレビ番組を記録部６１１で録画するための録画予約情報を、更新した番組情報に含まれているチャネルと放送開始日時と放送終了日時と番組ＩＤとに基づいて作成し、作成した録画予約情報をＲＡＭ６０６ｂに格納する（Ｓ６２０）。録画予約情報をＲＡＭ６０６ｂに格納する動作と共に、更新前にＲＡＭ６０６ｂに格納されていた更新に係る録画予約情報を消去する。
【０２０２】
なお、図２２に示すＳ６０９において、リアルタイム番組情報サーバ３００がＨＤＤレコーダ６００に録画予約情報を直接送信した場合には、ＨＤＤレコーダ６００に差分情報を送信すると共に、更新された番組情報に基づいたＨＤＤレコーダ６００に録画予約させるための録画予約情報を作成し、作成した録画予約情報をリアルタイム番組情報サーバ３００がＨＤＤレコーダ６００に送信する。この送信と共に、更新前に登録されていた録画予約を消去する録画予約消去情報を送信し、更新前に登録されていた録画予約を消去する。
【０２０３】
図２４は、番組情報提供システム３における予約番組視聴動作を示すフローチャートである。
この制御動作は、ＨＤＤレコーダ６００を使用する視聴者が、『○○料理ショー』を実際の放送時間帯に視聴する場合の動作である。
【０２０４】
記録部６１１に格納された番組情報が番組宣伝に係る場合、この番組情報に基づいて、番組情報に含まれる『○○料理ショー』の放送開始時刻の所定時間前（例えば、２時間前）の時刻に達したか否かを判断し（Ｓ８０１）、所定時刻に達していれば、放送開始時刻の所定時間前である旨を表示し、視聴者が実際の放送時間に『○○料理ショー』の放送を見ることができるように通知する（Ｓ８０２）。具体的には、テレビ受像機１００にテレビ放送が表示されている場合には、番組情報に含まれる画像ロゴと「『○○料理ショー』の放送開始時刻の２時間前です。なお、今後『○○料理ショー』の通知を中止させる場合には、消去キーを押して下さい。」のメッセージとを映像出力部６０８に出力し、この画像ロゴとメッセージとをテレビ受像機１００に表示する。
【０２０５】
一方、テレビ受像機１００にテレビ放送が表示されていない場合には、前記画像ロゴとメッセージとを操作部６１０またはリモコン６２０の表示部に表示する（Ｓ８０２）。このように、通知することによって、視聴者が視覚的に『○○料理ショー』の放送開始時刻を容易に認識できるようにする。また、「『○○料理ショー』の放送開始時刻の２時間前です。」の音声メッセージをテレビ受像機１００等のスピーカから出力させ、画像表示と共に音声で通知するようにしてもよい。
【０２０６】
なお、『○○料理ショー』の放送開始時刻の所定時間前に、所定の間隔で定期的に通知をするようにしてもよい。例えば、１時間前、２時間前、３時間前のように、３時間前から１時間間隔で行う。また、５時間前、２時間前、３０分前、５分前のように、不定期に通知するようにしてもよい。
【０２０７】
続いて、通知動作を実行している場合（Ｓ８０２）に、消去キーが押下されたか否かを判断し（Ｓ８０３）、通知動作の実行中に消去キーが押下されれば、通知動作を実行している番組情報を記録部６１１から消去する。このようにすることによって、通知されている『○○料理ショー』に視聴者が興味を失っている場合に、以後の通知を中止することができる。なお、通知動作の実行中に消去キーが押下された場合に、通知動作を実行している番組情報に係る録画予約を中止するようにしてもよい。
【０２０８】
続いて、通知動作の開始から所定時間（例えば、２０秒間）が経過すれば、通知動作を停止する（Ｓ８０４）。具体的には、テレビ受像機１００等の通知表示を消去し、スピーカの通知音声出力を停止する。なお、操作部６１０またはリモコン６２０における何らかのキー操作によって、通知動作を停止させるようにしてもよい。
【０２０９】
続いて、『○○料理ショー』の放送開始時刻になったか否かを判断し（Ｓ８０５）、放送開始時刻になれば、番組情報に含まれる画像ロゴと「『○○料理ショー』の放送開始時刻です。これを見る場合には、視聴キーを押して下さい。なお、『○○料理ショー』の録画予約を解除する場合には、消去キーを押して下さい。」のメッセージとをテレビ受像機１００（テレビ受像機１００にテレビ放送が表示されていない場合は、操作部６１０の表示部またはリモコン６２０の表示部）に表示し、ＨＤＤレコーダ６００を使用する視聴者が実際の放送時間に『○○料理ショー』の放送を見ることができるように通知する（Ｓ８０６）。なお、この音声メッセージをスピーカ２０７から出力し、画像表示と共に音声で通知するようにしてもよい。また、『○○料理ショー』の放送開始時刻の所定時間前（例えば、５分前）に、この通知をするようにしてもよく、定期的（例えば、２０分前、１５分前、１０分前、５分前）または不定期（例えば、２０分前、８分前、５分前、２分前）に通知するようにしてもよい。また、通知時間を予め設定しておくようにしてもよい。
【０２１０】
続いて、通知動作を実行している場合（Ｓ８０６）に、視聴キーが押下されたか否かを判断し（Ｓ８０７）、通知動作の実行中に視聴キーが押下されれば、通知動作を実行している番組情報に係るチャネル情報に基づいて、テレビ受像機１００のチャネルを選択する（Ｓ８０８）。なお、テレビ受像機１００が電源ＯＦＦの場合があるので、この送信の前に、電源ＯＮ情報をテレビ受像機１００にリモコン送信するようにしてもよい。続いて、通知動作の実行中に視聴キーが押下された番組情報を記録部６１１から消去する（Ｓ８０９）。
【０２１１】
なお、『○○料理ショー』の放送開始が通知された場合において、『○○料理ショー』の放送時間帯に、他の放送番組を視聴者が視聴する場合、この視聴者は実際の放送時間に『○○料理ショー』を視聴することができない。しかし、ＨＤＤレコーダ６００には『○○料理ショー』が録画されるので、ＨＤＤレコーダ６００に録画される『○○料理ショー』を、『○○料理ショー』の放送終了後に視聴者が視聴することができる。
【０２１２】
また、通知動作を実行している場合（Ｓ８０６）に、視聴キーが押下されなければ（Ｓ８０７）、消去キーが押下されたか否かを判断し（Ｓ８１０）、消去キーが押下されれば、通知動作の実行中に消去キーが押下された番組情報を記録部６１１から消去する（Ｓ８０９）。
【０２１３】
通知動作を実行している場合（Ｓ８０６）に、視聴キーが押下されず（Ｓ８０７）、消去キーが押下されなければ（Ｓ８１０）、通知動作の開始から所定時間の経過後（例えば、１分間）に、通知動作を停止する（Ｓ８１１）。具体的には、テレビ受像機１００等の通知表示を消去し、スピーカの通知音声出力を停止する。なお、操作部６１０またはリモコン６２０における何らかのキー操作によって、通知動作を停止させるようにしてもよい。
【０２１４】
このようにすることによって、ＨＤＤレコーダ６００を使用する視聴者が、通知されている『○○料理ショー』に興味を失っている場合に、以後の通知を中止することができる。なお、通知動作の実行中に消去キーが押下された場合に、通知動作を実行している番組情報に係るＨＤＤレコーダ６００の録画予約を中止するようにしてもよい。また、Ｓ８０１で所定時刻に達していない場合に、Ｓ８０５に進むようにしてもよい。
【０２１５】
図２５は、番組情報提供システム３における予約番組視聴動作を示すフローチャートである。
この制御動作は、ＨＤＤレコーダ６００を使用する視聴者が、『○○料理ショー』の放送終了後に、ＨＤＤレコーダ６００に録画された『○○料理ショー』を視聴する場合の動作である。
【０２１６】
記録部６１１に格納された番組情報が番組宣伝に係る場合、この番組情報に基づいて、番組情報に含まれる『○○料理ショー』の放送終了時刻が経過したか否かを判断し（Ｓ９０１）、『○○料理ショー』の放送終了時刻が経過していれば、放送終了時刻の経過後、所定時間が経過（例えば、２時間）したか否かを判断し（Ｓ９０２）、放送終了時刻の経過後、所定時間が経過していれば、番組情報に含まれる画像ロゴと「『○○料理ショー』がＨＤＤレコーダ６００に録画されています。これを再生する場合には、視聴キーを押して下さい。なお、ＨＤＤレコーダ６００に録画されている『○○料理ショー』を消去する場合には、消去キーを押して下さい。」のメッセージとをテレビ受像機１００等に表示し、ＨＤＤレコーダ６００に録画された『○○料理ショー』を視聴することができるように視聴者に通知する（Ｓ９０３）。なお、このメッセージの音声情報をＣＰＵ６０６ａが生成し、生成したメッセージをテレビ受像機１００等のスピーカから出力し、画像表示と共に音声で通知するようにしてもよい。
【０２１７】
また、『○○料理ショー』の放送終了時刻の経過後、所定の間隔で定期的に通知をするようにしてもよい。例えば、１２時間後、２４時間後、３６時間後のように、所定の時間間隔で行う。また、２時間後、５時間後、２４時間後、４８時間後のように、不定期に通知するようにしてもよい。また、この間隔を予め設定しておくようにしてもよい。
【０２１８】
続いて、通知動作を実行している場合（Ｓ９０３）に、視聴キーが押下されたか否かを判断し（Ｓ９０４）、通知動作の実行中に視聴キーが押下されれば、通知動作を実行している番組情報に係る『○○料理ショー』を番組ＩＤに基づいて検索し、『○○料理ショー』の再生を実行する（Ｓ９０５）。この開始の前に、電源ＯＮ情報をテレビ受像機１００にリモコン送信するようにしてもよい。
【０２１９】
続いて、通知動作の実行中に視聴キーが押下された番組情報を記録部６１１から消去する（Ｓ９０６）。また、通知動作を実行している場合（Ｓ９０３）に、視聴キーが押下されなければ（Ｓ９０４）、消去キーが押下されたか否かを判断し（Ｓ９０７）、消去キーが押下されれば、通知動作の実行中に消去キーが押下された番組情報を記録部６１１から消去し、通知動作を実行している番組情報に係る録画内容を消去する（Ｓ９０６）。このようにすることによって、通知されている『○○料理ショー』に視聴者が興味を失っている場合に、以後の通知を中止することができる。
【０２２０】
通知動作を実行している場合（Ｓ９０３）に、視聴キーが押下されず（Ｓ９０４）、消去キーが押下されなければ（Ｓ９０７）、通知動作の開始から所定時間（例えば、１分間）の経過後に、通知動作を停止させる（Ｓ９０８）。具体的には、テレビ受像機１００等の通知表示を消去し、スピーカの通知音声出力を停止する。なお、操作部６１０またはリモコン６２０における何らかのキー操作によって、通知動作を停止させるようにしてもよい。
【０２２１】
上記動作で示した各所定時間と所定の間隔とメッセージとを含む通知に関する通知情報は、ＲＡＭ６０６ｂに予め格納されている。なお、各種の通知情報をリモコン６２０等から随時入力し、ＲＡＭ６０６ｂに格納するようにしてもよい。また、予約した放送番組に係る放送終了時刻の経過後に（Ｓ９０１）、１日のうちの所定の時刻（例えば、夜の９時、１０時等）になったか否かを判断し（Ｓ９０２）、所定の時刻になった場合に、Ｓ９０３の通知をするようにしてもよい。なお、番組宣伝に係る番組情報が記録部６１１に複数格納されている場合には、これらの番組情報のうちの１つ又は２以上の番組情報をテレビ受像機１００に順次表示（または複数の番組情報を一度に表示）し、または音声を出力し、Ｓ９０３の通知を実行する。このように、視聴者が都合のよい時間に通知することによって、視聴者を実際に視聴行動に結び付けることができる。
【０２２２】
上記各動作では、リモコン６２０の各種操作キーを使用する場合の動作について説明したが、操作部６１０の各種操作キーを使用する場合についても上記動作を適用することができる。また、上記動作で示した各通知をＨＤＤレコーダ６００から携帯電話等の通信装置に転送し、この通信装置から通知するようにしてもよい。
【０２２３】
なお、図２２に示すＳ６０１〜Ｓ６１２、図２３に示すＳ７０１〜Ｓ７０７、図２４に示す各動作について、リアルタイム番組情報サーバ３００との間で通信する通信機能と、番組情報を格納する記憶部とを有するデジタルテレビ受像機等の映像視聴装置に適用することができる。また、各動作を、デジタルテレビのチューナと、リアルタイム番組情報サーバ３００との間で通信する通信機能と、録画機能とを有するパソコン等の情報処理装置に適用することができる。また、各動作を、アナログ放送についても適用することができる。
【０２２４】
［第４の実施の形態］
本発明の第４の実施の形態は、マルチキャスト方式で番組情報をＨＤＤレコーダ６００に配信するものである。
図２６は、本発明の第４の実施の形態である番組情報提供システム３における番組予約動作を示すフローチャートである。
【０２２５】
制御部３０３は、主記憶部３０６に格納されている番宣ＤＢ３１０と、ＣＭＤＢ３２０と、番組本編ＤＢ３３０との番組情報のうちの所定期間内（例えば、１週間分）の番組情報を抽出し、抽出した所定期間内の番組情報をマルチキャスト通信部３０１ａがＩＰマルチキャスト通信を実行し、一斉同報送信によって、ＨＤＤレコーダ６００に配信する（Ｓ１００１）。この場合に、配信される地域の番組情報を送信するようにしてもよく、また、全ての地域の番組情報をリアルタイム番組情報サーバ３００が配信し、配信された番組情報を受信したＨＤＤレコーダ６００が自己の設置されている地域に係る番組情報を抽出し、抽出した番組情報を記録部６１１に格納するようにしてもよい。なお、この配信をＨＤＤレコーダ６００からの要求に応じて実行するようにしてもよい。
【０２２６】
リアルタイム番組情報サーバ３００が配信した番組情報を、ＨＤＤレコーダ６００が受信すると、受信した番組情報を記録部６１１に格納する（Ｓ１００５）。例えば、図９に示す番宣ＤＢ３１０とＣＭＤＢ３２０と番組本番ＤＢ３３０との１週間分の番組情報を記録部６１１に格納する。この場合に、番組情報を受信した旨と、所定期間内（例えば、直近の１時間分）の番組情報とを映像出力部６０８からテレビ受像機１００に出力し、これらの情報をテレビ受像機１００に表示するようにしてもよい。
【０２２７】
続いて、制御部３０３は、主記憶部３０６に格納されている番宣ＤＢ３１０と、ＣＭＤＢ３２０と、番組本編ＤＢ３３０とを定期的に監視し、いずれかのデータベースにおいて更新があるか否かを監視する（Ｓ１００２）。いずれかのデータベースにおいて更新があれば、更新があったデータベースから更新後のデータを取得し、取得したデータの中から更新された部分に係る情報である差分情報のみを抽出する（Ｓ１００３）。
【０２２８】
続いて、マルチキャスト通信部３０１ａがＩＰマルチキャスト通信を実行し、一斉同報送信によって、抽出した差分情報をＨＤＤレコーダ６００に配信する（Ｓ１００４）。
【０２２９】
ＨＤＤレコーダ６００の制御部６０６は、リアルタイム番組情報サーバ３００から差分情報を受信したか否かを定期的に監視し（Ｓ１００６）、リアルタイム番組情報サーバ３００から差分情報を受信すれば、記録部６１１に格納されている番組情報の中で、受信した差分情報に係る部分を更新する（Ｓ１００７）。
【０２３０】
続いて、更新した部分が、既に録画予約をした放送情報に係る番組情報に関するものであるか否かを判断し（Ｓ１００８）、更新した部分が、既に録画予約をした放送情報に係る番組情報に関するものであれば、この番組情報に含まれているチャネルと更新後の放送開始日時と更新後の放送終了日時とに基づいて録画予約情報を作成しＲＡＭ６０６ｂに格納する（Ｓ１００９）。この録画予約と共に、更新前にＲＡＭ６０６ｂに格納されていた更新に係る録画予約情報を消去する。
【０２３１】
続いて、視聴者がチャネル選択キーを押下し、チャネルを選択したか否かを判断し（Ｓ１０１０）、チャネル選択キーが押下されると、押下されたチャネル選択キーに関するチャネル情報に基づいて、テレビ受像機１００の表示を切り替えると共に、押下されたチャネル選択キーに関するチャネル情報をＲＡＭ６０６ｂに格納する（Ｓ１０１１）。なお、第４の実施の形態では、直近で押下されたチャネル情報のみをＲＡＭ６０６ｂに格納するが、所定数のチャネル選択履歴情報をＲＡＭ６０６ｂに格納するようにしてもよい。
【０２３２】
リモコン６２０でチャネルを選択した視聴者が、テレビ受像機１００に表示されているテレビ放送を見ている場合に、テレビ放送中に流れた番組宣伝ＣＭを見て、番組宣伝ＣＭのテレビ番組（例えば『○○料理ショー』）を視聴（又は録画）したいと思った場合（興味を持った場合）、視聴者が番組情報取得キーを押下する（Ｓ１０１２）。
【０２３３】
番組情報取得キーが押下されると、テレビ受像機１００に現在出力している放送情報に係るチャネル情報に関連付けて、番組情報取得キーが押下された時刻をＲＡＭ６０６ｂに格納する（Ｓ１０１３）。続いて、ＲＡＭ６０６ｂに格納されている押下時刻とチャネル情報とに基づいて、記録部６１１に格納されている番組情報から、素材ＩＤを抽出する（Ｓ１０１４）。つまり、ＲＡＭ６０６ｂに格納されている押下時刻とチャネル情報とに基づいて、記録部６１１に格納されている番組情報から、放送素材を特定する。
【０２３４】
続いて、抽出した素材ＩＤに関連付けて記録部６１１に格納されている番組情報を取り出し、取り出した番組情報に含まれる番組ロゴ等の画像情報をテレビ受像機１００に表示する（Ｓ１０１５）。例えば、取り出した番組情報が番組宣伝に係る場合、番組ロゴと共に、当該番組のチャネルと放送開始日時と放送終了日時とをテレビ受像機１００に表示し、視聴者が視覚的に容易に認識できるようにする。続いて、取り出した番組情報が番組宣伝に係る番組情報であるか否かを判断し（Ｓ１０１６）、取り出した番組情報が番組宣伝に係る番組情報であれば、この番組情報に含まれているチャネルと放送開始日時と放送終了日時とに基づいて録画予約情報を作成し、作成した録画予約情報をＲＡＭ６０６ｂに格納する（Ｓ１０１７）。続いて、視聴者がテレビ受像機１００のテレビ放送を見ている状態において、上記動作を繰り返す（Ｓ１００６〜Ｓ１０１７）。
【０２３５】
なお、操作部６１０またはリモコン６２０において操作をされる毎に、この操作に係る操作情報をＨＤＤレコーダ６００からリアルタイム番組情報サーバ３００に送信し、リアルタイム番組情報サーバ３００が操作情報を受信すると、受信した操作情報を視聴ログＤＢ３４０の視聴ログに格納しておき、格納された操作情報に基づいて、各種データを集計または作成するようにしてもよい。各種データは、録画予約集計データ、視聴率データ、録画再生データ等であり、操作情報として、チャネル情報、録画予約情報、録画再生情報等がある。例えば、ＨＤＤレコーダ６００からチャネル選択に係るチャネル情報を受信した場合に、当該チャネル情報（または位置情報と共に）と受信時刻とに係る素材ＩＤと、ＨＤＤレコーダ６００のユーザＩＤとを関連付けて視聴ログＤＢ３４０に格納し、当該素材ＩＤ（またはユーザＩＤと共に）に基づいて、リアルタイム番組情報サーバ１３００が視聴率に関する各種情報（視聴率データ、視聴数）を作成または集計する。
【０２３６】
リアルタイム番組情報サーバ３００から受信した番組情報を、ＨＤＤレコーダ６００からリモコン６２０に送信し、リモコン６２０の表示部において番組情報を表示するようにしてもよい。また、ＨＤＤレコーダ６００が図２４、図２５に示す制御動作を実行するようにしてもよい。
【０２３７】
テレビ受像機１００に表示される番組情報は、例えば、図１５、１６、１８、１９に示すように、表示する。図１５（１）、図１６（１）は、「放送局ロゴマーク」を３つ表示した例であり、図１５（２）、図１６（２）は、「現在放送中の番組ロゴマーク」を３つ表示した例であり、図１５（３）、図１６（３）は、「現在放送中の番組内容を示す画像」を１つ表示した例であり、図１５（４）〜（５）は、図１５（１）〜（３）に示す画像表示に対応する文字情報を表示した例である。また、図１８（２）〜（４）は、テレビ受像機１００に表示される各種ロゴマークを１２個にしたものである。図１９（３）〜（５）は、図１９（１）、（２）（図１８（３）、（４））に示すテレビ受像機１００に表示される各種ロゴマークをリモコン６２０等の操作によって視聴者が選択した場合において、選択された各種ロゴマークに関連付けて記録部６１１に格納されている各種画像情報等をテレビ受像機１００に表示する場合の一例を示す図である。
【０２３８】
このように、マルチキャスト方式で番組情報をＨＤＤレコーダ６００に配信することによって、現在放送中の番組情報を正確に取得することができ、現在放送中の正確な番組情報を表示することができる。具体的には、ＨＤＤレコーダ６００において、制御部６０６が現在時刻に基づいて、現在時刻（または、現在時刻の所定時間前の時刻）に係る各チャネルの素材ＩＤを特定し、特定した素材ＩＤに関連付けられた番組情報に含まれる番組ロゴマーク等の画像情報を記録部６１１から取り出し、取り出した画像情報をテレビ受像機１００に順次表示する。取り出す画像情報は１または複数でもよい。これによって、放送局ロゴマークや現在放送中の番組ロゴマーク、現在放送中の番組内容を示す画像、現在放送中の番組宣伝の写真等をテレビ受像機１００に表示することができる。また、図１６（２）、図１８（３）、図１９（１）に示すように、テレビ受像機１００に表示されている現在放送中の「番組ロゴマーク」について、チャネル選択する画像をリモコン６２０からのキー操作で選択することによって、チャネルを選択するようにしてもよい。また、図１６（１）、図１８（２）に示す「放送局ロゴマーク」と、図１６（３）、図１８（４）、図１９（２）に示す「現在放送中の番組内容を示す画像」との操作も同様である。この場合、現在放送中の内容等が視覚的に容易に認識することができるので、チャネル選択について、楽しくわかりやすいリモコン操作を実現することができる。また、チャネルを選択する場合に、次に選択しようとするチャネルについて現在放送中の番組内容が視覚的に瞬時に認識することができるで、無駄なチャネル選択操作を抑えることができる。
【０２３９】
また、テレビ受像機１００で「○○ニュース」（平成１６年２月１９日の１９時００分〜２０時００分の枠に設定）を見て、この「○○ニュース」における各ニュースに登場する事件等についての詳細情報等を取得する場合に、上記制御動作を適用することができる。例えば、図６（２）に示す「本編１」の放送時間帯の枠を、「本編１」の中で取り上げられる項目（○○裁判のニュース、あるプロ野球の試合結果等のように、詳細なニュース毎に設定）毎の放送素材に分け、この放送素材に素材ＩＤとこれに関連する各種情報を付与し、番組本編ＤＢ３３０に格納にする。そして、番組本編内において項目毎に分けられた「○○ニュース」の中の各ニュースの項目を特定する素材ＩＤに係る番組情報を抽出することによって、図８に示す番組メタデータ３６４における各ニュースに登場する各事件についての詳細情報（各事件に係る「リンク先」「ファイル名」等）を取得する。
【０２４０】
また、テレビ受像機１００でテレビショッピング番組を見て、このテレビショッピング番組で紹介される各商品についての詳細情報等を取得する場合に、上記制御動作を適用することができる。例えば、上記と同様に、「テレビショッピング番組」の放送時間帯の枠を、「テレビショッピング番組」の中で取り上げられる項目（商品「○○テレビ」の紹介、商品「○○ビデオレコーダ」、商品「○○アクセサリー」の紹介等のように、商品毎に設定）毎の放送素材に分け、この放送素材に素材ＩＤとこれに関連する各種情報を付与し、番組本編ＤＢ３３０に格納にする。そして、番組本編内においてテレビショップ番組の中で紹介される商品毎に設定された項目を特定する素材ＩＤに係る番組情報を抽出することによって、図８に示す番組メタデータ３６４における各商品についての詳細情報（各商品の内容に係る「リンク先」「ファイル名」等）を取得する。
【０２４１】
また、テレビ受像機１００でドラマ番組を見て、この番組における各シーンに登場する人や物についての詳細情報等を取得する場合に、上記制御動作を適用することができる。例えば、上記と同様に、「ドラマ○○刑事」の放送時間帯の枠を、「ドラマ○○刑事」の中で取り上げられる項目（「アクションシーン」、「逮捕シーン」、「謎解きシーン」等のように、ドラマの中の所定のシーン毎に設定）毎の放送素材に分け、この放送素材に素材ＩＤとこれに関連する各種情報を付与し、番組本編ＤＢ３３０に格納にする。そして、番組本編内において所定の間隔で分けられたドラマの中の各シーンの項目を特定する素材ＩＤに係る番組情報を抽出することによって、図８に示す番組メタデータ３６４における各シーンに登場する人や物についての詳細情報（人や物に係る「リンク先」「ファイル名」等）を取得する。
【０２４２】
また、図１９（３）〜（５）に示すように、テレビ番組の中で紹介される各商品や各シーンに設定された項目を特定する素材ＩＤに関連付けられた各商品や写真等を表示することができる。また、素材ＩＤに係るリンク情報を含む番組情報をテレビ受像機１００で容易に見ることができる。このため、テレビ受像機１００で放送中の各種リンク情報にＨＤＤレコーダ６００からアクセスする操作が容易である。
【０２４３】
また、マルチキャスト方式で番組情報を配信することによって、ＨＤＤレコーダ６００で放送中のＣＭの情報や、テレビショップ番組の連絡先や商品の情報、その他放送番組に連動した情報を、テレビ受像機１００に表示することができる。
【０２４４】
図１７に示すように、従来の番組情報取得方法で番組リンク情報１７０５ａにアクセスする場合、最初に番組サイト１７０１に接続し、数段階（１７０２ａ〜１７０５ａ）を経た後に、所望の番組サイト１７０５ａにアクセスする。これに対して、上記各実施の形態は、図９に示すように、テレビショップ番組の中で紹介される各商品毎に設定された項目を特定する素材ＩＤに関連付けて各商品に係るリンク情報が格納されていて、各商品に係るリンク情報を含む番組情報をＨＤＤレコーダ６００が容易に取得することができる。このため、テレビ受像機１００で放送中のＣＭのリンク情報１７０４ｄや、テレビショップ番組の商品のリンク情報１７０５ａ〜ｃに、ＨＤＤレコーダ６００からアクセスする場合に、ＨＤＤレコーダ６００が取得した番組情報に含まれるリンク情報（例えば、１７０５ａ〜ｄ等）を使用して、直接アクセスすることができる。つまり、テレビ受像機１００で放送中のＣＭのリンク情報１７０４ｄや、テレビショップ番組の商品のリンク情報１７０５ａ〜ｃにＨＤＤレコーダ６００からアクセスする操作が容易である。
【０２４５】
なお、図２６に示すＳ１００１〜Ｓ１００７、Ｓ１０１０〜Ｓ１０１５に示す各動作について、リアルタイム番組情報サーバ３００との間で通信する通信機能と、番組情報を格納する記憶部とを有するデジタルテレビ受像機等の映像視聴装置に適用することができる。また、各動作を、デジタルテレビのチューナと、リアルタイム番組情報サーバ３００との間で通信する通信機能と、録画機能とを有するパソコン等の情報処理装置に適用することができる。また、各動作を、アナログ放送についても適用することができる。
【０２４６】
［第５の実施の形態］
図２７は、第５の実施の形態に係るリアルタイム番組情報サーバ１３００の主記憶部１３０６に格納される番宣ＤＢ１３１０とＣＭＤＢ１３２０と番組本編ＤＢ１３３０とを概念的に示す図である。
【０２４７】
本発明の第５の実施の形態は、第４の実施の形態と同様に、マルチキャスト方式で番組情報をリアルタイム番組情報サーバ１３００からＨＤＤレコーダ６００に配信し、更新に係る差分情報等を配信するものであって、図２７に示すように、リアルタイム番組情報サーバ３００の主記憶部３０６に各種情報を付加したものである。各種情報は、例えば、ＣＭスキップＮＧ情報、選局画面情報、映像内容ＩＤ、差替え用ＩＤ、視聴有効期間情報（使用有効期間情報、権利有効期間情報）であって、図８に示す番組基本情報３６１または番組メタデータ３６４に含まれる情報である。
【０２４８】
また、現在放送中の放送情報を録画する場合に使用する録画指示キーと、録画した放送中に流れるＣＭ等の放送枠をスキップする場合に使用するスキップ指示キーと、所望の映像内容を選択する場合に使用する映像内容選択キーとを操作部６１０及びリモコン６２０に設ける。
【０２４９】
リアルタイム番組情報サーバ１３００は、番宣ＤＢ１３１０とＣＭＤＢ１３２０と番組本編ＤＢ１３３０とを格納する主記憶部１３０６と、操作部６１０及びリモコン６２０との構成以外の構成は、リアルタイム番組情報サーバ３００と同様である。
【０２５０】
図２８は、本発明の第５の実施の形態である番組情報提供システム５における選局画面表示制御動作を示すフローチャートである。
図２９、図３６は、テレビ受像機１００に表示される放送局ロゴマークや現在放送中の番組ロゴマーク、現在放送中の番組内容を示す画像等の表示例を示す図である。
【０２５１】
この制御動作は、放送局側からの情報に基づいて、テレビ受像機１００に表示される現在放送中の番組ロゴマーク等の配置や大きさを制御する動作である。なお、第４の実施の形態と同様に、ＨＤＤレコーダ６００が番組情報をリアルタイム番組情報サーバ１３００から取得し、取得した番組情報を記録部６１１に格納する。
【０２５２】
選局画面表示をＯＮする指示がされると、動作を開始する。ＨＤＤレコーダ６００において、記録部６１１に格納されている番組情報の中から、現在時刻に基づいて、現在時刻（または、現在時刻の所定時間前の時刻）に係る各チャネルの素材ＩＤを抽出し（Ｓ１１０１）、抽出した各チャネルの素材ＩＤに係る番組情報に「選局画面情報」が含まれるか否かを判断する（Ｓ１１０２）。抽出した各チャネルの素材ＩＤに係る番組情報に「選局画面情報」が含まれていなければ（Ｓ１１０２）、抽出した各チャネルの素材ＩＤに係る番組情報に含まれる番組ロゴマーク等の画像情報を記録部６１１から取り出し（Ｓ１１０５）、図２９（１）〜（３）に示すように、取り出した画像情報をテレビ受像機１００に表示する（Ｓ１１０６）。テレビ受像機１００に表示する画像情報は、放送局ロゴマークや現在放送中の番組ロゴマーク、現在放送中の番組内容を示す画像、現在放送中の番組宣伝の写真、ビジュアルＥＰＧ等である。なお、テレビ受像機１００において現在放送中の映像が表示されている場合には、現在放送中の映像の一部に画像情報を表示するようにしてもよい。
【０２５３】
一方、抽出した各チャネルの素材ＩＤに係る番組情報に「選局画面情報」が含まれていれば（Ｓ１１０２）、抽出した各チャネルの素材ＩＤに係る番組情報に含まれる番組ロゴマーク等の画像情報を記録部６１１から取り出し（Ｓ１１０３）、当該「選局画面情報」の情報に従って、図２９（４）〜（６）に示すように、取り出した画像情報をテレビ受像機１００に表示する（Ｓ１１０３）。例えば、「選局画面情報」の情報に「４倍・左上」が付与されている素材ＩＤに係る画像情報を表示する場合には、図２９（４）の画面左上に示す「○テレ」のように、「○テレ」に係る画像を通常の４倍の大きさで画面左上に表示する。この場合に、「選局画面情報」が含まれていない番組情報に係る番組ロゴマーク等の画像情報を、図２９（４）に示すように、「選局画面情報」が含まれる画像に比べ小さく、通常の順番または指示された順番で表示する。また、図３６（１）に示すように、「選局画面情報」の情報に従って、一の放送局に係る所定時間（例えば、２４時間）の番組情報に含まれる番組ロゴマーク等の画像情報のうちの特定のものを円上に配置するようにしてもよく、図３６（２）に示すように、横軸をチャネル軸とし、縦軸を時間軸として、「選局画面情報」の情報に従って、所定のチャネルに係る画像を画面の真ん中に配置するようにしてもよい。また、「選局画面情報」の情報に基づく他の表示形態を実行するようにしてもよい。なお、操作部６１０またはリモコン６２０の表示部に上記取り出した画像情報を表示するようにしてもよい。
【０２５４】
続いて、選局画面表示をＯＦＦする指示がされたか否かを判断し（Ｓ１１０７）、ＯＦＦの指示がされれば、動作を終了する。一方、ＯＦＦの指示がされなければ、Ｓ１１０１〜Ｓ１１０６の動作を繰り返し実行する。
【０２５５】
このように、選局画面表示制御動作を実行することによって、従来行われていたチャネル番号順の表示や視聴者の好みに応じた表示ではなく、放送局側の情報に基づいて、視聴者側の画面上の表示を制御することができる。例えば、放送局が新番組を放送する場合、その番組の番組ロゴマークや出演者等の写真等を、真ん中または左上の目立つ位置に、他の放送局の表示よりも、大きく表示することができる。このため、この表示を見た視聴者に当該新番組を視覚的に容易に認識されるようにすることができるので、当該新番組の視聴欲求を効率的に高め、当該新番組の視聴に結びつけることができる。また、商品等の広告をする場合や、番組宣伝をする場合等も上記と同様に、ＣＭや番宣を視覚的に容易に認識されやすいようにすることができるので、広告及び宣伝の効果を高めることができる。
【０２５６】
なお、この動作を視聴者に利用してもらえるようにするために、放送局が番組情報の配信を無料で行うこと等が考えられる。また、第２の実施の形態における携帯電話２００に、上記選局画面情報を適用することができる。
【０２５７】
図３０は、番組情報提供システム５における番組録画動作を示すフローチャートである。
この制御動作は、ＨＤＤレコーダ６００において視聴者の操作によって録画が指示された場合と、録画予約がされたテレビ番組を録画する場合とを示す録画動作である。たとえば、平成１６年２月１９日の１９時００分〜２０時００分に放送される『○○ニュース』を録画する場合について説明する。
【０２５８】
リモコン６２０からの操作によって現在放送中のテレビ放送の録画が指示されたか否かを判断し（Ｓ１２０１）、現在放送中のテレビ放送の録画が指示されなければ、ＲＡＭ６０６ｂに格納されている録画予約情報に基づいて、『○○ニュース』の放送開始時刻（平成１６年２月１９日の１９時００分）になったか否かを判断する（Ｓ１２０２）。
【０２５９】
現在放送中のテレビ放送について、録画の指示がなく（Ｓ１２０１）、録画予約の放送開始時刻に達していない場合（Ｓ１２０２）には、録画指示または放送開始時刻まで待機する。
【０２６０】
リモコン６２０からの操作によって現在放送中のテレビ放送の録画が指示された場合（Ｓ１２０１）、または、『○○ニュース』の放送開始時刻になった場合（Ｓ１２０２）、現在時刻と録画を指示されたテレビ放送のチャネル（録画予約に係るチャネル）に係るチャネル情報とに基づいて、記録部６１１に格納されている番組情報から、現在時刻と当該チャネル情報とに係る素材ＩＤを抽出する（Ｓ１２０３）。
【０２６１】
続いて、放送局５００から受信した放送情報と、抽出した素材ＩＤに関連付けて記録部６１１に格納されている番組情報に含まれる各種情報とを対応させ、記録部６１１に記録する（Ｓ１２０４）。各種情報は、例えば、図２７に示すように、素材ＩＤ、ＣＭスキップＮＧ情報、映像内容ＩＤ、差替え用ＩＤ、視聴有効期間情報である。
【０２６２】
リモコン６２０からの操作によって録画の終了が指示されたか否かを判断し（Ｓ１２０５）、録画の終了が指示されなければ、ＲＡＭ６０６ｂに格納されている録画予約情報に基づいて、『○○ニュース』の放送終了時刻（平成１６年２月１９日の２０時００分）になったか否かを判断する（Ｓ１２０６）。
【０２６３】
リモコン６２０からの操作によって録画の終了が指示されず（Ｓ１２０５）、また、『○○ニュース』の放送終了時刻に達していなければ（Ｓ１２０６）、Ｓ１２０３、Ｓ１２０４の動作を繰り返す。
【０２６４】
リモコン６２０からの操作によって録画の終了が指示された場合（Ｓ１２０５）、または、『○○ニュース』の放送終了時刻に達した場合には（Ｓ１２０６）、録画動作を終了する。
【０２６５】
図３１は、番組情報提供システム５における録画再生動作を示すフローチャートである。
この制御動作は、ＨＤＤレコーダ６００において録画した放送情報を再生中にＣＭ等のスキップが指示された場合の動作である。たとえば、平成１６年２月１９日の１９時００分〜２０時００分に放送された『○○ニュース』を録画し、この『○○ニュース』を再生している場合について説明する。
【０２６６】
リモコン６２０からＨＤＤレコーダ６００に録画された『○○ニュース』の視聴が指示されると（Ｓ１３０１）、記録部６１１に記録されている『○○ニュース』を『○○ニュース』の番組ＩＤに基づいて検索し、検索した『○○ニュース』を再生し、テレビ受像機１００に表示させる（Ｓ１３０２）。『○○ニュース』がテレビ受像機１００で表示されている場合に、リモコン６２０のスキップ指示キーが押下されたか否かを監視し（Ｓ１３０３）、リモコン６２０のスキップ指示キーが押下されると、この押下の際に再生されていた放送情報に対応して記録部６１１に記録されているＣＭスキップＮＧ情報を参照する（Ｓ１３０４）。
【０２６７】
当該ＣＭスキップＮＧ情報に「ＮＧ」が付与されていれば（Ｓ１３０４）、リモコン６２０の表示部に「操作は無効です（このシーンは、スキップできません）」を表示し、この「ＮＧ」が格納されている放送素材に係る放送情報の再生のスキップを実施せずに、当該再生を継続する（Ｓ１３０５）。上記スキップができない旨の通知をテレビ受像機１００に表示するようにしてもよい。一方、ＣＭスキップＮＧ情報に「ＯＫ」が付与されていれば、この「ＯＫ」が格納されている放送素材に係る放送情報の再生をスキップする（Ｓ１３０６）。なお、スキップする代わりに当該放送情報を早送り再生するようにしてもよい。
【０２６８】
具体的には、再生を開始すると（Ｓ１３０２）、図６（２）に示すように、２分間「タイトル」が表示された後に、「ＣＭ１（『○○携帯会社』のＣＭ）」が表示される。「ＣＭ１」が表示されている場合に、視聴者が「ＣＭ１」をスキップ（早送り）したい場合、リモコン６２０のスキップ指示キーを押下する（Ｓ１３０３）。この場合に、「ＣＭ１」のＣＭスキップＮＧ情報には「ＮＧ」が付与されているので（Ｓ１３０４）、リモコン６２０の表示部に「操作は無効です（このシーンは、スキップできません）」が表示され、「ＣＭ１」をスキップすることができない（Ｓ１３０５）。
【０２６９】
一方、「ＣＭ１」の直後に再生される「番宣Ａ」が表示されている場合に、視聴者が「番宣Ａ」をスキップ（早送り）したい場合、リモコン６２０のスキップ指示キーを押下する（Ｓ１３０３）。この場合に、「番宣Ａ」のＣＭスキップＮＧ情報には「ＯＫ」が付与されているので（Ｓ１３０４）、「ＣＭ２」がスキップされ（Ｓ１３０６）、次の放送素材に係る「本編１」が表示される。
【０２７０】
続いて、再生の終了が指示されたか否かを判断し（Ｓ１３０７）、再生の終了が指示されると、再生動作を終了する。一方、再生の終了が指示されなければ、再生動作を継続する（Ｓ１３０３〜Ｓ１３０６）。
【０２７１】
なお、ＣＭスキップＮＧ情報に「ＮＧ」が付与された放送素材に係る放送情報を表示中に、スキップ指示キーが押下された場合において、この操作を無効とする代わりに、当該放送素材に係る放送情報の再生をスキップすると共に、当該放送素材に係る放送情報をＲＡＭ６０６ｂに取り込み、取り込んだ放送情報をテレビ受像機１００で再生中の映像の一部に表示させるようにしてもよい。または、当該放送素材に係る番組情報に含まれる各種画像情報を記録部６１１から取り出し、取り出した各種画像情報を所定時間、再生中の映像の一部に表示させるようにしてもよい。
【０２７２】
このように、所定の放送情報について再生中のスキップを無効（映像の一部に表示、関連画像を表示等）とすることによって、録画された放送情報を再生中に、ＣＭや番組宣伝等に関する情報を視聴者に確実に視聴させることができる。つまり、大容量の録画再生装置が存在し、録画された放送情報を視聴する時間が増加しつつある現在において、放送時間帯に視聴された場合と同様に、ＣＭや番組宣伝等に関する情報を多数の視聴者に確実に視聴させることができ、宣伝効率を高めることができる。
【０２７３】
図３２は、番組情報提供システム５における録画再生動作を示すフローチャートである。
この制御動作は、ＨＤＤレコーダ６００において視聴有効期間が経過したＣＭ等の放送情報を再生中にスキップする動作である。たとえば、平成１６年２月１９日の１９時００分〜２０時００分に放送された『○○ニュース』を録画し、この『○○ニュース』を平成１６年１０月６日に再生する場合について説明する。
【０２７４】
Ｓ１３０１、Ｓ１３０２の動作は、上記で示した動作と同様である。ＨＤＤレコーダ６００に録画されている『○○ニュース』がテレビ受像機１００で表示されている場合に、再生中の放送情報に対応して記録部６１１に記録されている視聴有効期間情報を参照し、再生中の放送情報について視聴有効期間が経過したか否かを判断する（Ｓ１３１１）。具体的には、「２００４１００６（再生日時）」よりも小さい数値が視聴有効期間情報に付与されていれば、視聴有効期間が経過したと判断し、「２００４１００６」以上の数値が視聴有効期間情報に付与されていれば、視聴有効期間内であると判断する。例えば、「ＣＭ１」には「２００４０３３０」が付与されているので、視聴有効期間が経過したと判断する。
【０２７５】
視聴有効期間が経過していれば（Ｓ１３１１）、視聴有効期間が経過した放送素材に係る放送情報をスキップする（Ｓ１３１２）。一方、視聴有効期間が経過していなければ（Ｓ１３１１）、放送情報の再生を継続する（Ｓ１３１３）。例えば、「本編１」には、視聴有効期間情報が付与されていないで、放送情報の再生を継続する。
【０２７６】
続いて、再生の終了が指示されたか否かを判断し（Ｓ１３１４）、再生の終了が指示されると、再生動作を終了する。一方、再生の終了が指示されなければ、再生動作を継続する（Ｓ１３１１〜Ｓ１３１３）。
【０２７７】
なお、Ｓ１３１１において、現在再生中の放送情報に係る放送素材の直前の放送素材に係る放送情報について視聴有効期間の経過の有無を判断し、Ｓ１３１１〜Ｓ１３１３の動作をするようにしてもよい。また、Ｓ１３１１の前に、現在再生中の放送情報が、ＣＭまたは番組宣伝に係る放送情報であるか否かを素材ＩＤに基づいて判断し、現在再生中の放送情報がＣＭまたは番組宣伝に係る場合に、Ｓ１３１１〜Ｓ１３１３の動作をするようにしてもよい。
【０２７８】
このように、視聴有効期間が経過した放送情報を再生中にスキップすることによって、販売期間限定の商品に係るＣＭを放送し、この商品の販売期間が終了した場合や、番組宣伝に係る放送番組が終了した場合等において、視聴者に余分な情報を与えず、視聴者に視聴してもらいたい情報のみを視聴させることができるので、広告及び宣伝の効率を高めることができる。
【０２７９】
図３３は、番組情報提供システム５における録画再生動作を示すフローチャートである。
この制御動作は、ＨＤＤレコーダ６００において視聴有効期間が経過したＣＭ等の放送情報を再生中に他の放送情報と差替える動作である。たとえば、平成１６年２月１９日の１９時００分〜２０時００分に放送された『○○ニュース』を録画し、この『○○ニュース』を平成１６年１０月６日に再生する場合について説明する。
【０２８０】
視聴有効期間が経過した放送情報と差替えるための情報（差替え情報）を、リアルタイム番組情報サーバ１３００からＨＤＤレコーダ６００に定期的または不定期に配信される。ＨＤＤレコーダ６００が配信された差替え情報を受信すると、受信した差替え情報を記録部６１１に格納する。なお、差替え情報には、差替えの対象となる放送情報と同じ差替え用ＩＤが付与されている。また、差替え情報に視聴有効期間情報を付与し、視聴有効期間が経過した差替え情報をＨＤＤレコーダ６００が順次消去するようにしてもよい。なお、所定の放送局からＨＤＤレコーダ６００に送信される映像信号及び音声信号に差替え情報に係る信号を重畳させ、この所定の放送局からＨＤＤレコーダ６００に差替え情報を定期的または不定期に配信するようにしてもよい。
【０２８１】
Ｓ１３０１、Ｓ１３０２、Ｓ１３１１の動作は、上記で示した動作と同様である。ＨＤＤレコーダ６００に録画されている『○○ニュース』の再生がテレビ受像機１００で表示されている場合に、再生中の放送情報の視聴有効期間が経過したか否かを判断し（Ｓ１３１１）、視聴有効期間が経過していれば、視聴有効期間が経過した放送情報に付与された差替え用ＩＤと同一の差替え用ＩＤが付与された差替え情報を、記録部６１１から検索する（Ｓ１３２１）。例えば、図２７に示すように、「ＣＭ１」には「２００４０３３０」が付与されているので、視聴有効期間が経過したと判断し、「ＣＭ１」に付与された差替え用ＩＤ「ＫＳ００５」と同一の差替え用ＩＤ「ＫＳ００５」が付与された差替え情報を、記録部６１１から検索する。
【０２８２】
続いて、視聴有効期間が経過した放送情報を再生する代わりに、検索した差替え情報を出力し、テレビ受像機１００で表示する（Ｓ１３２２）。一方、視聴有効期間が経過していなければ（Ｓ１３１１）、放送情報の再生を継続する（Ｓ１３２３）。なお、視聴有効期間が経過しているが、記録部６１１に差替え情報が存在しない場合には、当該放送情報をスキップするか、またはそのまま再生する。
【０２８３】
続いて、再生の終了が指示されたか否かを判断し（Ｓ１３２４）、再生の終了が指示されると、再生動作を終了する。一方、再生の終了が指示されなければ、再生動作を継続する（Ｓ１３１１、Ｓ１３２１〜Ｓ１３２３）。
【０２８４】
なお、Ｓ１３１１において、現在再生中の放送情報に係る放送素材の直前の放送素材に係る放送情報について視聴有効期間の経過の有無を判断し、Ｓ１３２１〜Ｓ１３２３の動作をするようにしてもよい。また、Ｓ１３１１の前に、現在再生中の放送情報が、ＣＭまたは番組宣伝に係る放送情報であるか否かを素材ＩＤに基づいて判断し、現在再生中の放送情報がＣＭまたは番組宣伝に係る場合に、Ｓ１３１１、Ｓ１３２１〜Ｓ１３２３の動作をするようにしてもよい。
【０２８５】
また、現在再生中の放送情報が、ＣＭまたは番組宣伝に係る放送情報であるか否かを素材ＩＤに基づいて判断し、現在再生中の放送情報がＣＭまたは番組宣伝に係る場合に、当該放送情報に対応させて視聴済フラグを記録部６１１に記録する。そして、放送情報を再生する場合に、Ｓ１３１１において、現在再生中の放送情報について視聴済フラグの有無を判断し、視聴済フラグの有無に基づいて、Ｓ１３２１〜Ｓ１３２３の動作をするようにしてもよい。つまり、２回目以降に放送情報を再生する場合には、当該放送情報に視聴済フラグがあるので、当該放送情報の代わりに、差替え情報を出力する。
【０２８６】
このようにすることによって、同一の放送番組について再生を２回以上繰り返す場合に、再生毎に同一の放送枠において異なるＣＭや番組宣伝等を視聴者に提供することができるので、ＣＭ等に対する視聴者の関心を高めることができる。つまり、広告及び宣伝の効率を高めることができる。また、視聴済フラグの代わりに、録画された放送情報に再生回数の情報（２回再生、３回再生等）を付与し、再生した回数に応じて、ＣＭ等の内容を詳細にした差替え情報を出力するようにしてもよい。つまり、広告主が再生枠の権利を取得し、この再生枠を有効に活用することができる。
【０２８７】
また、差替え情報が番組宣伝に係る差替え情報である場合、差替え情報に係る放送番組のチャネルと放送開始日時と放送終了日時との録画予約情報を当該差替え情報に含め、第４の実施の形態で示した予約録画動作を再生中に実行するようにしてもよい。また、差替え情報に係る放送番組に関連する各種画像情報を当該差替え情報に含め、再生中に番組情報取得キーが押下された場合に、これらの情報を表示させるようにしてもよい。また、差替え情報が番組宣伝以外の放送素材に係る場合についても、差替え情報に係る各種情報を取得できるようにしてもよい。
【０２８８】
このように、視聴有効期間が経過した放送情報を再生中に差替え情報に差替えることによって、例えば、販売期間限定の商品に係るＣＭを放送し、この商品の販売期間が終了した場合において、同じ広告主の最新の商品のＣＭを視聴者に提供することができる。また、番組宣伝に係る放送番組が終了した場合において、同じ放送番組の最新情報を視聴者に提供することができる。つまり、提供する側にとっては、宣伝及び広告の機会が増加し、宣伝及び広告の効率をさらに高めることができる。また、視聴者側にとっては、録画再生中に最新情報を常に受けることができるので、効率がよい。
【０２８９】
図３４（１）は、番組情報提供システム５における録画動作を示すフローチャートである。
この制御動作は、ＨＤＤレコーダ６００において、視聴者が所望する特定シーン、出演者、内容、撮影場所等に基づいて、これらに関連する各放送素材に係る放送情報を録画する動作である。
【０２９０】
俳優「○田○男」に係る映像内容ＩＤを「ＭＤ０１」とし、「○田○男」は、図６に示す「本編１」と「ＣＭ１」と「番宣Ａ」に出演するとする。なお、放送素材には、放送素材に関連する、特定シーン、出演者、内容、撮影場所等に係る映像内容ＩＤが多数付与される。特定シーンは、ドラマ等における「感動シーン」や「出演者の登場シーン」、「お笑いシーン」であり、出演者は、ニュース番組、バラエティー番組、ドラマ、ＣＭ等に出演する者であり、内容は、「野球」、「英会話」、「料理」等の放送番組の内容を示し、撮影場所は、「渋谷」、「銀座」等の放送番組が撮影される場所を示す。映像内容ＩＤは、これらの各要素に対応付けられ、各要素を識別する識別情報である。
【０２９１】
また、ＨＤＤレコーダ６００の記録部６１１には、特定シーン、出演者、内容、撮影場所等のキーワードと、映像内容ＩＤとが対応付けて格納されている。これらの情報を、リアルタイム番組情報サーバ１３００からＨＤＤレコーダ６００に定期的または不定期に配信するようにしてもよく、変更または追加に係る情報のみを配信していくようにしてもよい。
【０２９２】
リモコン６２０で映像内容選択キーが押下されると（Ｓ１４０１）、ＨＤＤレコーダ６００の記録部６１１に格納されている、特定シーン、出演者、内容、撮影場所等のキーワードをテレビ受像機１００に表示する（Ｓ１４０２）。この場合に、カテゴリー毎に表示するようにしてもよく、選択された頻度に応じて頻度の高いキーワードから順番に表示するようにしてもよい。また、操作部６１０またはリモコン６２０からの操作に応じて表示を切り替える。例えば、出演者のカテゴリーに、俳優「○田○男」、俳優「×川×一」、キャスター「○山○二」、野球選手「×谷×三」等を表示する。リモコン６２０の操作部を操作し、テレビ受像機１００に表示された出演者の中から、例えば、俳優「○田○男」を選択し、決定する（Ｓ１４０３）。なお、操作部６１０またはリモコン６２０からキーワードを入力し、このキーワードに基づいて決定するようにしてもよい。
【０２９３】
続いて、決定した「○田○男」に関連付けて記録部６１１に格納されている映像内容ＩＤを抽出し、抽出した映像内容ＩＤに基づいて、記録部６１１に格納されている番組情報の中から、この映像内容ＩＤが付与されている素材ＩＤを抽出し（Ｓ１４０４）、抽出した素材ＩＤに係るチャネルと放送開始日時と放送終了日時とに基づいて録画予約情報を作成し、作成した録画予約情報をＲＡＭ６０６ｂに格納する（Ｓ１４０５）。続いて、記録部６１１に格納されている番組情報の中で、「○田○男」に係る映像内容ＩＤが付与されている他の素材ＩＤがあるか否かを判断し（Ｓ１４０６）、「○田○男」に係る映像内容ＩＤが付与されている素材ＩＤがなければ、動作を終了する。「○田○男」に係る映像内容ＩＤが付与されている他の素材ＩＤがあれば（Ｓ１４０６）、Ｓ１４０４、Ｓ１４０５の動作を実行する。つまり、図６に示す「本編１」と「ＣＭ１」と「番宣Ａ」に係る放送情報についての録画予約をする。
【０２９４】
なお、出演者として「○田○男」を選択し、特定シーンとして「感動シーン」を選択する場合のように、複数のキーワードを選択するようにしてもよい（Ｓ１４０３）。この場合には、Ｓ１４０４で、「○田○男」に係る映像内容ＩＤと共に「感動シーン」に係る映像内容ＩＤが付与されている素材ＩＤを抽出する。
このように録画することによって、視聴者の好みに応じた放送情報を素材レベル（番組宣伝、ＣＭ等）で録画予約することができる。このため、視聴者が録画を見る可能性を高め、広告及び番組宣伝の効率を飛躍的に高めることができる。
【０２９５】
図３４（２）は、番組情報提供システム５における録画再生動作を示すフローチャートである。
この制御動作は、ＨＤＤレコーダ６００において、視聴者が所望する特定シーン、出演者、内容、撮影場所等に基づいて、これらに関連する各放送素材に係る放送情報を再生する動作である。
【０２９６】
リモコン６２０の操作部を操作し、テレビ受像機１００に表示されたキーワードの中から、所望のキーワードを選択し決定する動作は、上記で示したＳ１４０１〜Ｓ１４０３と同様である。
【０２９７】
続いて、決定した「○田○男」に関連付けて記録部６１１に格納されている映像内容ＩＤを抽出し、抽出した映像内容ＩＤに基づいて、記録部６１１に格納されている録画された放送情報の中から、この映像内容ＩＤが対応付けられた放送情報を抽出し（Ｓ１４１４）、抽出した放送情報をテレビ受像機１００に表示する（Ｓ１４１５）。続いて、記録部６１１に格納されている放送情報の中で、「○田○男」に係る映像内容ＩＤが対応付けられた他の放送情報があるか否かを判断し（Ｓ１４１６）、「○田○男」に係る映像内容ＩＤが対応付けられた他の放送情報がなければ、動作を終了する。「○田○男」に係る映像内容ＩＤが対応付けられた他の放送情報があれば（Ｓ１４１６）、Ｓ１４１４、Ｓ１４１５の動作を実行する。
【０２９８】
なお、出演者として「○田○男」を選択し、特定シーンとして「感動シーン」を選択する場合のように、複数のキーワードを選択するようにしてもよい（Ｓ１４０３）。この場合には、Ｓ１４１４で、「○田○男」に係る映像内容ＩＤと共に「感動シーン」に係る映像内容ＩＤが対応付けられた放送情報を抽出する。
【０２９９】
このように再生することによって、録画された放送情報のうちから、視聴者の好みに応じた放送情報を素材レベル（番組宣伝、ＣＭ等）で再生することができる。このため、視聴者は関心の高い放送情報のみを視聴することができる。また、放送情報に対する視聴者の関心を高めることができるので、広告及び番組宣伝の効率を飛躍的に高めることができる。
【０３００】
図３５は、番組情報提供システム５における放送情報表示制御動作を示すフローチャートである。
この制御動作は、ＨＤＤレコーダ６００において、視聴者が所望する特定シーン、出演者、内容、撮影場所等に基づいて、これらに関連する各放送素材に係る放送情報または番組情報を表示する動作である。
【０３０１】
リモコン６２０の操作部を操作し、テレビ受像機１００に表示されたキーワードの中から、所望のキーワードを選択し、決定する動作は、上記で示したＳ１４０１〜Ｓ１４０３と同様である。
【０３０２】
続いて、決定した「○田○男」に関連付けて記録部６１１に格納されている映像内容ＩＤを抽出し、抽出した映像内容ＩＤに基づいて、記録部６１１に格納されている番組情報の中から、この映像内容ＩＤが付与されている素材ＩＤを抽出し（Ｓ１４２４）、抽出した素材ＩＤに係るチャネルと放送開始日時と放送終了日時とに基づいて、抽出した素材ＩＤに係る番組情報に含まれる各種画像をテレビ受像機１００に表示させるための表示予約情報を作成し、作成した表示予約情報をＲＡＭ６０６ｂに格納する（Ｓ１４２５）。続いて、記録部６１１に格納されている番組情報の中で、「○田○男」に係る映像内容ＩＤが付与されている他の素材ＩＤがあるか否かを判断し（Ｓ１４２６）、「○田○男」に係る映像内容ＩＤが付与されている他の素材ＩＤがあれば（Ｓ１４２６）、Ｓ１４２４〜Ｓ１４２６の動作を実行する。
【０３０３】
「○田○男」に係る映像内容ＩＤが付与されている素材ＩＤがなければ（Ｓ１４２６）、ＲＡＭ６０６ｂに格納されている表示予約情報に係る放送開始時刻に達したか否かを判断し（Ｓ１４２７）、ＲＡＭ６０６ｂに格納されている表示予約情報に係る放送開始時刻に達していれば、当該表示予約情報に係る番組情報に含まれる各種画像を、記録部６１１に格納されている番組情報から抽出し（Ｓ１４２８）、抽出した各種画像と共に「現在、○○チャネルで「○田○男」が出演しています」のメッセージをテレビ受像機１００に表示されている映像の一部に表示させる（Ｓ１４２９）。続いて、ＨＤＤレコーダ６００の電源がＯＦＦされたか否かを判断し（Ｓ１４３０）、ＨＤＤレコーダ６００の電源がＯＦＦされれば動作を終了する。ＨＤＤレコーダ６００の電源がＯＦＦされなければ（Ｓ１４３０）、Ｓ１４０１〜Ｓ１４０３、Ｓ１４２４〜Ｓ１４２９の動作を繰り返す。
【０３０４】
なお、ＲＡＭ６０６ｂに格納されている表示予約情報に係る放送開始時刻に達した場合において、Ｓ１４２８、Ｓ１４２９で、各種画像を抽出し、抽出した各種画像とメッセージとをテレビ受像機１００に表示させる代わりに、表示予約情報に係るチャネルを使用して、表示予約情報に係る放送情報をテレビ受像機１００に表示されている映像の一部または全部に表示させるようにしてもよい。
【０３０５】
なお、出演者として「○田○男」を選択し、特定シーンとして「感動シーン」を選択する場合のように、複数のキーワードを選択するようにしてもよい（Ｓ１４０３）。この場合には、Ｓ１４２４で、「○田○男」に係る映像内容ＩＤと共に「感動シーン」に係る映像内容ＩＤが付与されている素材ＩＤを抽出する。
【０３０６】
このように動作を実行することによって、視聴者が視聴しているチャネルに係わらず、視聴者の好みに応じた放送情報に関連する情報を素材レベル（番組宣伝、ＣＭ等）で視聴者に提供することができる。このため、視聴者が素材レベル（番組宣伝、ＣＭ等）で放送情報を見る可能性を高め、広告及び番組宣伝の効率を飛躍的に高めることができる。
【０３０７】
なお、所定の放送局からＨＤＤレコーダ６００に送信される映像信号及び音声信号に番組情報（差分情報等を含む）に係る信号を重畳させ、この所定の放送局からＨＤＤレコーダ６００に番組情報（差分情報等を含む）を定期的または不定期に配信するようにしてもよい。放送局からの放送情報と対応させ、ＨＤＤレコーダ６００に番組情報（差分情報等を含む）を配信するようにしてもよい。
【０３０８】
なお、図２８に示す各動作、図３５に示す各動作について、リアルタイム番組情報サーバ１３００との間で通信する通信機能と、番組情報を格納する記憶部とを有するデジタルテレビ受像機等の映像視聴装置に適用することができる。また、各動作を、デジタルテレビのチューナと、リアルタイム番組情報サーバ１３００との間で通信する通信機能と、録画機能とを有するパソコン等の情報処理装置に適用することができる。また、上記各実施の形態に係るＨＤＤレコーダ６００について、ＤＶＤレコーダや、ビデオレコーダ等の他の録画再生装置等の放送受信装置に上記各実施の形態を適用することができる。また、アナログ放送用の放送情報を受信する録画再生装置やテレビ受像機等に上記各動作を適用することができる。
【０３０９】
また、録画した放送情報を再生する場合に、実際に再生した放送情報に対応して記録部６１１に記録されている素材ＩＤをＨＤＤレコーダ６００がリアルタイム番組情報サーバ１３００に順次送信し、当該素材ＩＤ（またはＨＤＤレコーダ６００のユーザＩＤ、再生時刻と共に）に基づいて、リアルタイム番組情報サーバ１３００が再生に関する各種情報（再生率データ、再生数等）を集計または作成するようにしてもよい。
【０３１０】
なお、上記第２、第４、第５の実施の形態において、主記憶部３０６に格納されている番宣ＤＢとＣＭＤＢと番組本編ＤＢとの番組情報のうちから抽出する所定期間内の番組情報として、現在時刻（または、所定時間前）に係る番組情報を抽出し、抽出した番組情報を、一斉同報送信等（放送局からの放送情報と対応させ番組情報を配信等）によって、携帯電話等に配信するようにしてもよい。この場合に、携帯電話等においては、リアルタイム番組情報サーバから受信している番組情報のうちから、チャネルに基づいて、番組情報を抽出する。
【０３１１】
また、上記各実施の形態をプログラムの発明として把握することができる。つまり、所定のメモリに格納されたプログラムに基づいて、制御部が実行する処理手順が、本発明を構成する。なお、所定の通信回線を介して、装置内にプログラムを取り組み、取り組んだプログラムを制御部が実行する処理手順についても同様である。
【０３１２】
ところで、最近は、多数のテレビ番組を録画することができるＤＶＤレコーダ、ＨＤＤレコーダ等の大容量録画再生装置が存在するので、この録画再生装置を使用して興味を持ったテレビ番組をその都度録画予約する場合が増加しつつある。例えば、録画されたテレビ番組が視聴されている場合、テレビ番組の放送中には、多数の番組宣伝やＣＭ等が含まれているので、テレビ番組の本編のみを視聴するために、視聴者は番組宣伝やＣＭ等を早送りしスキップ再生する場合がある。この場合には、比較的多数の視聴者に番組宣伝やＣＭ等を視聴させることができ、多数の視聴者に興味を持たせることができる状態にあるにもかかわらず、視聴者が実際に番組宣伝やＣＭ等を見ない場合が多く、広告の宣伝効率が悪いという問題がある。
【０３１３】
また、録画されたテレビ番組が視聴される時期が実際の放送日よりも比較的遅い場合には、テレビ番組の放送中に含まれる番組宣伝やＣＭ等が視聴されたとしても、既に宣伝効果のない場合があり、この場合には、広告の宣伝効率が悪いという問題がある。
【０３１４】
このように、広告主が広告料を払い、テレビ放送を利用して広告をする場合、比較的多数の視聴者に番組宣伝やＣＭ等を視聴させることができ、多数の視聴者に興味を持たせることができる状態にあるにもかかわらず、視聴者が実際に番組宣伝やＣＭ等を見ない場合が多く、また、時期的に宣伝効果が低い場合があり、広告の宣伝効率が悪いという問題がある。
【０３１５】
上記各実施の形態によれば、テレビ放送を利用して、番組宣伝やＣＭをする場合に、番組宣伝やＣＭ等の宣伝効率を飛躍的に高めることができる。
【産業上の利用可能性】
【０３１６】
本発明の活用例として、テレビ受像機と、ＰＶＲと、携帯電話と、リアルタイム番組情報サーバとを有する番組情報提供システムに本発明を適用することができる。
【図面の簡単な説明】
【０３１７】
【図１】本発明の第１の実施の形態である番組情報提供システム１の構成を示すブロック図である。
【図２】携帯電話２００の内部構成を示すブロック図である。
【図３】リアルタイム番組情報サーバ３００の内部構成を示すブロック図である。
【図４】リアルタイム番組情報サーバ３００の内部構成を機能的に示すブロック図である。
【図５】放送局５００からリアルタイム番組情報サーバ３００に出力する情報の流れを模式的に示す図である。
【図６】Ｘチャネルにおける番組枠編成情報３５１と、Ｑ（Ｃｕｅ）シート編成情報３５２との一部区間を概略的に示す図である。
【図７】編成情報ＤＢ３５０に格納される情報を概念的に示す図である。
【図８】番組情報ＤＢ３６０に格納される情報を概念的に示す図である。
【図９】主記憶部３０６に格納される番宣ＤＢ３１０とＣＭＤＢ３２０と番組本編ＤＢ３３０とを概念的に示す図である。
【図１０】番組情報提供システム１における番組予約動作を示すフローチャートである。
【図１１】番組情報提供システム１における番組予約更新動作を示すフローチャートである。
【図１２】番組情報提供システム１における予約番組視聴動作を示すフローチャートである。
【図１３】番組情報提供システム１における予約番組視聴動作を示すフローチャートである。
【図１４】本発明の第２の実施の形態である番組情報提供システム１における番組予約動作を示すフローチャートである。
【図１５】携帯電話２００の映像出力部６０８に表示される番組情報の一例を示す図である。
【図１６】携帯電話２００の映像出力部６０８に表示される番組情報の一例を示す図である。
【図１７】放送されている番組に関するリンクに携帯電話２００から接続する場合におけるフローを概略的に示す図である。
【図１８】携帯電話２００の映像出力部６０８に表示される番組情報の一例を示す図である。
【図１９】携帯電話２００の映像出力部６０８に表示される番組情報の一例を示す図である。
【図２０】本発明の第３の実施の形態である番組情報提供システム３の構成を示すブロック図である。
【図２１】ＨＤＤレコーダ６００の内部構成を示すブロック図である。
【図２２】番組情報提供システム３における番組予約動作を示すフローチャートである。
【図２３】番組情報提供システム３における番組予約更新動作を示すフローチャートである。
【図２４】番組情報提供システム３における予約番組視聴動作を示すフローチャートである。
【図２５】番組情報提供システム３における予約番組視聴動作を示すフローチャートである。
【図２６】本発明の第４の実施の形態である番組情報提供システム３における番組予約動作を示すフローチャートである。
【図２７】第５の実施の形態に係るリアルタイム番組情報サーバ１３００の主記憶部１３０６に格納される番宣ＤＢ１３１０とＣＭＤＢ１３２０と番組本編ＤＢ１３３０とを概念的に示す図である。
【図２８】本発明の第５の実施の形態である番組情報提供システム５における選局画面表示制御動作を示すフローチャートである。
【図２９】テレビ受像機１００に表示される放送局ロゴマークや現在放送中の番組ロゴマーク、現在放送中の番組内容を示す画像等の表示例を示す図である。
【図３０】番組情報提供システム５における番組録画動作を示すフローチャートである。
【図３１】番組情報提供システム５における録画再生動作を示すフローチャートである。
【図３２】番組情報提供システム５における録画再生動作を示すフローチャートである。
【図３３】番組情報提供システム５における録画再生動作を示すフローチャートである。
【図３４】番組情報提供システム５における録画再生動作を示すフローチャートである。
【図３５】番組情報提供システム５における放送情報表示制御動作を示すフローチャートである。
【図３６】テレビ受像機１００に表示される放送局ロゴマークや現在放送中の番組ロゴマーク、現在放送中の番組内容を示す画像等の表示例を示す図である。
【符号の説明】
【０３１８】
１…番組情報提供システム、
１０…移動体通信網、
２０…インターネット、
１００…テレビ受像機、
１１０…ＰＶＲ、
２００…携帯電話、
２０１…アンテナ、
２０２…移動体通信部、
２０３…赤外線送信部、
２０４…無線通信部、
６０７…制御部、
６０７ａ…ＣＰＵ、
６０７ｂ…ＲＡＭ、
６０７ｃ…ＲＯＭ、
２０６…ディスプレイ、
２０７…スピーカ、
６２０…入力部、
３００…リアルタイム番組情報サーバ、
３０１…通信部、
３０２…ハードディスク、
３０３…制御部、
３０４…ディスプレイ、
３０５…入力部、
３４０…視聴ログＤＢ、
４００…電子商取引サーバ、
５００…放送局。
【図１】
2006121301.tif 000003
【図２】
2006121301.tif 000004
【図３】
2006121301.tif 000005
【図４】
2006121301.tif 000006
【図５】
2006121301.tif 000007
【図６】
2006121301.tif 000008
【図７】
2006121301.tif 000009
【図８】
2006121301.tif 000010
【図９】
2006121301.tif 000011
【図１０】
2006121301.tif 000012
【図１１】
2006121301.tif 000013
【図１２】
2006121301.tif 000014
【図１３】
2006121301.tif 000015
【図１４】
2006121301.tif 000016
【図１５】
2006121301.tif 000017
【図１６】
2006121301.tif 000018
【図１７】
2006121301.tif 000019
【図１８】
2006121301.tif 000020
【図１９】
2006121301.tif 000021
【図２０】
2006121301.tif 000022
【図２１】
2006121301.tif 000023
【図２２】
2006121301.tif 000024
【図２３】
2006121301.tif 000025
【図２４】
2006121301.tif 000026
【図２５】
2006121301.tif 000027
【図２６】
2006121301.tif 000028
【図２７】
2006121301.tif 000029
【図２８】
2006121301.tif 000030
【図２９】
2006121301.tif 000031
【図３０】
2006121301.tif 000032
【図３１】
2006121301.tif 000033
【図３２】
2006121301.tif 000034
【図３３】
2006121301.tif 000035
【図３４】
2006121301.tif 000036
【図３５】
2006121301.tif 000037
【図３６】
2006121301.tif 000038